(57)【特許請求の範囲】
【請求項１】
デバイスにより実行されるワイヤレス通信の方法であって、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定することと、
前記第１のデバイスによるワイヤレスデータ送信と関連付けられる仮想キャリアを、前記物理キャリアのうちの前記特定された１つにマッピングすることと、ここで、前記仮想キャリアは、前記第１のデバイスによる前記ワイヤレスデータ送信のために使用されるキャリアである、
前記第１のデバイスからのシグナリングを前記デバイスにおいて受信することと、ここにおいて、前記ＣＣＡが成功した前記物理キャリアのうちの前記１つが、前記第１のデバイスからの前記シグナリングに基づいて前記デバイスによって特定される、
を備える、方法。
【請求項２】
前記ワイヤレスデータ送信を、前記物理キャリアのうちの前記１つを通じて前記デバイスにおいて前記第１のデバイスから受信することをさらに備える、請求項１に記載の方法。
【請求項３】
前記複数の物理キャリアを、前記第１のデバイスによる前記ワイヤレスデータ送信の前に監視することをさらに備え、前記第１のデバイスからの前記シグナリングが、前記ワイヤレスデータ送信の前に前記物理キャリアのうちの前記１つを通じて受信され、前記シグナリングが、前記物理キャリアのうちの前記１つを通じて前記第１のデバイスから受信されるチャネル使用ビーコン信号（ＣＵＢＳ）、または前記物理キャリアのうちの前記１つを通じて前記第１のデバイスから受信される参照信号を備える、請求項１に記載の方法。
【請求項４】
前記第１のデバイスによって、前記ワイヤレスデータ送信と関連付けられる仮想キャリアの数に基づいて、前記ＣＣＡと関連付けられる前記複数の物理キャリアを選択することをさらに備える、請求項１に記載の方法。
【請求項５】
前記第１のデバイスによって、前記ワイヤレスデータ送信と関連付けられる仮想キャリアの数よりも多数の数の物理キャリア上でＣＣＡを実行することをさらに備える、請求項１に記載の方法。
【請求項６】
前記ＣＣＡが成功した前記物理キャリアの数が仮想キャリアの数よりも少ないという決定に基づいて、少なくとも第２の仮想キャリアをマッピングするのを控えることと、前記第１のデバイスによって、仮想キャリアの前記数以下である数の前記物理キャリアについてチャネル使用ビーコン信号（ＣＵＢＳ）を送信することと
をさらに備える、請求項５に記載の方法。
【請求項７】
前記第１のデバイスによって、前記ＣＣＡが成功した前記物理キャリアの数が仮想キャリアの前記数よりも多いという決定に基づいて、複数の物理キャリアを通じて前記ワイヤレスデータ送信の少なくとも一部分を冗長的に送信することをさらに備える、請求項５に記載の方法。
【請求項８】
第１の仮想キャリアの優先順位に対する第２の仮想キャリアの優先順位に基づいて、前記第２の仮想キャリアをマッピングするのを控えると決定することをさらに備える、請求項１に記載の方法。
【請求項９】
前記第１のデバイスによって、前記仮想キャリアのためのアップリンクグラントを受信することをさらに備え、前記アップリンクグラントが、前記第１のデバイスによって前記ＣＣＡと関連付けられる前記複数の物理キャリアを備える、請求項１に記載の方法。
【請求項１０】
前記仮想キャリアが、前記ワイヤレスデータ送信と関連付けられる複数の仮想キャリアのうちの１つを備え、前記方法は、
前記第１のデバイスによる前記ＣＣＡが成功した前記物理キャリアのサブセットを特定することと、
前記第１のデバイスと、前記ワイヤレスデータ送信を受信するように構成された前記デバイスとの間で共有される、所定のマッピング方式に基づいて、前記サブセットの前記物理キャリアのうちの１つに前記仮想キャリアの各々をマッピングすることと、ここにおいて、前記所定のマッピング方式は、最小の番号の仮想キャリアが、前記物理キャリアの前記サブセットのための最小の番号の物理キャリアにマッピングされるように、定められる、
をさらに備える、請求項１に記載の方法。
【請求項１１】
前記複数の物理キャリアのうちの前記特定された物理キャリアのキャリア識別フィールド（ＣＩＦ）において、前記仮想キャリアと関連付けられる識別子を送信することをさらに備える、請求項１に記載の方法。
【請求項１２】
前記仮想キャリアが、前記ワイヤレスデータ送信と関連付けられる複数の仮想キャリアのうちの第１の仮想キャリアを備え、前記方法は、
物理キャリアの複数の重複しないサブセットを特定することと、ここにおいて、物理キャリアの前記重複しないサブセットの各々は前記仮想キャリアのそれぞれ１つに対応する、
物理キャリアの各サブセットについて、前記第１のデバイスにより実行された前記ＣＣＡが物理キャリアの前記サブセットのうちの少なくとも１つの物理キャリアについて成功したかどうかを決定することと、
前記第１のデバイスにより実行された前記ＣＣＡが成功した少なくとも１つの物理キャリアを有する物理キャリアの各サブセットについて、物理キャリアの前記サブセットに対応する前記仮想キャリアを、前記第１のデバイスにより実行された前記ＣＣＡが成功した前記少なくとも１つの物理キャリアのうちの少なくとも１つにマッピングすることと、ここにおいて、前記ワイヤレスデータ送信と関連付けられる前記複数の仮想キャリアが第２の仮想キャリアを備える、
をさらに備え、前記方法は、
前記第１のデバイスにより実行された前記ＣＣＡが前記第２の仮想キャリアに対応する物理キャリアの前記サブセットの中の物理キャリアについて成功しなかったという決定に基づいて、少なくとも前記第２の仮想キャリアを物理キャリアにマッピングするのを控えること
をさらに備える、請求項１に記載の方法。
【請求項１３】
ワイヤレス通信のためのデバイスであって、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定するための手段と、
前記第１のデバイスによるワイヤレスデータ送信と関連付けられる仮想キャリアを、前記物理キャリアのうちの前記特定された１つにマッピングするための手段と、ここで、前記仮想キャリアは、前記第１のデバイスによる前記ワイヤレスデータ送信のために使用されるキャリアである、
前記第１のデバイスからのシグナリングを前記デバイスにおいて受信するための手段と、ここにおいて、前記ＣＣＡが成功した前記物理キャリアのうちの前記１つが、前記第１のデバイスからの前記シグナリングに基づいて前記デバイスによって特定される、
を備える、デバイス。
【請求項１４】
プロセッサによって実行可能な命令を記憶するためのコンピュータ可読記憶媒体であって、請求項１〜１２のうちのいずれか一項の方法を実行するための命令を備える、コンピュータ可読記憶媒体。
【発明の詳細な説明】
【技術分野】
【０００１】
相互参照
[0001]本特許出願は、各々が本出願の譲受人に譲渡された、２０１４年９月１８日に出願された「VIRTUAL CARRIERS FOR LTE/LTE-A COMMUNICATIONS IN A SHARED SPECTRUM」と題されるＹｅｒｒａｍａｌｌｉらによる米国特許出願第１４／４９０，５０３号、２０１３年１０月３日に出願された「VIRTUAL CARRIERS FOR LTE-U」と題されるＹｅｒｒａｍａｌｌｉらによる米国仮特許出願第６１／８８６，４６９号、および２０１４年３月５日に出願された「VIRTUAL CARRIERS FOR LTE/LTE-A COMMUNICATIONS IN A SHARED SPECTRUM」と題されるＹｅｒｒａｍａｌｌｉらによる米国仮特許出願第６１／９４８，３９９号の優先権を主張する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークはいくつかのアクセスポイントを含み得る。セルラーネットワークのアクセスポイントは、ＮｏｄｅＢ（ＮＢ）またはｅｖｏｌｖｅｄ  ＮｏｄｅＢ（ｅＮＢ）のような、いくつかの基地局を含み得る。ワイヤレスローカルエリアネットワーク（ＷＬＡＮ）のアクセスポイントは、ＷｉＦｉ（登録商標）ノードのような、いくつかのＷＬＡＮアクセスポイントを含み得る。各アクセスポイントは、いくつかのユーザ機器（ＵＥ）の通信をサポートすることができ、しばしば同時に複数のＵＥと通信することができる。同様に、各ＵＥは、いくつかのアクセスポイントと通信することができ、時々、複数のアクセスポイントおよび／または異なるアクセス技術を使用するアクセスポイントと通信することができる。アクセスポイントは、ダウンリンクおよびアップリンクを介してＵＥと通信することができる。ダウンリンク（または順方向リンク）は、アクセスポイントからＵＥへの通信リンクを指し、アップリンク（または逆方向リンク）は、ＵＥからアクセスポイントへの通信リンクを指す。
【０００４】
[0004]セルラーネットワークがより混雑するようになるにつれて、事業者は容量を増大させるための方法に注目し始めている。１つの手法は、セルラーネットワークのトラフィックおよび／またはシグナリングの一部をオフロードするためにＷＬＡＮを使用することを含み得る。免許帯域（licensed spectrum）において動作するセルラーネットワークとは異なり、ＷｉＦｉネットワークは一般に免許不要帯域（unlicensed spectrum）において動作するので、ＷＬＡＮ（またはＷｉＦｉネットワーク）は魅力的である。
【０００５】
[0005]異なるプロトコル（たとえば、セルラープロトコルおよびＷＬＡＮプロトコル）を使用して通信するデバイスが帯域を共有するとき、共有帯域の異なる送信間隔においてどのデバイスが送信することが可能かを決定するために、コンテンションベースのプロトコルが使用されることがある。ある送信デバイスが、特定の送信間隔における共有帯域へのアクセス権をめぐって争うが、別のデバイスに負けるとき、その送信デバイスは、ワイヤレスデータ送信を行うために、後続の送信間隔まで待たなければならないことがある。
【発明の概要】
【０００６】
[0006]説明される特徴は一般に、ワイヤレス通信のための１つまたは複数の改善された方法、システム、装置、および／またはデバイスに関する。より具体的には、説明される特徴は、共有帯域のある数の物理キャリアへのアクセス権を争う送信デバイスに関し、物理キャリアの数は、ワイヤレスデータ送信を行うために必要とされる物理キャリアの数よりも多い。このようにして、送信デバイスは、いくつかの場合には、物理キャリアの１つまたは複数へのアクセス権を争うときに別のデバイスに負けることがあるが、それでもワイヤレスデータ送信を行うのに十分な物理キャリアへのアクセス権を得ることができる。
【０００７】
[0007]例示的な実施形態の第１のセットによれば、ワイヤレス通信のための方法が説明される。一構成では、第１のデバイスにより実行されたクリアチャネルアセスメント（ＣＣＡ）と関連付けられる複数の物理キャリアから、第１のデバイスにより実行されたＣＣＡが成功した、物理キャリアのうちの１つが特定され得る。第１のデバイスによるワイヤレスデータ送信と関連付けられる仮想キャリアは、物理キャリアの特定された１つにマッピングされ得る。
【０００８】
[0008]いくつかの例では、ワイヤレスデータ送信は、物理キャリアの１つを通じて第２のデバイスにおいて第１のデバイスから受信され得る。いくつかの例では、第１のデバイスからのシグナリングが第２のデバイスにおいて受信され得、ＣＣＡが成功した物理キャリアの１つは、第１のデバイスからのシグナリングに基づいて第２のデバイスによって特定され得る。そのような例では、複数の物理キャリアは、第１のデバイスによるワイヤレスデータ送信の前に監視され得、第１のデバイスからのシグナリングは、ワイヤレスデータ送信の前に物理キャリアの１つを通じて受信され得る。このシグナリングは、代替的にチャネル使用パイロット信号（ＣＵＰＳ）と呼ばれるチャネル使用ビーコン信号（ＣＵＢＳ）、または物理キャリアの１つを通じて第１のデバイスから受信される参照信号を含み得る。
【０００９】
[0009]いくつかの例では、第２のデバイスにおいて第１のデバイスからビットマップが受信され得る。ＣＣＡが成功した物理キャリアの１つは、第１のデバイスからのビットマップに基づいて第２のデバイスによって特定され得る。いくつかの例では、ビットマップは免許不要帯域を通じて受信され得る。いくつかの例では、第１のデバイスは、ワイヤレスデータ送信と関連付けられる仮想キャリアの数に基づいて、ＣＣＡと関連付けられる複数の物理キャリアを選択することができる。
【００１０】
[0010]いくつかの例では、第１のデバイスは、ワイヤレスデータ送信と関連付けられる仮想キャリアの数よりも多数の数の物理キャリア上でＣＣＡを実行することができる。いくつかの例では、仮想キャリアは第１の仮想キャリアを含み得る。第１のデバイスは、ＣＣＡが成功した物理キャリアの数が仮想キャリアの数よりも少ないという決定に基づいて、少なくとも第２の仮想キャリアをマッピングすることを控えることができる。第１のデバイスは、第１の仮想キャリアの優先順位に対する第２の仮想キャリアの優先順位に基づいて、第２の仮想キャリアをマッピングするのを控えると決定することができる。そのような例では、第１のデバイスは、仮想キャリアの数以下の数の物理キャリアについてチャネル使用ビーコン信号（ＣＵＢＳ：channel usage beacon signal）を送信することができる。
【００１１】
[0011]いくつかの例では、第１のデバイスは、仮想キャリアのためのアップリンクグラントを受信することができ、アップリンクグラントは、第１のデバイスによってＣＣＡと関連付けられる複数の物理キャリアを含む。いくつかの例では、ＣＣＡと関連付けられる複数の物理キャリアは、複数の物理キャリアのチャネル強度測定結果（channel strength measurements）に基づいて選択され得る。ＣＣＡと関連付けられる複数の物理キャリアを選択することは、ＣＣＡと関連付けられる複数の物理キャリアの少なくとも一部分のためのチャネル強度測定結果のエイジ（age）に基づき得る。加えて、または代替的に、ＣＣＡと関連付けられる複数の物理キャリアを選択することは、物理キャリアが、ワイヤレスデータ送信と関連付けられる変調およびコーディング方式、ワイヤレスデータ送信と関連付けられるランク、またはワイヤレスデータ送信と関連付けられるトランスポートブロックサイズのうちの少なくとも１つをサポートすることが可能かどうかの決定に基づき得る。
【００１２】
[0012]いくつかの例では、仮想キャリアは、ワイヤレスデータ送信と関連付けられる複数の仮想キャリアの１つであり得る。いくつかのそのような例では、第１のデバイスによるＣＣＡが成功した物理キャリアのサブセットが特定され得、仮想キャリアの各々は、第１のデバイスと、ワイヤレスデータ送信を受信するように構成された第２のデバイスとの間で共有される、所定のマッピング方式に基づいて、サブセットの物理キャリアの１つにマッピングされ得る。いくつかの例では、仮想キャリアと関連付けられる識別子が、物理キャリアの１つのキャリア識別フィールド（ＣＩＦ）において送信され得る。
【００１３】
[0013]いくつかの例では、仮想キャリアはダウンリンク仮想キャリアを含んでよく、第１のデバイスによって実行されるＣＣＡはダウンリンクＣＣＡであり得、第１のデバイスにより実行されたＣＣＡが成功した物理キャリアの１つを特定することは、第１のデバイスにより実行されたＣＣＡが成功した物理キャリアの１つを、ダウンリンク仮想キャリアに対応する物理キャリアのサブセットの中の第１の物理キャリアとして特定することを含み得る。これらの例では、ダウンリンク仮想キャリアに対応する物理キャリアのサブセットの中の少なくとも第２の物理キャリアは、第２のデバイスによるアップリンクワイヤレスデータ送信と関連付けられるアップリンク仮想キャリアにマッピングするための物理キャリア候補として特定され得る。第２の物理キャリアは、第１のデバイスにより実行されたＣＣＡが成功した別の物理キャリアであり得る。いくつかの例では、ダウンリンク仮想キャリアに対応する物理キャリアのサブセットを特定する無線リソース制御（ＲＲＣ）シグナリングが受信され得る。いくつかの場合には、各物理キャリア候補についてのアップリンクＣＣＡは、第２のデバイスによって実行され得、第２の物理キャリアは、第２のデバイスにより実行されたアップリンクＣＣＡが成功した物理キャリアとして特定され得、第２のデバイスによるアップリンクワイヤレスデータ送信と関連付けられるアップリンク仮想キャリアは、第２の物理キャリアにマッピングされ得る。
【００１４】
[0014]いくつかの例では、仮想キャリアは、ワイヤレスデータ送信と関連付けられる複数の仮想キャリアの第１の仮想キャリアを含み得る。これらの例では、物理キャリアの複数の重複しないサブセットが特定され得る。物理キャリアの重複しないサブセットの各々は仮想キャリアのそれぞれ１つに対応する。また、物理キャリアの各サブセットについて、第１のデバイスにより実行されたＣＣＡが物理キャリアのサブセットのうちの少なくとも１つの物理キャリアに対して成功したかどうかが決定され得、第１のデバイスにより実行されたＣＣＡが成功した少なくとも１つの物理キャリアを有する物理キャリアの各サブセットについて、物理キャリアのサブセットに対応する仮想キャリアが、第１のデバイスにより実行されたＣＣＡが成功した少なくとも１つの物理キャリアの少なくとも１つにマッピングされ得る。
【００１５】
[0015]いくつかの例では、ワイヤレスデータ送信と関連付けられる複数の仮想キャリアは第２の仮想キャリアを含んでよく、第１のデバイスにより実行されたＣＣＡが第２の仮想キャリアに対応する物理キャリアのサブセットの中の物理キャリアに対して成功しなかったという決定に基づいて、少なくとも第２の仮想キャリアを物理キャリアにマッピングすることが控えられ得る。
【００１６】
[0016]いくつかの例では、仮想キャリアの各々において物理アップリンク制御チャネル（ＰＵＣＣＨ）のためにリソースが確保され得、第１のデバイスにより実行されたＣＣＡが成功した物理キャリアの１つにマッピングされた仮想キャリアの１つを通じて、ＰＵＣＣＨが送信され得る。いくつかの例では、仮想キャリアの各々がインデックスと関連付けられ得、第１のデバイスにより実行されたＣＣＡが成功した物理キャリアの１つにマッピングされる仮想キャリアの１つの上でＰＵＣＣＨを送信することが、最小のインデックスを有する仮想キャリアの１つを通じてＰＵＣＣＨを送信することを含み得る。いくつかの場合、ＰＵＣＣＨが送信される仮想キャリアの１つはランダムに選択され得る。いくつかの場合、ＰＵＣＣＨが送信される仮想キャリアの１つをランダムに選択するために使用される乱数生成器のための初期設定（initialization）を含む、ＲＲＣシグナリングが受信され得る。
【００１７】
[0017]いくつかの例では、第１のデバイスにより実行されたＣＣＡが成功した少なくとも１つの追加の物理キャリアは、第１の仮想キャリアに対応する物理キャリアのサブセットの１つから特定され得、サウンディング参照信号（ＳＲＳ：sounding reference signal）が、少なくとも１つの追加の物理キャリアの各々を通じて第１のデバイスによって送信され得る。
【００１８】
[0018]いくつかの例では、ＣＣＡ免除送信（ＣＥＴ：CCA exempt transmission）が、物理キャリアのサブセットの少なくとも１つの中の物理キャリアの少なくとも１つを通じて第１のデバイスによって送信され得る。いくつかの例では、第１のデバイスにより実行されたＣＣＡが成功した少なくとも１つの追加の物理キャリアは、第１の仮想キャリアに対応する物理キャリアのサブセットの１つから特定され得、ＣＵＢＳが少なくとも１つの追加の物理キャリアの各々を通じて第１のデバイスによって送信され得る。
【００１９】
[0019]いくつかの例では、第１のデバイスにより実行されたＣＣＡが成功した少なくとも１つの追加の物理キャリアは、第１の仮想キャリアに対応する物理キャリアのサブセットの１つからのものであり得、チャネル状態情報参照信号（ＣＳＩ−ＲＳ：channel state information reference signal）が、少なくとも１つの追加の物理キャリアの各々を通じて第１のデバイスによって送信され得る。
【００２０】
[0020]いくつかの例では、仮想キャリアに対応する物理キャリアのサブセットが特定され得る。物理キャリアのサブセットは、仮想キャリアがマッピングされる物理キャリアの１つと、少なくとも１つの追加の物理キャリアとを含み得る。これらの例では、第１のデバイスにより実行されたＣＣＡが成功した少なくとも１つの追加の物理キャリアは、少なくとも１つの追加の物理キャリアから特定され得、仮想キャリアがマッピングされる物理キャリアの１つの各々についてのチャネル品質情報（ＣＱＩ）と、第１のデバイスにより実行されたＣＣＡが成功した少なくとも１つの追加の物理キャリアとが、第１のデバイスに送信され得る。いくつかの場合、第２のデバイスにおいて第１のデバイスからシグナリングが受信され得、仮想キャリアがマッピングされる物理キャリアの１つと、第１のデバイスにより実行されたＣＣＡが成功した少なくとも１つの追加の物理キャリアとが、第１のデバイスからのシグナリングに基づいて第２のデバイスによって特定され得る。いくつかの場合、第２のデバイスにおいて第１のデバイスからビットマップが受信され得る。仮想キャリアがマッピングされる物理キャリアの１つと、第１のデバイスにより実行されたＣＣＡが成功した少なくとも１つの追加の物理キャリアとが、第１のデバイスからのビットマップに基づいて第２のデバイスによって特定され得る。
【００２１】
[0021]いくつかの例では、ワイヤレスデータ送信のＰＵＣＣＨは、物理キャリアの特定された１つのインターレースされたリソースブロックを通じて第１のデバイスによって送信され得る。
【００２２】
[0022]例示的な実施形態の少なくとも第２のセットによれば、ワイヤレス通信のための装置は、第１のデバイスにより実行されたクリアチャネルアセスメント（ＣＣＡ）と関連付けられる複数の物理キャリアから、第１のデバイスにより実行されたＣＣＡが成功した物理キャリアの１つを特定するための手段と、第１のデバイスによるワイヤレスデータ送信と関連付けられる仮想キャリアを物理キャリアの特定された１つにマッピングするための手段とを含み得る。
【００２３】
[0023]いくつかの例では、装置は、例示的な実施形態の第１のセットの方法に関して上で説明された１つまたは複数の態様を実装するための手段を含み得る。
【００２４】
[0024]例示的な実施形態の少なくとも第３のセットによれば、ワイヤレス通信のための装置は、プロセッサと、プロセッサと電気的に通信しているメモリと、メモリに記憶された命令とを含み得る。この命令は、第１のデバイスにより実行されたクリアチャネルアセスメント（ＣＣＡ）と関連付けられる複数の物理キャリアから、第１のデバイスにより実行されたＣＣＡが成功した物理キャリアの１つを特定し、第１のデバイスによるワイヤレスデータ送信と関連付けられる仮想キャリアを物理キャリアの特定された１つにマッピングするように、プロセッサによって実行可能であり得る。
【００２５】
[0025]いくつかの例では、命令は、例示的な実施形態の第１のセットの方法に関して上で説明された１つまたは複数の態様を実装するように、プロセッサによってさらに実行可能であり得る。
【００２６】
[0026]例示的な実施形態の少なくとも第４のセットによれば、ワイヤレス通信のためのコンピュータプログラム製品は、第１のデバイスにより実行されたクリアチャネルアセスメント（ＣＣＡ）と関連付けられる複数の物理キャリアから、第１のデバイスにより実行されたＣＣＡが成功した物理キャリアの１つを特定し、第１のデバイスによるワイヤレスデータ送信と関連付けられる仮想キャリアを物理キャリアの特定された１つにマッピングするようにプロセッサによって実行可能な命令を記憶した、非一時的コンピュータ可読媒体を含み得る。
【００２７】
[0027]いくつかの例では、命令は、例示的な実施形態の第１のセットの方法に関して上で説明された１つまたは複数の態様を実装するように、プロセッサによってさらに実行可能であり得る。
【００２８】
[0028]説明される方法および装置の適用可能性のさらなる範囲は、以下の発明を実施するための形態、特許請求の範囲、および図面から明らかになろう。説明の趣旨および範囲内の様々な変更および改変が当業者には明らかになるので、発明を実施するための形態および具体的な例は、例示として与えられるものにすぎない。
【００２９】
[0029]以下の図面を参照することにより、本発明の性質および利点のさらなる理解が得られ得る。添付の図において、同様のコンポーネントまたは特徴は同じ参照ラベルを有し得る。さらに、同じタイプの様々なコンポーネントは、参照ラベルの後に、ダッシュと、同様のコンポーネントを区別する第２のラベルとを続けることによって区別され得る。本明細書で第１の参照ラベルだけが使用される場合、説明は、第２の参照ラベルにかかわらず、同一の第１の参照ラベルを有する同様のコンポーネントの任意の１つに適用可能である。
【図面の簡単な説明】
【００３０】
【図１】[0030]ワイヤレス通信システムのブロック図。
【図２Ａ】[0031]様々な実施形態による、免許不要帯域においてｌｏｎｇ  ｔｅｒｍ  ｅｖｏｌｕｔｉｏｎ（ＬＴＥ（登録商標））を使用するための展開シナリオの例を示す図。
【図２Ｂ】[0032]様々な実施形態による、免許不要帯域においてＬＴＥを使用するスタンドアロンモードの例を示す図。
【図３】[0033]免許不要フレーム／間隔、および、たとえばＬＴＥ無線フレームを含む周期的なフレーム構造に対するそれらの関係の様々な例を示す図。
【図４Ａ】[0034]様々な実施形態による、周期的なゲーティング構造波形の例を示す図。
【図４Ｂ】[0035]様々な実施形態による、Ｓ’サブフレームの中のクリアチャネルアセスメント（ＣＣＡ）スロットのための配置の選択肢の例を示す図。
【図５】[0036]ある数のワイヤレスアクセスポイントおよびＵＥがｅＮＢのカバレッジエリア内にあるワイヤレス通信システムのブロック図。
【図６】[0037]様々な実施形態による、Ｓ’サブフレームの例示的なフォーマットを示す図。
【図７】[0038]様々な実施形態による、１４個の直交周波数分割多重化（ＯＦＤＭ）シンボルを伴う周期的なゲーティング構造波形の例を示す図。
【図８】[0039]周波数帯域に沿った周波数バンド（すなわち、物理チャネル）の割振りを示す図。
【図９Ａ】[0040]様々な実施形態による、共有帯域において仮想キャリアを物理キャリアにマッピングするための様々な技法を示す図。
【図９Ｂ】様々な実施形態による、共有帯域において仮想キャリアを物理キャリアにマッピングするための様々な技法を示す図。
【図９Ｃ】様々な実施形態による、共有帯域において仮想キャリアを物理キャリアにマッピングするための様々な技法を示す図。
【図９Ｄ】様々な実施形態による、共有帯域において仮想キャリアを物理キャリアにマッピングするための様々な技法を示す図。
【図１０Ａ】[0041]様々な実施形態による、デバイス（たとえば、ｅＮＢまたはＵＥ）の例のブロック図。
【図１０Ｂ】様々な実施形態による、デバイス（たとえば、ｅＮＢまたはＵＥ）の例のブロック図。
【図１１】[0042]様々な実施形態による、送信デバイスにおいて使用可能なキャリア管理モジュールの例のブロック図。
【図１２】[0043]様々な実施形態による、受信デバイスに使用可能なキャリア管理モジュールおよびデータ受信モジュールの例のブロック図。
【図１３】[0044]様々な実施形態による、（構成に応じて）送信デバイスおよび／または受信デバイスに使用可能なキャリア管理モジュールおよびデータ送信／受信モジュールの例のブロック図。
【図１４】[0045]様々な実施形態による、ｅＮＢのブロック図。
【図１５】[0046]様々な実施形態による、ＵＥのブロック図。
【図１６】[0047]様々な実施形態による、多入力多出力（ＭＩＭＯ）通信システムの例を示すブロック図。
【図１７】[0048]様々な実施形態による、ワイヤレス通信のための方法の例のフローチャート。
【図１８】様々な実施形態による、ワイヤレス通信のための方法の例のフローチャート。
【図１９】様々な実施形態による、ワイヤレス通信のための方法の例のフローチャート。
【図２０】様々な実施形態による、ワイヤレス通信のための方法の例のフローチャート。
【図２１】様々な実施形態による、ワイヤレス通信のための方法の例のフローチャート。
【図２２】様々な実施形態による、ワイヤレス通信のための方法の例のフローチャート。
【図２３】様々な実施形態による、ワイヤレス通信のための方法の例のフローチャート。
【図２４】様々な実施形態による、ワイヤレス通信のための方法の例のフローチャート。
【図２５】様々な実施形態による、ワイヤレス通信のための方法の例のフローチャート。
【発明を実施するための形態】
【００３１】
[0049]送信デバイスが共有帯域のある数の物理キャリアへのアクセス権を争い、物理キャリアの数が、ワイヤレスデータ送信を行うために必要とされる物理キャリアの数よりも多い、方法、システム、装置、およびデバイスが説明される。このようにして、送信デバイスは、いくつかの場合には、物理キャリアの１つまたは複数へのアクセス権を争うときに別のデバイスに負けることがあるが、それでもワイヤレスデータ送信を行うのに十分な物理キャリアへのアクセス権を得ることができる。より具体的には、送信デバイスは、それへのアクセス権を送信デバイスが得ることができるある数の物理キャリアを特定し、それへのアクセス権を送信デバイスが得ることができるその数の物理キャリアへのデータ送信を行うために必要とされる、ある数の仮想キャリアをマッピングすることができる。送信デバイスが必要としない物理キャリアは解放され得る。受信デバイスにおいて、送信デバイスによって使用される仮想キャリアから物理キャリアへのマッピングは、いくつかの場合には暗黙的であり得、受信デバイスによって動的に決定され得る。
【００３２】
[0050]いくつかの場合、本明細書で説明される方法、システム、装置、およびデバイスは、共有免許不要帯域（たとえば、ＷｉＦｉ通信のために通常は使用されるＷＬＡＮ帯域）にアクセスするためのより良好な機会を、セルラーネットワークの事業者（たとえば、Ｌｏｎｇ  Ｔｅｒｍ  Ｅｖｏｌｕｔｉｏｎ（ＬＴＥ（登録商標））またはＬＴＥ−Ａｄｖａｎｃｅｄ（ＬＴＥ−Ａ）通信ネットワークの事業者）に提供することができる。他の場合には、本明細書で説明される方法、システム、装置、およびデバイスは、共有免許帯域にアクセスするためのより良好な機会をセルラーネットワークの事業者に提供することができる。
【００３３】
[0051]本明細書で説明される技法は、ＬＴＥに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」と「ネットワーク」という用語は、しばしば互換的に使用される。ＣＤＭＡシステムは、ＣＤＭＡ２０００、Universal Terrestrial Radio Access（ＵＴＲＡ）などの無線技術を実装し得る。ＣＤＭＡ２０００は、ＩＳ−２０００、ＩＳ−９５およびＩＳ−８５６規格を包含する。ＩＳ−２０００  Ｒｅｌｅａｓｅ  ０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、High Rate Packet Data（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Global System for Mobile Communication（ＧＳＭ（登録商標））などの無線技術を実装し得る。ＯＦＤＭＡシステムは、Ultra Mobile Broadband（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Universal Mobile Telecommunication System（ＵＭＴＳ）の一部である。ＬＴＥおよびＬＴＥ  Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「3rd Generation Partnership Project」（３ＧＰＰ（登録商標））という名称の組織からの文書に記載されている。ＣＤＭＡ２０００およびＵＭＢは、「3rd Generation Partnership Project 2」（３ＧＰＰ２）という名称の組織からの文書で説明されている。本明細書で説明される技法は、上記のシステムおよび無線技術、ならびに他のシステムおよび無線技術に使用され得る。しかしながら、以下の説明は、例としてＬＴＥシステムを説明し、以下の説明の大部分においてＬＴＥ用語が使用されるが、本技法はＬＴＥ適用例以外に適用可能である。
【００３４】
[0052]本説明および添付の特許請求の範囲において使用される場合、「仮想キャリア」という用語は、１つまたは複数の物理キャリアの可変のセットを通じて送信されるデータの符号化および復号の間の、物理キャリアのためのプロキシを指す。
【００３５】
[0053]以下の説明は例を与えるものであり、特許請求の範囲に記載される範囲、適用可能性、または構成を限定するものではない。本開示の趣旨および範囲から逸脱することなく、説明される要素の機能および配置に関して変更が行われ得る。様々な実施形態は、適宜、様々な手順またはコンポーネントを省略し、置換し、または追加することができる。たとえば、説明される方法は、説明される順序と異なる順序で実行されてもよく、様々なステップが追加され、省略され、または組み合わされてもよい。また、いくつかの実施形態に関して説明される特徴が、他の実施形態では組み合わされてもよい。
【００３６】
[0054]最初に図１を参照すると、図はワイヤレス通信システム１００の例を示している。システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５のいくつかは、様々な実施形態ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５のいくつかは、バックホール１３２を通じてコアネットワーク１３０と制御情報および／またはユーザデータを通信し得る。いくつかの実施形態では、アクセスポイント１０５のいくつかは、有線またはワイヤレス通信リンクであり得るバックホールリンク１３４を通じて、互いに直接または間接的に通信し得る。システム１００は、複数のキャリア（異なる周波数の波形信号）上での動作をサポートし得る。マルチキャリア送信機は、複数のキャリア上で同時に、変調された信号を送信することができる。たとえば、各通信リンク１２５は、様々な無線技術に従って変調されたマルチキャリア信号であり得る。各々の変調された信号は、異なるキャリア上で送られ得、制御情報（たとえば、参照信号、制御チャネルなど）、オーバーヘッド情報、データなどを搬送することができる。
【００３７】
[0055]アクセスポイント１０５は、１つまたは複数のアクセスポイントアンテナを介してＵＥ１１５とワイヤレスに通信し得る。アクセスポイント１０５の各々は、それぞれのカバレッジエリア１１０のための通信カバレッジを与え得る。いくつかの実施形態では、アクセスポイント１０５は、基地局、基地局装置（ＢＴＳ）、無線基地局、無線送受信機、基本サービスセット（ＢＳＳ）、拡張サービスセット（ＥＳＳ）、ＮｏｄｅＢ、ｅｖｏｌｖｅｄ  ＮｏｄｅＢ（ｅＮＢ）、Ｈｏｍｅ  ＮｏｄｅＢ、Ｈｏｍｅ  ｅＮｏｄｅＢ、ＷＬＡＮアクセスポイント、ＷｉＦｉノード、または何らかの他の好適な用語で呼ばれることがある。アクセスポイントのためのカバレッジエリア１１０は、カバレッジエリアの一部分のみを構成するセクタ（図示せず）に分割され得る。システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術のような、異なる無線技術を利用し得る。アクセスポイント１０５は、同じまたは異なるアクセスネットワークもしくは事業者展開と関連付けられ得る。同じもしくは異なるタイプのアクセスポイント１０５のカバレッジエリアを含み、同じもしくは異なる無線技術を利用し、ならびに／または、同じもしくは異なるアクセスネットワークに属する、異なるアクセスポイント１０５のカバレッジエリアは重複することがある。
【００３８】
[0056]いくつかの実施形態では、システム１００はＬＴＥ／ＬＴＥ−Ａ通信システム（またはネットワーク）を含んでよく、このＬＴＥ／ＬＴＥ−Ａ通信システムは、共有帯域および／または免許不要帯域におけるＬＴＥ／ＬＴＥ−Ａ通信のための動作または展開シナリオの１つまたは複数のモードをサポートすることができる。他の実施形態では、システム１００は、免許不要帯域とＬＴＥ／ＬＴＥ−Ａとは異なるアクセス技術とを使用して、または、免許帯域とＬＴＥ／ＬＴＥ−Ａと異なるアクセス技術とを使用して、ワイヤレス通信をサポートすることができる。ＬＴＥ／ＬＴＥ−Ａ通信システムでは、ｅｖｏｌｖｅｄ  ＮｏｄｅＢまたはｅＮＢという用語は一般に、アクセスポイント１０５を表すために使用され得る。システム１００は、異なるタイプのｅＮＢが様々な地理的領域のためのカバレッジを与える、異種ネットワークであり得る。たとえば、各ｅＮＢ１０５は、マクロセル、ピコセル、フェムトセル、および／または他のタイプのセルのための通信カバレッジを与え得る。ピコセル、フェムトセル、および／または他のタイプのセルなどのスモールセルは、低電力ノードまたはＬＰＮを含み得る。マクロセルは一般に、比較的大きい地理的エリア（たとえば、半径数キロメートル）をカバーし、サービスに加入しているＵＥによるネットワークプロバイダとの無制限アクセスを可能にし得る。ピコセルは一般に、比較的小さい地理的エリアをカバーし、ネットワークプロバイダのサービスに加入しているＵＥによる無制限アクセスを可能にし得る。また、フェムトセルは一般に、比較的小さい地理的エリア（たとえば、自宅）をカバーし、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスも提供し得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数の（たとえば、２つ、３つ、４つなどの）セルをサポートし得る。
【００３９】
[0057]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介して、および／またはバックホール１３２を介して（たとえば、コアネットワーク１３０を通じて）、直接または間接的に互いに通信し得る。ワイヤレス通信システム１００は、同期動作または非同期動作をサポートし得る。同期動作の場合、ｅＮＢは同様のフレームタイミングおよび／またはゲーティングタイミングを有し得、異なるｅＮＢからの送信は時間的にほぼアライメントされ得る。非同期動作の場合、ｅＮＢは異なるフレームタイミングおよび／またはゲーティングタイミングを有し得、異なるｅＮＢからの伝送は時間的にアライメントされないことがある。本明細書で説明される技法は、同期動作または非同期動作のいずれにも使用され得る。
【００４０】
[0058]ＵＥ１１５は、ワイヤレス通信システム１００全体にわたって分散され得、各ＵＥ１１５は固定式または移動式であり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークのような、異なるアクセスネットワーク上で通信することが可能であり得る。
【００４１】
[0059]システム１００に示された通信リンク１２５は、（たとえば、ＵＥ１１５からｅＮＢ１０５への）アップリンク（ＵＬ）送信を搬送するためのアップリンク、および／または（たとえば、ｅＮＢ１０５からＵＥ１１５への）ダウンリンク（ＤＬ）送信を搬送するためのダウンリンクを含み得る。ＵＬ送信は逆方向リンク送信と呼ばれることもあり、一方、ＤＬ送信は順方向リンク送信と呼ばれることもある。ダウンリンク送信は、免許帯域（たとえば、ＬＴＥ）、免許不要帯域（たとえば、ＷＬＡＮ帯域）、または両方を使用して行われ得る。同様に、アップリンク送信は、免許帯域（たとえば、ＬＴＥ）、免許不要帯域（たとえば、ＷＬＡＮ帯域）、または両方を使用して行われ得る。
【００４２】
[0060]システム１００のいくつかの実施形態では、免許帯域におけるＬＴＥダウンリンク容量が免許不要帯域にオフロードされ得る補助ダウンリンクモードと、ＬＴＥダウンリンク容量とＬＴＥアップリンク容量の両方が免許帯域から免許不要帯域にオフロードされ得るキャリアアグリゲーションモードと、基地局（たとえば、ｅＮＢ）とＵＥとの間のＬＴＥダウンリンク通信およびＬＴＥアップリンク通信が免許不要帯域において行われ得るスタンドアロンモードとを含む、免許不要帯域または共有帯域におけるＬＴＥ／ＬＴＥ−Ａ通信のための様々な展開シナリオがサポートされ得る。基地局またはｅＮＢ１０５、ならびにＵＥ１１５は、これらまたは同様の動作モードの１つまたは複数をサポートし得る。ＯＦＤＭＡ通信信号は、免許不要帯域および／または免許帯域におけるＬＴＥダウンリンク送信のために通信リンク１２５において使用され得、一方、ＳＣ−ＦＤＭＡ通信信号は、免許不要帯域および／または免許帯域におけるＬＴＥアップリンク送信のために通信リンク１２５において使用され得る。
【００４３】
[0061]次に図２Ａを参照すると、ワイヤレス通信システム２００は、免許不要帯域または共有帯域においてＬＴＥ／ＬＴＥ−Ａ通信をサポートするＬＴＥネットワークのための補助ダウンリンクモードおよびキャリアアグリゲーションモードの例を示す。システム２００は、図１のシステム１００の部分の例であり得る。その上、基地局２０５は図１の基地局１０５の例であり得、一方、ＵＥ２１５、２１５−ａ、および２１５−ｂは図１のＵＥ１１５の例であり得る。
【００４４】
[0062]システム２００における補助ダウンリンクモードの例では、基地局２０５は、ダウンリンク２２０を使用してＵＥ２１５にＯＦＤＭＡ通信信号を送信し得る。ダウンリンク２２０は、免許不要帯域の中の周波数Ｆ１と関連付けられ得る。基地局２０５は、双方向リンク２２５を使用してＯＦＤＭＡ通信信号を同じＵＥ２１５に送信することができ、双方向リンク２２５を使用してＳＣ−ＦＤＭＡ通信信号をそのＵＥ２１５から受信することができる。双方向リンク２２５は、免許帯域における周波数Ｆ４と関連付けられ得る。免許不要帯域の中のダウンリンク２２０および免許帯域の中の双方向リンク２２５は、同時に動作し得る。ダウンリンク２２０は、基地局２０５のためにダウンリンク容量のオフロードを提供し得る。いくつかの実施形態では、ダウンリンク２２０は、ユニキャストサービス（たとえば、１つのＵＥへ宛てられる）のサービスのために、またはマルチキャストサービス（たとえば、いくつかのＵＥへ宛てられる）のために使用され得る。このシナリオは、免許帯域を使用し、トラフィックおよび／またはシグナリングの混雑の一部を緩和する必要がある、任意のサービス提供者（たとえば、従来のモバイルネットワーク事業者すなわちＭＮＯ）に関して生じ得る。
【００４５】
[0063]システム２００におけるキャリアアグリゲーションモードの一例では、基地局２０５は、双方向リンク２３０を使用してＵＥ２１５−ａにＯＦＤＭＡ通信信号を送信することができ、双方向リンク２３０を使用して同じＵＥ２１５−ａからＳＣ−ＦＤＭＡ通信信号を受信することができる。双方向リンク２３０は、免許不要帯域における周波数Ｆ１と関連付けられ得る。基地局２０５はまた、双方向リンク２３５を使用してＯＦＤＭＡ通信信号を同じＵＥ２１５−ａへ送信することができ、双方向リンク２３５を使用してＳＣ−ＦＤＭＡ通信信号を同じＵＥ２１５−ａから受信することができる。双方向リンク２３５は、免許帯域における周波数Ｆ２と関連付けられ得る。双方向リンク２３０は、基地局２０５のためにダウンリンク容量およびアップリンク容量のオフロードを提供し得る。上で説明された補助ダウンリンクのように、このシナリオは、免許帯域を使用し、トラフィックおよび／またはシグナリングの混雑の一部を緩和する必要がある、任意のサービス提供者（たとえば、ＭＮＯ）に関して生じ得る。
【００４６】
[0064]システム２００におけるキャリアアグリゲーションモードの別の例では、基地局２０５は、双方向リンク２４０を使用してＵＥ２１５−ｂにＯＦＤＭＡ通信信号を送信することができ、双方向リンク２４０を使用して同じＵＥ２１５−ｂからＳＣ−ＦＤＭＡ通信信号を受信することができる。双方向リンク２４０は、免許不要帯域における周波数Ｆ３と関連付けられ得る。基地局２０５はまた、双方向リンク２４５を使用してＯＦＤＭＡ通信信号を同じＵＥ２１５−ｂへ送信することができ、双方向リンク２４５を使用してＳＣ−ＦＤＭＡ通信信号を同じＵＥ２１５−ｂから受信することができる。双方向リンク２４５は、免許帯域における周波数Ｆ２と関連付けられ得る。双方向リンク２４０は、基地局２０５のためにダウンリンク容量およびアップリンク容量のオフロードを提供し得る。この例および上で与えられた例は、説明を目的に提示され、容量のオフロードのために免許帯域と免許不要帯域の両方においてＬＴＥ通信を組み合わせる他の同様の動作モードまたは展開シナリオが存在し得る。
【００４７】
[0065]上で説明されたように、免許不要バンドの中でＬＴＥ／ＬＴＥ−Ａを使用することによって提供される容量オフロードから利益を得ることができる典型的なサービス提供者は、ＬＴＥ帯域を用いる従来のＭＮＯである。これらのサービス提供者の場合、動作構成は、免許帯域上のＬＴＥ一次コンポーネントキャリア（ＰＣＣ）と免許不要帯域上のＬＴＥ二次コンポーネントキャリア（ＳＣＣ）とを使用するブートストラップモード（たとえば、補足ダウンリンク、キャリアアグリゲーション）を含み得る。
【００４８】
[0066]キャリアアグリゲーションモードでは、データおよび制御は一般に、免許帯域（たとえば、双方向リンク２２５、２３５、および２４５）を通じてＬＴＥ／ＬＴＥ−Ａで通信され得るが、一方、データは一般に、免許不要帯域または共有帯域を通じてＬＴＥ／ＬＴＥ−Ａで通信され得る。免許不要帯域または共有帯域を通じてＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに含まれ得る。
【００４９】
[0067]図２Ｂは、免許不要帯域または共有帯域におけるＬＴＥ／ＬＴＥ−Ａ通信のためのスタンドアロンモードの例を示すワイヤレス通信システム２５０を示す。システム２５０は、図１のシステム１００の部分の例であり得る。その上、基地局２０５は、図１および／または図２Ａを参照して説明された基地局１０５および／または２０５の例であり得、一方、ＵＥ２１５−ｃは、図１および／または図２ＡのＵＥ１１５および／または２１５の例であり得る。
【００５０】
[0068]システム２５０におけるスタンドアロンモードの例では、基地局２０５は、双方向リンク２５５を使用してＵＥ２１５−ｃにＯＦＤＭＡ通信信号を送信することができ、双方向リンク２５５を使用してＵＥ２１５−ｃからＳＣ−ＦＤＭＡ通信信号を受信することができる。双方向リンク２５５は、図２Ａを参照して上で説明された免許不要帯域の中の周波数Ｆ３と関連付けられ得る。スタンドアロンモードは、スタジアム内でのアクセス（たとえば、ユニキャスト、マルチキャスト）のような、非従来型のワイヤレスアクセスのシナリオにおいて使用され得る。この動作モードの典型的なサービス提供者は、免許帯域を有しないスタジアムの所有者、ケーブル会社、イベント主催者、ホテル、企業、または大会社であり得る。
【００５１】
[0069]いくつかの実施形態では、図１、図２Ａ、および／もしくは図２Ｂを参照して説明されたｅＮＢ１０５および／もしくは２０５、または、図１、図２Ａ、および／もしくは図２Ｂを参照して説明されたＵＥ１１５および／もしくは２１５のような送信デバイスは、共有帯域のチャネルへの（たとえば、免許帯域または免許不要帯域の物理チャネルへの）アクセス権を得るためにゲーティング間隔を使用することができる。ゲーティング間隔は、ＥＴＳＩ（ＥＮ３０１  ８９３）において指定されているＬＢＴプロトコルに基づくリスンビフォートーク（ＬＢＴ：Listen Before Talk）のような、コンテンションベースプロトコルの適用を定め得る。ＬＢＴプロトコルの適用を定めるゲーティング間隔を使用するとき、ゲーティング間隔は、送信デバイスがクリアチャネルアセスメント（ＣＣＡ）を実行する必要があるときを示し得る。ＣＣＡの結果は、共有帯域のチャネルが利用可能であるか、または使用中であるかを送信デバイスに示すことができる。チャネルが利用可能である（たとえば、使用のために「クリア」である）ことをＣＣＡが示すとき、ゲーティング間隔は、通常はあらかじめ定められた送信間隔の間、送信デバイスがチャネルを使用することを許可し得る。チャネルが利用可能ではない（たとえば、使用中または予約済みである）ことをＣＣＡが示すとき、ゲーティング間隔は、送信デバイスが送信間隔の間にチャネルを使用するのを防ぎ得る。
【００５２】
[0070]いくつかの場合、送信デバイスが、周期的にゲーティング間隔を生成し、周期的なフレーム構造の少なくとも１つの境界とゲーティング間隔の少なくとも１つの境界を同期させることが有用であり得る。たとえば、共有帯域においてセルラーダウンリンクのための周期的なゲーティング間隔を生成し、セルラーダウンリンクと関連付けられる周期的なフレーム構造（たとえば、ＬＴＥ／ＬＴＥ−Ａ無線フレーム）の少なくとも１つの境界と周期的なゲーティング間隔の少なくとも１つの境界を同期させることが有用であり得る。そのような同期の例が図３に示される。
【００５３】
[0071]図３は、免許不要帯域におけるセルラーダウンリンクのための免許不要フレーム／間隔３０５、３１５、および／または３２５の例３００を示す。免許不要フレーム／間隔３０５、３１５、および／または３２５は、免許不要帯域（たとえば、ＷＬＡＮ帯域）を通じたＬＴＥ／ＬＴＥ−Ａ送信をサポートするｅＮＢによって周期的なゲーティング間隔として使用され得る。そのようなｅＮＢの例は、図１、図２Ａ、および／または図２Ｂを参照して説明された、アクセスポイント１０５および／またはｅＮＢ２０５であり得る。免許不要フレーム／間隔３０５、３１５、および／または３２５は、図１、図２Ａ、および／または図２Ｂを参照して説明されたシステム１００、２００、および／または２５０とともに使用され得る。
【００５４】
[0072]例として、免許不要フレーム／間隔３０５の持続時間は、セルラーダウンリンクと関連付けられる周期的なフレーム構造のＬＴＥ／ＬＴＥ−Ａ無線フレーム３１０の持続時間に等しい（またはそれにほぼ等しい）ものとして示されている。いくつかの実施形態では、「ほぼ等しい」は、免許不要フレーム／間隔３０５の持続時間が周期的なフレーム構造の持続時間のサイクリックプレフィックス（ＣＰ）持続時間内にあることを意味する。
【００５５】
[0073]免許不要フレーム／間隔３０５の少なくとも１つの境界は、ＬＴＥ／ＬＴＥ−Ａ無線フレームＮ−１〜Ｎ＋１を含む周期的なフレーム構造の少なくとも１つの境界と同期され得る。いくつかの場合、免許不要フレーム／間隔３０５は、周期的なフレーム構造のフレーム境界とアライメントされた境界を有し得る。他の場合には、免許不要フレーム／間隔３０５は、周期的なフレーム構造のフレーム境界と同期されているがそれからオフセットされている境界を有し得る。たとえば、免許不要フレーム／間隔３０５の境界は、周期的なフレーム構造のサブフレーム境界とアライメントされ得、または周期的なフレーム構造のサブフレーム中間点境界（たとえば、特定のサブフレームの中間点）とアライメントされ得る。
【００５６】
[0074]いくつかの場合、周期的なフレーム構造は、ＬＴＥ／ＬＴＥ−Ａ無線フレームＮ−１〜Ｎ＋１を含み得る。各ＬＴＥ／ＬＴＥ−Ａ無線フレーム３１０は、たとえば１０ミリ秒の持続時間を有し得、免許不要フレーム／間隔３０５も、１０ミリ秒の持続時間を有し得る。これらの場合、免許不要フレーム／間隔３０５の境界は、ＬＴＥ／ＬＴＥ−Ａ無線フレームの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００５７】
[0075]例として、免許不要フレーム／間隔３１５および３２５の持続時間は、セルラーダウンリンクと関連付けられる周期的なフレーム構造の持続時間の約数（またはそのほぼ約数）であるものとして示されている。いくつかの実施形態では、「〜のほぼ約数」は、免許不要フレーム／間隔３１５、３２５の持続時間が周期的なフレーム構造の約数（たとえば、１／２または１／１０）の持続時間のサイクリックプレフィックス（ＣＰ）持続時間内にあることを意味する。たとえば、免許不要フレーム／間隔３１５は、５ミリ秒の持続時間を有し得、免許不要フレーム／間隔３２５は、１または２ミリ秒の持続時間を有し得る。
【００５８】
[0076]図４Ａは、免許不要帯域におけるセルラーダウンリンクのための周期的なゲーティング間隔４０５の例４００を示す。周期的なゲーティング間隔４０５は、免許不要帯域または共有帯域を通じたＬＴＥ／ＬＴＥ−Ａ通信をサポートするｅＮＢによって使用され得る。そのようなｅＮＢの例は、図１、図２Ａ、および／または図２Ｂを参照して説明された、ｅＮＢ１０５および２０５であり得る。周期的なゲーティング間隔４０５はまた、図１、図２Ａ、および／または図２Ｂのシステム１００、２００、および／または２５０とともに使用され得る。
【００５９】
[0077]例として、周期的なゲーティング間隔４０５の持続時間は、セルラーダウンリンクと関連付けられる周期的なフレーム構造４１０の持続時間に等しい（またはほぼ等しい）ように示されている。周期的なゲーティング間隔４０５の境界は、周期的なフレーム構造４１０の境界と同期され得る（たとえば、それとアライメントされ得る）。
【００６０】
[0078]周期的なフレーム構造４１０は、１０個のサブフレーム（たとえば、ＳＦ０、ＳＦ１、．．．ＳＦ９）を有するＬＴＥ／ＬＴＥ−Ａ無線フレームを含み得る。サブフレームＳＦ０〜ＳＦ８は、ダウンリンク（Ｄ）サブフレーム４１５であり得、サブフレームＳＦ９は、特別な（Ｓ’）サブフレーム４２０であり得る。Ｄサブフレーム４１５は、ＬＴＥ無線フレームのチャネル占有時間を集合的に定義することができ、Ｓ’サブフレーム４２０の少なくとも一部は、チャネルアイドル時間を定義することができる。現在のＬＴＥ／ＬＴＥ−Ａ規格の下では、ＬＴＥ／ＬＴＥ−Ａ無線フレームは、１ミリ秒と９．５ミリ秒との間の最大チャネル占有時間（オン時間）を有し、チャネル占有時間の５パーセント（たとえば、最低５０マイクロ秒）の最小チャネルアイドル時間（オフ時間）を有し得る。ＬＴＥ／ＬＴＥ−Ａ規格への適合を保証するために、周期的なゲーティング間隔４０５は、Ｓ’サブフレーム４２０の一部として０．５ミリ秒のガード期間（すなわち、オフ時間）を与えることによって、ＬＴＥ／ＬＴＥ−Ａ規格のこれらの要件に準拠することができる。
【００６１】
[0079]Ｓ’サブフレーム４２０は、１ミリ秒の持続時間を有するので、免許不要帯域の特定の物理チャネルをめぐって争う送信デバイスがＣＣＡを実行できる、１つまたは複数のＣＣＡスロットまたはウィンドウ４２５を含み得る。物理チャネルが利用可能であるが、周期的なゲーティング間隔４０５の終了の前にデバイスのＣＣＡが完了したことを送信デバイスのＣＣＡが示すとき、デバイスは、周期的なゲーティング間隔４０５の終了までチャネルを予約するために１つまたは複数の信号を送信し得る。いくつかの場合、１つまたは複数の信号は、チャネル使用ビーコン信号（ＣＵＢＳ）４３０および／またはセル固有参照信号（ＣＲＳ）を含み得る。本開示および添付の特許請求の範囲において使用される場合、「チャネル使用パイロット信号（ＣＵＰＳ）」および「チャネル使用ビーコン信号（ＣＵＢＳ）」という用語は相互に交換可能である。ＣＵＢＳ４３０および／またはＣＲＳは、チャネル同期とチャネル予約の両方のために使用され得る。すなわち、別のデバイスがチャネル上でＣＵＢＳを送信し始めた後にチャネルのためにＣＣＡを実行するデバイスは、ＣＵＢＳ４３０のエネルギーを検出し、チャネルが現在利用不可能であると決定することができる。
【００６２】
[0080]送信デバイスが、物理チャネルのためのＣＣＡおよび／または物理チャネルを通じたＣＵＢＳ４３０の送信の完了に成功した後で、送信デバイスは、波形（たとえば、物理キャリアと関連付けられるＬＴＥベースの波形４３５）を送信するために、最長で所定の時間の期間（たとえば、１つのＬＴＥ／ＬＴＥ−Ａ無線フレーム）、物理チャネルを使用することができる。
【００６３】
[0081]図４Ｂは、図４Ａを参照して説明された１０ミリ秒の周期的なゲーティング間隔４０５のＳ’サブフレームのようなゲーティング間隔のＳ’サブフレーム４５０内で、ＬＢＴのようなコンテンションベースのプロトコルがどのように実装され得るかを示す。コンテンションベースのプロトコルは、たとえば、図１、図２Ａ、および／または図２Ｂを参照して説明される、システム１００、２００、および／もしくは２５０、アクセスポイントもしくはｅＮＢ１０５および／もしくは２０５、ならびに／または、ＵＥ１１５および／もしくは２１５とともに使用され得る。
【００６４】
[0082]Ｓ’サブフレーム４５０は、ガード期間（またはサイレント期間）４５５とＣＣＡ期間４６０とを有し得る。例として、ガード期間４５５およびＣＣＡ期間４６０の各々は、０．５ミリ秒という持続時間を有し、７個のＯＦＤＭシンボル位置４６５（図４Ｂではスロット１から７として標識される）を含み得る。いくつかの場合、ｅＮＢは、免許不要帯域の後続の送信間隔のためのＣＣＡ４７０を実行して、免許不要帯域のその送信間隔がその送信間隔の間の送信に利用可能かどうかを決定するために、ＯＦＤＭシンボル位置４６５の１つまたは複数を選択することができる。いくつかの場合、ＯＦＤＭシンボル位置４６５の異なる１つが、Ｓ’サブフレーム４５０の異なる発生において（すなわち、免許不要帯域の異なる送信間隔にＣＣＡ４７０を実行するために使用される異なるＳ’サブフレームにおいて）、擬似ランダムに特定または選択され得る。ＯＦＤＭシンボル位置の擬似ランダムな特定または選択は、ホッピングシーケンスを使用して制御され得る。
【００６５】
[0083]ワイヤレス通信システムのｅＮＢは、同じまたは異なる事業者によって運用され得る。いくつかの実施形態では、異なる事業者によって運用されるｅＮＢは、特定のＳ’サブフレーム４５０の中のＯＦＤＭシンボル位置４６５の異なる１つを選択することができ、これによって異なる事業者間でのＣＣＡの競合を避ける。異なる事業者の擬似ランダムな選択機構が協調する場合、ＯＦＤＭシンボル位置４６５は、異なる事業者のｅＮＢが各々、いくつかの送信間隔に対する最早のＯＦＤＭシンボル位置（すなわち、スロット１）においてＣＣＡ４７０を実行するための等しい機会を有するように、複数の異なる事業者によって擬似ランダムに選択され得る。したがって、経時的に、異なる事業者のｅＮＢは各々、他の事業者のｅＮＢの需要とは無関係に、まずＣＣＡ４７０を実行して免許不要帯域の送信間隔へのアクセス権を得るための機会を有し得る。ＣＣＡ４７０の成功の後で、ｅＮＢは、他のデバイスおよび／または事業者が免許不要帯域の送信間隔の１つまたは複数の物理チャネルを使用するのを防ぐために、ＣＵＢＳを送信することができる。
【００６６】
[0084]図５は、いくつかのワイヤレスアクセスポイント（たとえば、ＷｉＦｉノード）５３５およびＵＥ５１５がｅＮＢ５０５のカバレッジエリア５１０内にあるワイヤレス通信システム５００を示す。いくつかの例では、ｅＮＢ５０５、ＵＥ５１５、および／またはワイヤレスアクセスポイント５３５は、図１、図２Ａ、および／または図２Ｂを参照して説明されたｅＮＢ１０５および／もしくは２０５、ＵＥ１１５および／もしくは２１５、ならびに／またはワイヤレスアクセスポイント１０５の１つまたは複数の態様のそれぞれの例であり得る。
【００６７】
[0085]ｅＮＢ５０５およびＵＥ５１５は、免許帯域（たとえば、ＬＴＥ／ＬＴＥ−Ａ帯域）の中の双方向リンク５２０と、免許不要帯域（たとえば、免許不要帯域におけるＬＴＥ／ＬＴＥ−Ａ）の中の双方向リンク５２５のいずれかまたは両方を使用して、免許帯域または免許不要帯域を通じて互いに通信することができる。そのような通信は、図２Ａを参照して上で説明されたキャリアアグリゲーションシナリオの例であり得る。
【００６８】
[0086]免許不要帯域の中の双方向リンク５２５へのアクセス権を予約しようと試みるとき、ｅＮＢ５０５とＵＥ５１５の両方が、免許不要帯域の利用可能性を決定するためにＣＣＡを実行し得る。いくつかの場合、ｅＮＢ５０５とＵＥ５１５の両方が、ワイヤレスアクセスポイント５４０、および／またはｅＮＢ５０５のカバレッジエリア５１０の外側にあるがＵＥ５１５の範囲内にある他の潜在的な送信デバイスの存在を考慮するために、ＣＣＡを実行することができる。そのようなワイヤレスアクセスポイント５４０は「隠されたノード」と呼ばれることがあり、それは、それらの存在がｅＮＢ５０５には知られておらず、ｅＮＢ５０５から隠されていることがあるからである。したがって、ワイヤレスアクセスポイント５４０の潜在的な送信を発見するためにＣＣＡを実行するＵＥ５１５がない場合、ｅＮＢ５０５は、隠されたワイヤレスアクセスポイント５４０が実際にはＵＥ５１５の近傍の１つまたは複数のデバイスとの通信のために免許不要帯域をすでに予約しているときに、免許不要帯域が特定の送信間隔において利用可能であると決定し得る。
【００６９】
[0087]図６は、Ｓ’サブフレーム６００の例示的なフォーマットを示す。いくつかの実施形態では、Ｓ’サブフレーム６００は、図４Ａおよび／または図４Ｂを参照して説明されたＳ’サブフレーム４２０および／または４５０の代替的な例であり得る。Ｓ’サブフレーム６００は、サイレント期間６１０と、ある数の（たとえば、７つの）ｅＮＢ  ＣＣＡスロット６１５と、ｅＮＢ送信期間６２０と、ＵＥ  ＣＣＡスロット６２５と、ある数の（たとえば、３つの）第２の波形スロット６３０と、ＵＥ送信期間６３５と、部分チャネル使用ビーコンシンボル（ＰＣＵＢＳ）送信期間６４０とを含み得る。いくつかの場合、Ｓ’サブフレーム６００は、図４Ａを参照して説明された周期的なゲーティング間隔４０５のような１０ミリ秒のフレームまたはゲーティング構造とともに使用され、１ミリ秒の持続時間を有し得る。
【００７０】
[0088]サイレント期間６１０は、始めまたは終わりのような、Ｓ’サブフレーム６００中の様々な点に存在し得、いくつかの場合、２つ以上のサイレント期間に分割され得る。例として、サイレント期間６１０がＳ’サブフレーム６００の始めに存在するものとして示されている。サイレント期間６１０は、ＬＴＥ規格のチャネル占有要件への適合を可能にする。いくつかの事例では、サイレント期間６１０は、４７５マイクロ秒の最小持続時間を有し得る。
【００７１】
[0089]免許不要帯域の利用可能性を決定するためにＣＣＡを実行するために、ｅＮＢによって、ｅＮＢ  ＣＣＡスロット６１５の１つが擬似ランダムに選択され得る。ｅＮＢ  ＣＣＡスロット６１５は、同じ事業者展開のｅＮＢがｅＮＢ  ＣＣＡスロット６１５の共通する１つの中でＣＣＡを実行し、異なる事業者展開のｅＮＢがｅＮＢ  ＣＣＡスロット６１５のうちの異なる複数のスロットの中でＣＣＡを実行するように、擬似ランダムに選択され得る。Ｓ’サブフレーム６００の連続するインスタンスでは、ｅＮＢ  ＣＣＡスロットの擬似ランダムな選択は、異なる事業者展開がｅＮＢ  ＣＣＡスロットの最初のスロットを選択することをもたらし得る。このようにして、ある数の事業者展開の各々は、ＣＣＡを実行する最初の機会を与えられ得る（たとえば、第１の事業者展開が、１つのＳ’サブフレーム６００中の最初のｅＮＢ  ＣＣＡスロットを選択することができ、第２の事業者展開が、次のＳ’サブフレーム６００中の最初のｅＮＢ  ＣＣＡスロットを選択することができる、など）。いくつかの事例では、ｅＮＢ  ＣＣＡスロット６１５は各々、約２０マイクロ秒の持続時間を有し得る。
【００７２】
[0090]ｅＮＢは、免許不要帯域が利用可能であるという決定を行うと、第１の波形を直ちに送信し始め得る。第１の波形は、ｅＮＢ  ＣＣＡスロット６１５のより後の複数のスロットの間に、および／またはｅＮＢ送信期間６２０の間に送信され得る。第１の波形は、ｅＮＢが免許不要帯域を通じたチャネルアクセスを有する１つまたは複数の時間期間を示すように構成され得る。
【００７３】
[0091]第１の波形を受信するＵＥは、第１の波形に応答して、ＵＥ  ＣＣＡスロット６２５の間に自身のＣＣＡを実行し得る。免許不要帯域が利用可能であるとＵＥが決定すると、ＵＥは、免許不要帯域を通じて第２の波形と第３の波形とを送信し得る。第２の波形は、第２の波形スロット６３０の１つの中で送信され得、第１の波形を送信したｅＮＢが特定の時間期間の間に免許不要帯域を通じたチャネルアクセスを有することを近くのＷｉＦｉデバイスに示すように構成され得る。第２の波形スロットのセットは、ＵＥが、同じ事業者展開中の別のＵＥによって特定される第２の波形スロットに対してスタガリングされた第２の波形スロットを特定することを可能にし得る。第２の波形スロットのセットの中の第２の波形をスタガリングすることにより、近くのＷｉＦｉデバイスは、２つ以上のＵＥから受信された第２の波形をより良く区別し復号することが可能になり得る。第２の波形スロット６３０は各々、約４４マイクロ秒の持続時間を有し得る。
【００７４】
[0092]第３の波形は、第２の波形の直後におよび／またはＵＥ送信期間６３５の間に送信され得る。第３の波形は、ＵＥへのデータ送信のためにｅＮＢに情報を与えるように構成され得る。データ送信は、Ｓ’サブフレーム６００の後に行われ得る。
【００７５】
[0093]ＰＣＵＢＳ送信期間６４０は、特定のＳ’サブフレーム６００の中に存在することも、または存在しないこともある。その存在は、第３の波形の送信タイミングに依存し得る。ＰＣＵＢＳ送信期間６４０の間に、１つまたは複数のｅＮＢおよび／またはＵＥは、免許不要帯域を通じたチャネルアクセス（たとえば、予約）を維持するためにＰＣＵＢＳを送信し得る。
【００７６】
[0094]Ｓ’サブフレーム６００は、ｅＮＢとＵＥの両方のためのＣＣＡスロットを提供するという点で有用であることがあり、いくつかの場合には、図５を参照して説明された隠されたノードの問題を軽減するのを助け得る。
【００７７】
[0095]図７は、１ミリ秒の（たとえば、１つのＬＴＥ／ＬＴＥ−Ａサブフレーム）ゲーティング間隔７０５の例７００を提供する。１ミリ秒のゲーティング間隔７０５は、図１、図２Ａ、図２Ｂ、および／または図５を参照して説明される、アクセスポイントもしくはｅＮＢ１０５、２０５、および／もしくは５０５、ならびに／または、ＵＥ１１５、２１５、および／もしくは５１５によって使用され得る。ゲーティング間隔７０５は、図１、図２Ａ、図２Ｂ、および／または図５を参照して説明されたシステム１００、２００、２５０、および／または５００とともに使用され得る。
【００７８】
[0096]現在のＬＴＥ／ＬＴＥ−Ａ規格は、チャネル占有時間（オン時間）≧１ミリ秒であることと、チャネルアイドル時間≧チャネル占有時間の５％であることとを要求する。したがって、現在のＬＴＥ規格は、１．０５ミリ秒という最小ゲーティング間隔の長さを規定する。しかしながら、ＬＴＥ規格がもし０．９５ミリ秒という最小チャネル占有時間を要求するように緩和されることが可能であれば、１ミリ秒のゲーティング間隔が可能になる。
【００７９】
[0097]図７に示されるように、１ミリ秒のゲーティング間隔７０５は、１４個のＯＦＤＭシンボル（またはシンボル位置）を含み得る。ゲーティング間隔７０５に先行するＣＣＡスロット７１０の間のＣＣＡの実行が成功するとき、ダウンリンク送信は、ゲーティング間隔７０５の最初の１３個のＯＦＤＭシンボルの間に発生し得る。そのようなダウンリンク送信は、９２９マイクロ秒という持続時間（またはチャネル占有時間）を有し得る。現在のＬＴＥ規格によれば、９２９マイクロ秒のチャネル占有時間は、４８マイクロ秒のチャネルアイドル時間７１５を要求し、これは、１つのＯＦＤＭシンボルの７１．４マイクロ秒の持続時間より短い。結果として、４８マイクロ秒のチャネルアイドル時間７１５、さらには１つまたは複数のＣＣＡスロット７１０が、１４番目のＯＦＤＭシンボル位置の間に提供され得る。いくつかの場合、２０マイクロ秒という全体の持続時間を有する２つのＣＣＡスロット７１０は、１４番目のＯＦＤＭシンボル位置の間に提供され得、これにより、ある量のＣＣＡのランダム化を可能にする。例７００における各ＣＣＡスロット７１０は、１つのＯＦＤＭシンボルよりも短い持続時間を有することに留意されたい。
【００８０】
[0098]図８は、免許不要の５ＧＨｚの帯域８００の中の様々な周波数帯域の割振りの例示的な様子を示す。図８に示されているように、５ＧＨｚの帯域８００は、Ｕ−ＮＩＩ  １周波数バンド８０５（たとえば、５１７０〜５２５０ＭＨｚ）と、Ｕ−ＮＩＩ  ２周波数バンド８１０（たとえば、５２５０〜５３５０ＭＨｚ）と、Ｕ−ＮＩＩ  ＷＷ周波数バンド８１５（たとえば、５４７０〜５７２５ＭＨｚ）と、Ｕ−ＮＩＩ  ３周波数バンド８２０（たとえば、５７２５〜５８２５ＭＨｚ）と、ＤＳＲＣ周波数バンド８２５（たとえば、５８５０〜５９２５ＭＨｚ）とを含み得る。
【００８１】
[0099]各周波数バンドは、１つまたは複数のチャネルを使用するために割り振られ得る。各物理チャネルは、帯域幅（たとえば、１０ＭＨｚ、２０ＭＨｚ、４０ＭＨｚ、８０ＭＨｚ、１６０ＭＨｚなど）を占有し得る。（たとえば、８０ＭＨｚを占有する）Ｕ−ＮＩＩ  １周波数バンド８０５は、（たとえば、チャネルインデックス３６、４０、４４、および４８をもつ）最高で４つの２０ＭＨｚチャネル８３０、最高で２つの４０ＭＨｚチャネル８３５、または１つの８０ＭＨｚチャネル８４０をサポートし得る。同様に、Ｕ−ＮＩＩ２周波数バンド８１０は、（たとえば、チャネルインデックス５２、５６、６０、および６４をもつ）最高で４つの２０ＭＨｚチャネル８３０、最高で２つの４０ＭＨｚチャネル８３５、または１つの８０ＭＨｚチャネル８４０をサポートし得る。いくつかのデバイス（たとえば、免許不要帯域において動作するように構成されたＷｉ−ＦｉまたはＬＴＥ／ＬＴＥ−Ａデバイス）は、Ｕ−ＮＩＩ  １周波数バンド８０５とＵ−ＮＩＩ  ２周波数バンド８１０の両方にわたって動作し得る。その結果、Ｕ−ＮＩＩ  １周波数バンド８０５とＵ−ＮＩＩ  ２周波数バンド８１０とは、５１７０〜５３５０ＭＨｚの周波数バンドをもたらすように実質的に組み合わされ得る。したがって、１６０ＭＨｚチャネル８４５（たとえば、５１７０〜５３３０ＭＨｚ）がサポートされ得る。
【００８２】
[0100]図８に示されるように、Ｕ−ＮＩＩ  ３周波数バンド８２０（たとえば、５７２５〜５８２５ＭＨｚ）は、（たとえば、チャネルインデックス１４９、１５３、１５７、１６１、および１６５をもつ）最高で５つの２０ＭＨｚチャネル８３０、最高で２つの４０ＭＨｚチャネル８３５、または１つの８０ＭＨｚチャネル８４０をサポートし得る。通常、ＤＳＲＣ周波数バンド８２５は、１０ＭＨｚチャネルを使用するＤＳＲＣ通信をサポートする。いくつかの場合、マルチモードＬＴＥ／ＬＴＥ−Ａデバイスは、コンテンションベースのプロトコル（たとえば、ＬＢＴおよび／またはＣＣＡ）を使用して帯域の１つまたは複数のチャネルへのアクセス権を得て１つまたは複数のチャネルを予約した後で、ＬＴＥ／ＬＴＥ−Ａ通信のための帯域として５ＧＨｚの帯域８００の一部またはすべてを日和見的に使用することができる。
【００８３】
[0101]いくつかの場合、送信デバイスが、特定のワイヤレスデータ送信のために必要とされるものよりも多数の物理チャネルのためのＣＣＡを実行するのが望ましいことがある。このようにして、送信デバイスは、物理チャネルの１つまたは複数へのアクセス権を争うときに別のデバイスに負けることがあるが、それでもワイヤレスデータ送信を行うのに十分な物理チャネルへのアクセス権を得ることができる。図９Ａ、図９Ｂ、図９Ｃ、および図９Ｄは、ワイヤレスデータ送信のために必要とされるものよりも多数の物理チャネルのためのＣＣＡを送信デバイスが実行できる、様々な例を示す。ワイヤレスデータ送信を行うのに必要とされるチャネルは、仮想コンポーネントキャリア（たとえば、図面ではＶｉｒＣＣ＿ｘと標識され、「ｘ」はチャネル番号である）、仮想キャリア、または仮想チャネルと呼ばれ得る。仮想キャリアは、ＣＣＡの実行が成功した物理コンポーネントキャリアまたは物理チャネル（たとえば、図面ではＰｈｙＣＣ＿ｙと標識され、「ｙ」はチャネル番号である）にマッピングされ得る。本明細書および添付の特許請求の範囲において使用される場合、「仮想キャリア」、「仮想コンポーネントキャリア」、および「仮想チャネル」という用語は相互に交換可能である。加えて、「物理キャリア」、「物理コンポーネントキャリア」、および「物理チャネル」という用語は相互に交換可能である。
【００８４】
[0102]ここで図９Ａを参照すると、３つの仮想キャリア（すなわち、ＶｉｒＣＣ＿０、ＶｉｒＣＣ＿１、およびＶｉｒＣＣ＿２）から３つの物理キャリア（すなわち、ＰｈｙＣＣ＿１、ＰｈｙＣＣ＿３、およびＰｈｙＣＣ＿４）へのマッピング９００が示されている。送信デバイスが３つの仮想キャリアを必要とするワイヤレスデータ送信を行うことを望むとき、送信デバイスは、そのワイヤレスデータ送信を行うために必要とされるものよりも多数の物理キャリアのための（たとえば、物理キャリアＰｈｙＣＣ＿０、ＰｈｙＣＣ＿１、ＰｈｙＣＣ＿２、ＰｈｙＣＣ＿３、ＰｈｙＣＣ＿４、およびＰｈｙＣＣ＿５と関連付けられる物理チャネルのための）ＣＣＡを実行することができる。示されるように、ＣＣＡは、物理キャリアのいくつかに対しては成功することがあり（すなわち、「合格」）、物理キャリアの他のものに対しては成功しないことがある（すなわち、「失敗」）。しかしながら、ＣＣＡは十分多くの物理キャリアについて合格するので、いくつかの物理キャリアに対するＣＣＡの失敗とは無関係に、ワイヤレスデータ送信が行われ得る。任意の規定された方式で、たとえば最小の番号の仮想キャリアが、ＣＣＡの実行が成功した最小の番号の物理キャリアにマッピングされるように、仮想キャリアが物理キャリアにマッピングされ得る。与えられる例では、マッピングは受信デバイスに対して暗黙的であり得る（たとえば、送信デバイスは、チャネルを予約するために、送信デバイスが使用する物理キャリア上でシグナリングを送信することができ、受信デバイスは、使用されるチャネルの各々の上でのエネルギーまたはシグナリングを検出し、エネルギーが現れるチャネルのうちで最小の番号のチャネル（または最低の周波数のチャネル）がワイヤレスデータ送信の最小の番号の仮想キャリアにマッピングされることを暗黙的に理解することができる）。代替的に、仮想キャリア（たとえば、ＶｉｒＣＣ＿０、ＶｉｒＣＣ＿１、およびＶｉｒＣＣ＿２）がマッピングされる物理キャリア（たとえば、ＰｈｙＣＣ＿１、ＰｈｙＣＣ＿３、およびＰｈｙＣＣ＿４）を受信デバイスがそれによって特定できる情報（たとえば、ビットマップ）を、送信デバイスが送信することができ、受信デバイスが受信することができる。
【００８５】
[0103]図９Ｂは、２つの仮想キャリア（すなわち、ＶｉｒＣＣ＿０およびＶｉｒＣＣ＿１）から２つの物理キャリア（すなわち、ＰｈｙＣＣ＿１およびＰｈｙＣＣ＿３）へのマッピング９０５を示している。送信デバイスが２つの仮想キャリアを必要とするワイヤレスデータ送信を行うことを望むとき、送信デバイスは、そのワイヤレスデータ送信を行うために必要とされるものよりも多数の物理キャリアのための（たとえば、物理キャリアＰｈｙＣＣ＿０、ＰｈｙＣＣ＿１、ＰｈｙＣＣ＿２、ＰｈｙＣＣ＿３、ＰｈｙＣＣ＿４、およびＰｈｙＣＣ＿５のための）ＣＣＡを実行することができる。示されるように、ＣＣＡは、物理キャリアのいくつかに対しては成功することがあり（すなわち、「合格」）、物理キャリアの他のものに対しては成功しないことがある（すなわち、「失敗」）。しかしながら、ＣＣＡは十分多くの物理キャリアについて合格するので、いくつかの物理キャリアに対するＣＣＡの失敗とは無関係に、ワイヤレスデータ送信が行われ得る。任意の規定された方式で、たとえば最小の番号の仮想キャリアが、ＣＣＡの実行が成功した最小の番号の物理キャリアにマッピングされるように、仮想キャリアが物理キャリアにマッピングされ得る。与えられる例では、マッピングは受信デバイスに対して暗黙的であり得る（たとえば、送信デバイスは、チャネルを予約するために、送信デバイスが使用する物理キャリア上でシグナリングを送信することができ、受信デバイスは、使用されるチャネルの各々の上でのエネルギーまたはシグナリングを検出し、エネルギーが現れるチャネルのうちで最小の番号のチャネル（または最低の周波数のチャネル）がワイヤレスデータ送信の最小の番号の仮想キャリアにマッピングされることを暗黙的に理解することができる）。
【００８６】
[0104]図９Ｂでは、ＣＣＡは、仮想キャリアＶｉｒＣＣ＿０を送信するために使用され得る物理キャリアの第１のサブセット（たとえば、ＰｈｙＣＣ＿０、ＰｈｙＣＣ＿１、およびＰｈｙＣＣ＿２）と、仮想キャリアＶｉｒＣＣ＿１を送信するために使用され得る物理キャリアの第２のサブセット（たとえば、ＰｈｙＣＣ＿３、ＰｈｙＣＣ＿４、およびＰｈｙＣＣ＿５）とのために実行され得る。ＣＣＡがサブセットの中の２つ以上の物理キャリアに対して成功するとき、サブセットに対応する仮想キャリアは、ＣＣＡの実行が成功した物理キャリアの１つにマッピングされ得、または、仮想キャリアは、ＣＣＡの実行が成功しＣＣＡが冗長的に送信された、物理キャリアの２つ以上にマッピングされ得る。代替的に、サブセットに対応する仮想キャリアは、ＣＣＡの実行が成功した物理キャリアの１つにマッピングされ得、別の送信は、ＣＣＡの実行が成功した少なくとも１つの追加のキャリアを通じて行われ得る。たとえば、ダウンリンク仮想キャリアの場合、少なくとも１つの追加のキャリアを通じて行われる送信は、ＣＵＢＳおよび／またはチャネル状態情報参照信号（ＣＳＩ−ＲＳ）を含み得る。アップリンク仮想キャリアの場合、少なくとも１つの追加のキャリアを通じて行われる送信は、サウンディング参照信号（ＳＲＳ）および／またはＣＣＡ免除送信（ＣＥＴ）を含んでよく、このＣＥＴはＳＲＳを含み得る。ＣＥＴはまた、物理キャリアに対するＣＣＡの実行が成功したかどうかとは無関係に、任意の物理キャリアを通じて、およびいくつかの場合は各物理キャリア（または仮想キャリアにマッピングされない各物理キャリア）を通じて行われ得る。仮想キャリアにマッピングされない物理キャリアを通じたＳＲＳまたはＣＥＴの送信は、ｅＮＢが、現在のワイヤレスデータ送信のために使用されない物理チャネルのための更新されたチャネル品質情報（ＣＱＩ）を導出することを可能にし得る。ＣＱＩは、物理チャネルの性質であり、（たとえば、干渉の条件および／または隠れた端末が原因で）物理チャネルごとに大きく異なり得る。レート予測のために、ｅＮＢが物理チャネルのいずれかでの送信をスケジューリングできるように、すべての物理チャネルに対して更新されたＣＱＩが必要とされる。１つまたは複数の物理チャネルのための更新されたＣＱＩを導出するｅＮＢの観点からは、物理チャネルを通じてＳＲＳまたはＣＥＴを送信することはリソースの利用率を改善するが、別の事業者展開におけるｅＮＢの観点からは、ワイヤレスデータ送信のために使用されない物理チャネルを通じてＳＲＳまたはＣＥＴを送信することは無駄であり得る。
【００８７】
[0105]図９Ｃは、３つの仮想キャリア（すなわち、ＶｉｒＣＣ＿０、ＶｉｒＣＣ＿１、およびＶｉｒＣＣ＿２）から３つの物理キャリア（すなわち、ＰｈｙＣＣ＿１、ＰｈｙＣＣ＿３、およびＰｈｙＣＣ＿５）への別のマッピング９１０を示している。送信デバイスが３つの仮想キャリアを必要とするワイヤレスデータ送信を行うことを望むとき、送信デバイスは、そのワイヤレスデータ送信を行うために必要とされるものよりも多数の物理キャリアのための（たとえば、物理キャリアＰｈｙＣＣ＿０、ＰｈｙＣＣ＿１、ＰｈｙＣＣ＿２、ＰｈｙＣＣ＿３、ＰｈｙＣＣ＿４、およびＰｈｙＣＣ＿５のための）ＣＣＡを実行することができる。示されるように、ＣＣＡは、物理キャリアのいくつかに対しては成功することがあり（すなわち、「合格」）、物理キャリアの他のものに対しては成功しないことがある（すなわち、「失敗」）。しかしながら、ＣＣＡは十分多くの物理キャリアについて合格するので、いくつかの物理キャリアに対するＣＣＡの失敗とは無関係に、ワイヤレスデータ送信が行われ得る。任意の規定された方式で、たとえば最小の番号の仮想キャリアが、ＣＣＡの実行が成功した最小の番号の物理キャリアにマッピングされるように、仮想キャリアが物理キャリアにマッピングされ得る。与えられる例では、マッピングは受信デバイスに対して暗黙的であり得る（たとえば、送信デバイスは、チャネルを予約するために、送信デバイスが使用する物理キャリア上でシグナリングを送信することができ、受信デバイスは、使用されるチャネルの各々の上でのエネルギーまたはシグナリングを検出し、エネルギーが現れるチャネルのうちで最小の番号のチャネル（または最低の周波数のチャネル）がワイヤレスデータ送信の最小の番号の仮想キャリアにマッピングされることを暗黙的に理解することができる）。
【００８８】
[0106]図９Ｃは、物理キャリアＰｈｙＣＣ＿２のようなＣＣＡの実行が成功したいくつかの物理キャリアが、良好でないチャネル強度（たとえば、良好でないチャネル状態情報（ＣＳＩ））の結果として放棄され得ることを示す。図９Ｃはまた、物理キャリアＰｈｙＣＣ＿４のようないくつかの物理キャリアに対しては、送信デバイスが別の物理キャリアを試すことおよび／または別の物理キャリア（たとえば、物理キャリアＰｈｙＣＣ＿５）のためのＣＳＩを取得することを選び得るので、ＣＣＡが実行されないことがあることを示す。
【００８９】
[0107]図９Ｄは、キャリアアグリゲーション動作モードにおける、２つのダウンリンク仮想キャリア（すなわち、ＶｉｒＣＣ＿０およびＶｉｒＣＣ＿１）から２つの物理キャリア（すなわち、ＰｈｙＣＣ＿１およびＰｈｙＣＣ＿４）への、および２つのアップリンク仮想キャリア（すなわち、ＶｉｒＣＣ＿００およびＶｉｒＣＣ＿１１）から２つの物理キャリア（すなわち、ＰｈｙＣＣ＿２およびＰｈｙＣＣ＿３）へのマッピング９１５を示す。ダウンリンク仮想キャリアの各々が、図１、図２Ａ、図２Ｂ、および／または図５を参照して説明されるｅＮＢ１０５、２０５、および／または５０５の１つによるダウンリンクワイヤレスデータ送信のような、ｅＮＢによるダウンリンクワイヤレスデータ送信のために使用され得、アップリンク仮想キャリアの各々が、図１、図２Ａ、図２Ｂ、および／または図５を参照して説明されるＵＥ１１５、２１５、および／または５１５の１つによるアップリンクワイヤレスデータ送信のような、ＵＥによるアップリンクワイヤレスデータ送信のために使用され得る。
【００９０】
[0108]ダウンリンク仮想キャリアおよびアップリンク仮想キャリアがマッピングされ得る物理キャリア（すなわち、ＰｈｙＣＣ＿０、ＰｈｙＣＣ＿１、ＰｈｙＣＣ＿２、ＰｈｙＣＣ＿３、およびＰｈｙＣＣ＿４）は、物理キャリアの重複しないサブセットへとグループ化され得る。たとえば、物理キャリアの第１のサブセットは、物理キャリアＰｈｙＣＣ＿０と、ＰｈｙＣＣ＿１と、ＰｈｙＣＣ＿２とを含む。物理キャリアの第２のサブセットは、物理キャリアＰｈｙＣＣ＿３とＰｈｙＣＣ＿４とを含む。ｅＮＢが２つのダウンリンク仮想キャリアを要求するワイヤレスデータ送信を行うことを望むとき、ｅＮＢは、物理キャリアのサブセットの各々の中の物理キャリアの各々のためのダウンリンクＣＣＡを実行することができる。ダウンリンクＣＣＡが物理キャリアの各サブセットの中の複数の物理キャリアのために実行され得るので、１つまたは複数の物理キャリアに対してダウンリンクＣＣＡが失敗しても、仮想キャリアがマッピングされ得る物理キャリアが存在し得る。
【００９１】
[0109]物理キャリアの所与のサブセットの中の、仮想キャリアがマッピングされる物理キャリアを特定した後で、ダウンリンクＣＣＡが合格した残りの物理キャリアがＵＥに対して特定され得る。ＵＥは、ダウンリンクＣＣＡをすでにクリアしている物理キャリアのためのアップリンクＣＣＡの実行に成功する確率がより高くなり得る。物理キャリアの重複しないオフセットの使用はまた、ダウンリンクキャリアとアップリンクキャリアの組合せの曖昧さをなくし、ダウンリンクキャリア／アップリンクキャリアの比率を確立する際のさらなる柔軟性を実現する。
【００９２】
[0110]図９Ａ〜図９Ｄの例に示されるように、キャリアアグリゲーションモードは、送信デバイスが送信することを意図するものよりも多数の物理キャリア上でＣＣＡを実行し、次いでＣＣＡが成功した物理キャリアに仮想キャリアをマッピングすることによって、送信デバイスに対してサポートされ得る。いくつかのシステムでは、送信デバイスがその上で一度に送信するように構成され得る、物理キャリアの最大の総数があり得る。たとえば、ＬＴＥ／ＬＴＥ−Ａ規格のいくつかのリリースを実装するシステムでは、キャリアアグリゲーションは全体で５個の物理キャリアに制限され得る。
【００９３】
[0111]全体の物理キャリアに対するこれらの制約は、本説明の原理に従って仮想キャリアを利用することによって、システムにより実施され得る。たとえば、ＬＴＥ／ＬＴＥ−Ａのいくつかのリリースを実装する送信デバイスは、共有帯域を通じてデータを送信するために使用される仮想キャリアの総数を５に制限することができる。仮想キャリアと物理キャリアとの間の１対１のマッピングにより、異なる物理キャリアが異なるフレームの間に使用され得る場合でも、送信デバイスは、任意の所与のフレームまたはサブフレームのために送信デバイスによって使用される物理キャリアの総数が、規格により課される物理キャリアの総数に対する制限を超えないことを確実にし得る。
【００９４】
[0112]キャリアアグリゲーションの間に全体で５個の物理キャリアに制約される送信デバイスの例を続けると、送信デバイスは、キャリアアグリゲーションのためにＫ≦５個の仮想キャリアを利用しながら、各フレームのためのＮ＞５個の物理キャリア上でＣＣＡの監視を実行するように構成され得る。ＣＣＡアセスメントが成功した物理キャリアの数（Ｍ）がＫ以下である場合、Ｍ個の物理キャリアの各々が、フレームの間の送信のために選択され、仮想キャリアの１つにマッピングされ得る。それ以外の場合、ＭがＫ以上である場合、成功した物理キャリアのうちのＫ個が、そのフレームにおいて使用するために選択され、個々の仮想キャリアにマッピングされ得る。
【００９５】
[0113]Ｋ個の物理キャリアの選択は、ＲＲＣ構成に基づき得る。一例では、物理キャリアの各々は数字の識別子を有し得、最小の識別子を有するＫ個の物理キャリアが、仮想キャリアへのマッピングのために選択され得る。物理キャリアに割り当てられる識別子は、異なる送信デバイスに対しては異なり得る。加えて、または代替的に、Ｋ個の物理キャリアの選択は、ネットワーク内の送信デバイスに固有のトークンまたは識別子（たとえば、ＵＥ  ＩＤ）に基づき得る。たとえば、送信デバイスに固有のトークンまたは識別子は、Ｍ個のＣＣＡをクリアした物理キャリアからＫ個の物理キャリアを導出するためにハッシュされ得る。
【００９６】
[0114]ここで図１０Ａを参照すると、ブロック図１０００は、様々な実施形態によるワイヤレス通信における使用のためのデバイス１００５を示す。いくつかの実施形態では、デバイス１００５は、図１、図２Ａ、図２Ｂ、および／または図５を参照して説明された、ｅＮＢ１０５、２０５、および／もしくは５０５、またはＵＥ１１５、２１５、および／もしくは５１５の１つの、１つまたは複数の態様の例であり得る。デバイス１００５はプロセッサであってもよい。デバイス１００５は、受信機モジュール１０１０、キャリア管理モジュール１０１５、および／または送信機モジュール１０２０を含み得る。これらのコンポーネントの各々は互いに通信していることがある。
【００９７】
[0115]デバイス１００５のコンポーネントは、ハードウェアにおいて適用可能な機能の一部またはすべてを実行するように適合された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内で具現化される命令によって実装され得る。
【００９８】
[0116]いくつかの実施形態では、受信機モジュール１０１０は、免許帯域（たとえば、ＬＴＥ／ＬＴＥ−Ａ帯域）および／または免許不要帯域における送信を受信するように動作可能な高周波（ＲＦ）受信機のような、ＲＦ受信機であり得、またはそれを含み得る。受信機モジュール１０１０は、図１、図２Ａ、および／または図２Ｂを参照して説明されたワイヤレス通信システム１００、２００、および／または２５０の１つまたは複数の通信リンクのような、免許帯域および／または免許不要帯域を含むワイヤレス通信システムの１つまたは複数の通信リンク（たとえば、物理チャネル）を通じて、様々なタイプのデータおよび／または制御信号（すなわち、送信）を受信するために使用され得る。
【００９９】
[0117]いくつかの実施形態では、送信機モジュール１０２０は、免許帯域および／または免許不要帯域の中で送信するように動作可能なＲＦ送信機のような、ＲＦ送信機であり得、またはそれを含み得る。送信機モジュール１０２０は、図１、図２Ａ、図２Ｂ、および／または図５を参照して説明されたワイヤレス通信システム１００、２００、２５０、および／または５００の１つまたは複数の通信リンクのような、ワイヤレス通信システムの１つまたは複数の通信リンク（たとえば、物理チャネル）を通じて様々なタイプのデータおよび／または制御信号（すなわち、送信）を送信するために使用され得る。
【０１００】
[0118]いくつかの実施形態では、キャリア管理モジュール１０１５は、共有帯域を通じたワイヤレスデータ送信のためのキャリアを管理するために使用され得る。いくつかの場合、キャリア管理は、ワイヤレスデータ送信を行うために必要とされるものよりも多数の物理チャネルのためのＣＣＡを実行することと、次いで、ワイヤレスデータ送信を行う際に使用するための、ＣＣＡの実行が成功した物理チャネルの数を特定することとを伴い得る。このようにして、１つまたは複数の物理チャネルのためのＣＣＡの失敗は、ワイヤレスデータ送信が行われるのを妨げないことがある。
【０１０１】
[0119]ここで図１０Ｂを参照すると、ブロック図１０５０は、様々な実施形態によるワイヤレス通信において使用するためのデバイス１０５５を示す。いくつかの実施形態では、デバイス１０５５は、図１、図２Ａ、図２Ｂ、および／または図５を参照して説明された、ｅＮＢ１０５、２０５、および／もしくは５０５、またはＵＥ１１５、２１５、および／もしくは５１５の１つの、１つまたは複数の態様の例であり得る。デバイス１０５５はプロセッサであってもよい。デバイス１０５５は、受信機モジュール１０６０、キャリア管理モジュール１０６５、データ送信／受信モジュール１０９０、および／または送信機モジュール１０７０を含み得る。これらのコンポーネントの各々は互いに通信していることがある。
【０１０２】
[0120]デバイス１０５５のコンポーネントは、個別にまたは集合的に、ハードウェア中の適用可能な機能の一部またはすべてを実行するように適合された１つまたは複数のＡＳＩＣによって実装され得る。代替的に、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内で具現化される命令によって実装され得る。
【０１０３】
[0121]いくつかの実施形態では、受信機モジュール１０６０は、免許帯域（たとえば、ＬＴＥ／ＬＴＥ−Ａ帯域）および／または免許不要帯域の中で送信を受信するように動作可能なＲＦ受信機のような、ＲＦ受信機であり得、またはそれを含み得る。ＲＦ受信機は、免許帯域および免許不要帯域のための別個の受信機を含み得る。いくつかの場合、別個の受信機は、免許帯域モジュール１０６２および免許不要帯域モジュール１０６４という形態をとり得る。免許帯域モジュール１０６２および／または免許不要帯域モジュール１０６４を含む受信機モジュール１０６０は、図１、図２Ａ、図２Ｂ、および／または図５を参照して説明されたワイヤレス通信システム１００、２００、２５０、および／または５００の１つまたは複数の通信リンクのような、免許帯域と免許不要帯域とを含むワイヤレス通信システムの１つまたは複数の通信リンク（たとえば、物理キャリア）を通じて様々なタイプのデータおよび／または制御信号（すなわち、送信）を受信するために使用され得る。
【０１０４】
[0122]いくつかの実施形態では、送信機モジュール１０７０は、免許帯域および／または免許不要帯域の中で送信するように動作可能なＲＦ送信機のような、ＲＦ送信機であり得、またはそれを含み得る。ＲＦ送信機は、免許帯域および免許不要帯域のための別個の送信機を含み得る。いくつかの場合、別個の送信機は、免許帯域モジュール１０７２および免許不要帯域モジュール１０７４という形態をとり得る。免許帯域モジュール１０７２および／または免許不要帯域モジュール１０６４を含む送信機モジュール１０７０は、図１、図２Ａ、図２Ｂ、および／または図５を参照して説明されたワイヤレス通信システム１００、２００、２５０、および／または５００の１つまたは複数の通信リンクのような、ワイヤレス通信システムの１つまたは複数の通信リンク（たとえば、物理キャリア）を通じて様々なタイプのデータおよび／または制御信号（すなわち、送信）を送信するために使用され得る。
【０１０５】
[0123]いくつかの実施形態では、キャリア管理モジュール１０６５は、図１０Ａを参照して説明されるキャリア管理モジュール１０１５の１つまたは複数の態様の例であり得、ＣＣＡモジュール１０７５、物理キャリア特定モジュール１０８０、および／または仮想キャリアから物理キャリアへのマッピングモジュール（virtual-to-physical carrier mapping module）１０８５を含み得る。
【０１０６】
[0124]いくつかの実施形態では、ＣＣＡモジュールは、共有帯域（たとえば、免許不要帯域）の複数の物理キャリアの各々の上でＣＣＡを実行するために使用され得る。いくつかの場合、ＣＣＡは、共有帯域の特定の送信間隔のために実行され得、次いで、共有帯域のある数の後続の送信間隔の各々に対して繰り返され得る。いくつかの場合、送信間隔は無線フレームを含んでよく、ＣＣＡはフレームごとに実行され得る。いくつかの場合、ＣＣＡは、図３、図４、図６、および／または図７を参照して説明された、周期的なゲーティング間隔の１つまたは複数と、関連するフレームまたはサブフレーム構造とを使用して実行され得る。いくつかの場合、ＣＣＡは、図８を参照して説明された複数の物理キャリアに対して実行され得る。いくつかの場合、ワイヤレスデータ送信はその後、ある送信間隔の間に、ＣＣＡの実行がその送信間隔について成功した物理キャリアのいくつかまたはすべてを通じて行われ得る。
【０１０７】
[0125]いくつかの実施形態では、物理キャリア特定モジュール１０８０は、デバイス１０５５によって実行されるＣＣＡと関連付けられる複数の物理キャリアから、ＣＣＡが成功した物理キャリアの数を特定するために使用され得る。
【０１０８】
[0126]いくつかの実施形態では、仮想キャリアから物理キャリアへのマッピングモジュール１０８５は、ＣＣＡが成功した、特定された数の物理キャリアに、ワイヤレスデータ送信と関連付けられるある数の仮想キャリアをマッピングするために使用され得る。仮想キャリアは、デバイス１０５５から／においてデータを送信またはデータを受信する目的で、物理キャリアにマッピングされ得る。
【０１０９】
[0127]いくつかの実施形態では、データ送信／受信モジュール１０９０は、送信機モジュール１０７０または受信機モジュール１０６０を使用して、ワイヤレスデータ送信を行うために、または受信するために使用され得る。ワイヤレスデータ送信と関連付けられる仮想キャリアの数と、仮想キャリアから物理キャリアへのマッピングとを使用して、ワイヤレスデータ送信が行われ、または受信され得る。
【０１１０】
[0128]ここで図１１を参照すると、ブロック図１１００は、様々な実施形態による、データを送信するために使用可能な、キャリア管理モジュール１１０５およびデータ送信モジュール１１１０の一実施形態を示す。キャリア管理モジュール１１０５は、図１０Ａおよび／または図１０Ｂを参照して説明されたキャリア管理モジュール１０１５および／または１０６５の１つまたは複数の態様の例であり得る。データ送信モジュール１１１０は、図１０Ｂを参照して説明されたデータ送信／受信モジュール１０９０の１つまたは複数の態様の例であり得る。キャリア管理モジュール１１０５は、ＣＣＡモジュール１１１５、仮想キャリア特定モジュール１１２０、物理キャリア特定モジュール１１２５、仮想キャリアから物理キャリアへのマッピングモジュール１１３５、および／またはキャリア予約モジュール１１５０を含み得る。
【０１１１】
[0129]キャリア管理モジュール１１０５およびデータ送信モジュール１１１０のコンポーネントは、ハードウェアにおいて適用可能な機能の一部またはすべてを実行するように適合された１つまたは複数のＡＳＩＣとともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内で具現化される命令によって実装され得る。
【０１１２】
[0130]いくつかの実施形態では、ＣＣＡモジュール１１１５は、図１０Ｂを参照して説明されたＣＣＡモジュール１０７５の１つまたは複数の態様の例であり得る。
【０１１３】
[0131]いくつかの実施形態では、仮想キャリア特定モジュール１１２０は、ワイヤレスデータ送信と関連付けられる仮想キャリアの数を特定するために使用され得る。いくつかの場合、仮想キャリア特定モジュール１１２０はまた、仮想キャリアの数を決定することができる。たとえば、仮想キャリア特定モジュール１１２０は、ワイヤレスデータ送信のために使用されるべき帯域幅を決定し、次いで、ある数の物理キャリアの各々に割り振られる帯域幅によって、ワイヤレスデータ送信のために使用されるべき帯域幅を分割することができる。
【０１１４】
[0132]いくつかの実施形態では、物理キャリア特定モジュール１１２５は、図１０Ｂを参照して説明された物理キャリア特定モジュール１０８０の１つまたは複数の態様の例であり得る。物理キャリア特定モジュール１１２５は、ＣＣＡがＣＣＡモジュール１１１５によって実行され得る複数の物理キャリアを選択するために使用され得る。物理キャリア特定モジュール１１２５は、仮想キャリア特定モジュール１１２０によって特定される仮想キャリアの数に基づいて、複数の物理キャリアを選択することができる。物理キャリア特定モジュール１１２５によって選択される物理キャリアの数は、仮想キャリア特定モジュール１１２０によって特定される仮想キャリアの数よりも多数の物理キャリアの数であり得る。
【０１１５】
[0133]いくつかの場合、複数の物理キャリアは、チャネル強度測定結果に基づいて物理キャリア特定モジュール１１２５によって選択され得る（たとえば、物理キャリアの１つまたは複数が、閾値を超えるチャネル強度と関連付けられるので選択され得る）。この点で、物理キャリア特定モジュール１１２５は、チャネル強度分析サブモジュール１１３０を含み得る。チャネル強度分析サブモジュール１１３０は、チャネル強度に関する様々なパラメータを分析することができる。チャネル強度分析サブモジュール１１３０の分析は次いで、複数の物理キャリアのいくつかまたはすべてを選択するために、物理キャリア特定モジュール１１２５によって使用され得る。いくつかの場合、複数の物理キャリアは、複数の物理キャリアの少なくとも一部分についてのチャネル強度測定結果のエイジ（age）に基づいて選択され得る（たとえば、複数の物理キャリアの１つまたは複数が、より最近の、より信頼できる可能性のあるチャネル強度測定結果と関連付けられるので、選択されることがあり、および／または、複数の物理キャリアの１つまたは複数が、より古いチャネル強度測定結果と関連付けられ更新されたチャネル強度測定結果が望まれるので、選択されることがある）。いくつかの場合、複数の物理キャリアは、物理キャリアが、ワイヤレスデータ送信と関連付けられる変調およびコーディング方式（ＭＣＳ）、ワイヤレスデータ送信と（たとえば、ＭＩＭＯ送信と）関連付けられるランク、またはワイヤレスデータ送信と関連付けられるトランスポートブロックサイズの少なくとも１つをサポートすることが可能かどうかの決定に基づいて選択され得る。
【０１１６】
[0134]物理キャリア特定モジュール１１２５はまた、ＣＣＡモジュール１１１５によって実行されるＣＣＡと関連付けられる複数の物理キャリアから、ＣＣＡが成功した物理キャリアの数を特定するために使用され得る。サブセットは、ＣＣＡが実行された物理キャリアの１つまたは複数、またはすべてを含み得る。
【０１１７】
[0135]いくつかの実施形態では、仮想キャリアから物理キャリアへのマッピングモジュール１１３５は、図１０Ｂを参照して説明された仮想キャリアから物理キャリアへのマッピングモジュール１０８５の１つまたは複数の態様の例であり得る。仮想キャリアから物理キャリアへのマッピングモジュール１１３５は、（物理キャリア特定モジュール１１２５によって決定されるような）ＣＣＡが成功した、特定された数の物理キャリアに、（仮想キャリア特定モジュール１１２０によって決定されるような）ワイヤレスデータ送信と関連付けられるある数の仮想キャリアをマッピングするために使用され得る。仮想キャリアは、データを送信する目的で物理キャリアにマッピングされ得る。
【０１１８】
[0136]いくつかの場合、仮想キャリアから物理キャリアへのマッピングモジュール１１３５は、ＣＣＡが成功した物理キャリアのサブセットの帯域幅がワイヤレスデータ送信の帯域幅以上であるかどうかを決定することができる。いくつかの場合、この決定は、仮想キャリア特定モジュール１１２０によって特定される仮想キャリアの数を、（物理キャリア特定モジュール１１２５によって特定されるような）ＣＣＡが成功した、物理キャリアのサブセットの中の物理キャリアの数と比較することによって行われ得る。
【０１１９】
[0137]仮想キャリアから物理キャリアへのマッピングモジュール１１３５が、ＣＣＡが成功した物理キャリアのサブセットの帯域幅がワイヤレスデータ送信の帯域幅以上であると決定するとき、仮想キャリアから物理キャリアへのマッピングモジュール１１３５は、ワイヤレスデータ送信と関連付けられるある数の仮想キャリアの各々を、物理キャリアのサブセットの物理キャリアにマッピングすることができる。このマッピングは、送信デバイスおよび受信デバイスによって共有される所定のマッピング方式を使用して実施され得る。
【０１２０】
[0138]仮想キャリアから物理キャリアへのマッピングモジュール１１３５が、ＣＣＡが成功した物理キャリアのサブセットの帯域幅がワイヤレスデータ送信の帯域幅未満であると決定するとき、部分送信マッピングサブモジュール１１４０が、ＣＣＡが成功した物理キャリアのサブセットの帯域幅がワイヤレスデータ送信と関連付けられる少なくとも１つの仮想キャリアの帯域幅（たとえば、一次仮想キャリアの帯域幅）以上であるかどうかを決定することができる。いくつかの場合、この決定は、ＣＣＡが成功した物理キャリアのサブセットの中の物理キャリアの数が１以上であるかどうかを決定することによって行われ得る。ＣＣＡが成功した物理キャリアのサブセットの帯域幅がワイヤレスデータ送信と関連付けられる少なくとも１つの仮想キャリアの帯域幅以上であるとき、部分送信マッピングサブモジュール１１４０は、ワイヤレスデータ送信と関連付けられる少なくとも１つの仮想キャリアの各々を物理キャリアのサブセットのそれぞれの物理キャリアにマッピングすることができる。しかしながら、部分送信マッピングサブモジュール１１４０は、少なくとも１つの他の仮想キャリアを物理キャリアのサブセットのある物理キャリアにマッピングするのを控えることができる。このマッピングは、送信デバイスおよび受信デバイスによって共有される所定のマッピング方式を使用して実施され得る。いくつかの場合、特定の１つの仮想キャリア（または複数のキャリア）を物理キャリアのサブセットのある物理キャリアにマッピングするのを控えるという決定は、マッピングされた仮想キャリアの優先順位に対する、マッピングされていない仮想キャリアの優先順位に基づき得る。たとえば、いくつかの場合、一次仮想キャリアは、任意の他の仮想キャリアがそれぞれの物理キャリアにマッピングされる前に、それぞれの物理キャリアにマッピングされ得る。
【０１２１】
[0139]いくつかの場合、仮想キャリアから物理キャリアへのマッピングモジュール１１３５は、冗長マッピングサブモジュール１１４５を含み得る。仮想キャリアから物理キャリアへのマッピングモジュール１１３５が、ＣＣＡが成功した物理キャリアの数が仮想キャリアの数よりも多いと決定するときには、冗長マッピングサブモジュール１１４５は、いくつかの場合、ある数の仮想キャリアの各々を複数の物理キャリアにマッピングするために使用され得る（たとえば、１つの仮想キャリアが複数の物理キャリアにマッピングされることがあり、または、１つの仮想キャリアが複数の物理キャリアの第１のセットにマッピングされることがあり、別の仮想キャリアが複数の物理キャリアの第２のセットにマッピングされることがある、など）。
【０１２２】
[0140]いくつかの実施形態では、キャリア予約モジュール１１５０は、ワイヤレスデータ送信のために使用されるある数の物理キャリアを予約するために使用され得る。たとえば、キャリア予約モジュール１１５０は、いくつかの場合、ワイヤレスデータ送信のために使用される物理キャリアの各々についてチャネル使用ビーコン信号（ＣＵＢＳ）またはセル固有参照信号（ＣＲＳ）を送信することができる。ＣＵＢＳまたはＣＲＳは次いで、他の潜在的な送信デバイスによって受信され得、ＣＵＢＳまたはＣＲＳが送信されるチャネルが予約されていることを他の潜在的な送信デバイスに警告することができる。
【０１２３】
[0141]いくつかの実施形態では、データ送信モジュール１１１０は、図１０Ｂを参照して説明されたデータ送信／受信モジュール１０９０の１つまたは複数の態様の例であり得る。データ送信モジュール１１１０は、ワイヤレスデータ送信を行うために使用され得る。ワイヤレスデータ送信と関連付けられる仮想キャリアの数と、仮想キャリアから物理キャリアへのマッピングとを使用して、ワイヤレスデータ送信が行われ得る。いくつかの場合、ワイヤレスデータ送信は、各仮想キャリアに対して、仮想キャリアがマッピングされる物理キャリアのキャリア識別フィールド（ＣＩＦ）に仮想キャリアと関連付けられる識別子を挿入することによって、送信のために準備され得る。
【０１２４】
[0142]ここで図１２を参照すると、ブロック図１２００は、様々な実施形態に従ってデータを受信するために使用可能な、キャリア管理モジュール１２０５およびデータ送信モジュール１２１０の一実施形態を示す。キャリア管理モジュール１２０５は、図１０Ａおよび／または図１０Ｂを参照して説明されたキャリア管理モジュール１０１５および／または１０６５の１つまたは複数の態様の例であり得る。データ受信モジュール１２１０は、図１０Ｂを参照して説明されたデータ送信／受信モジュール１０９０の１つまたは複数の態様の例であり得る。キャリア管理モジュール１２０５は、物理キャリア特定モジュール１２１５、仮想キャリア特定モジュール１２３０、および／または仮想キャリアから物理キャリアへのマッピングモジュール１２３５を含み得る。
【０１２５】
[0143]キャリア管理モジュール１２０５およびデータ受信モジュール１２１０のコンポーネントは、ハードウェアにおいて適用可能な機能の一部またはすべてを実行するように適合された１つまたは複数のＡＳＩＣとともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内で具現化される命令によって実装され得る。
【０１２６】
[0144]いくつかの実施形態では、物理キャリア特定モジュール１２１５は、図１０Ｂを参照して説明された物理キャリア特定モジュール１０８０の１つまたは複数の態様の例であり得る。物理キャリア特定モジュール１２１５は、送信デバイスによって実行されるＣＣＡと関連付けられる複数の物理キャリアから、ＣＣＡが成功した物理キャリアの数を特定するために使用され得る。物理キャリアのサブセットは、送信デバイスから受信されるシグナリングに基づいて特定され得る。たとえば、物理キャリアのうちの監視されている１つでのシグナリングの存在は、物理キャリアのうちの監視されている１つのためのＣＣＡの実行に送信デバイスが成功したことを示し得る。いくつかの場合、物理キャリア特定モジュール１２１５は、特定の送信間隔の間のワイヤレスデータ送信を受信する前に、シグナリングについて複数の物理キャリアを監視するための監視サブモジュール１２２０を含み得る。物理キャリア特定モジュール１２１５はまた、受信されたシグナリングを分析するための、シグナリング受信および分析サブモジュール１２２５を含み得る。いくつかの場合、受信されたシグナリングはＣＵＢＳおよび／またはＣＲＳを含み得る。
【０１２７】
[0145]いくつかの実施形態では、仮想キャリア特定モジュール１２３０は、ワイヤレスデータ送信と関連付けられる仮想キャリアの数を特定するために使用され得る。いくつかの場合、仮想キャリア特定モジュール１２３０は、その上でのシグナリングが監視サブモジュール１２２０によって検出される物理キャリアの数に基づいて、仮想キャリアの数を決定することができる。
【０１２８】
[0146]いくつかの実施形態では、仮想キャリアから物理キャリアへのマッピングモジュール１２３５は、図１０Ｂを参照して説明された仮想キャリアから物理キャリアへのマッピングモジュール１０８５の１つまたは複数の態様の例であり得る。仮想キャリアから物理キャリアへのマッピングモジュール１２３５は、（物理キャリア特定モジュール１２１５によって決定されるような）ＣＣＡが成功した、特定された数の物理キャリアに、（仮想キャリア特定モジュール１２３０によって決定されるような）ワイヤレスデータ送信と関連付けられるある数の仮想キャリアをマッピングするために使用され得る。仮想キャリアは、データを受信する目的で物理キャリアにマッピングされ得る。
【０１２９】
[0147]いくつかの実施形態では、仮想キャリアから物理キャリアへのマッピングモジュール１２３５は、仮想キャリアを冗長な物理キャリアにマッピングするための冗長マッピングモジュール１２４０を含み得る。
【０１３０】
[0148]いくつかの実施形態では、データ受信モジュール１２１０は、図１０Ｂを参照して説明されたデータ送信／受信モジュール１０９０の１つまたは複数の態様の例であり得る。データ受信モジュール１２１０は、ワイヤレスデータ送信を受信するために使用され得る。ワイヤレスデータ送信と関連付けられるある数の仮想キャリアと、仮想キャリアから物理キャリアへのマッピングとを使用して、ワイヤレスデータ送信が受信され得る。
【０１３１】
[0149]ここで図１３を参照すると、ブロック図１３００は、様々な実施形態による、（構成に応じて）データを送信および／または受信するために使用可能な、キャリア管理モジュール１３０５およびデータ送信／受信モジュール１３１０のある実施形態を示す。キャリア管理モジュール１３０５は、図１０Ａおよび／または図１０Ｂを参照して説明されたキャリア管理モジュール１０１５および／または１０６５の１つまたは複数の態様の例であり得る。データ送信／受信モジュール１３１０は、図１０Ｂを参照して説明されたデータ送信／受信モジュール１０９０の１つまたは複数の態様の例であり得る。キャリア管理モジュール１３０５は、仮想キャリア特定モジュール１３１５、物理キャリア特定モジュール１３２０、および／または仮想キャリアから物理キャリアへのマッピングモジュール１３３５を含み得る。キャリア管理モジュール１３０５はまた、いくつかの実施形態では、ＣＣＡモジュール１３５５、物理アップリンク制御チャネル（ＰＵＣＣＨ）リソース予約モジュール１３４５、および／または物理キャリアシグナリングモジュール１３４０を含み得る。
【０１３２】
[0150]キャリア管理モジュール１３０５およびデータ送信／受信モジュール１３１０のコンポーネントは、ハードウェアにおいて適用可能な機能の一部またはすべてを実行するように適合された１つまたは複数のＡＳＩＣとともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内で具現化される命令によって実装され得る。
【０１３３】
[0151]いくつかの実施形態では、ＣＣＡモジュール１１１５は、図１０Ｂを参照して説明されたＣＣＡモジュール１０７５の１つまたは複数の態様の例であり得る。
【０１３４】
[0152]いくつかの実施形態では、仮想キャリア特定モジュール１３１５は、ワイヤレスデータ送信と関連付けられるある数の仮想キャリア（たとえば、１つまたは複数の仮想キャリア）を特定または決定するために使用され得る。
【０１３５】
[0153]キャリア管理モジュール１３０５を組み込むデバイスがＵＥであるいくつかの実施形態では、ＰＵＣＣＨリソース予約モジュール１３４５が、アップリンクワイヤレスデータ送信と関連付けられる各仮想キャリア上でＰＵＣＣＨのためのリソースを予約するために使用され得る。例として、リソースは、いくつかの場合、スケジューリング要求（ＳＲ）のためのリソース、受信された送信の肯定応答および否定応答（ＡＣＫ／ＮＡＣＫ）のためのリソース、および周期的なチャネル品質情報（ＣＱＩ）報告のためのリソースを含み得る。いくつかの場合、物理アップリンク共有チャネル（ＰＵＳＣＨ）は、予約されたリソースがＰＵＣＣＨを送信するために使用されるかどうかとは無関係に、予約されたリソースを通じて送信されないことがある。いくつかの場合、予約されたリソースはインターレースされたリソースブロックを含み得る。
【０１３６】
[0154]いくつかの実施形態では、物理キャリア特定モジュール１３２０は、図１０Ｂを参照して説明された物理キャリア特定モジュール１０８０の１つまたは複数の態様の例であり得る。物理キャリア特定モジュール１３２０は、物理キャリアサブセット特定サブモジュール１３２５、ＣＣＡ成功決定サブモジュール１３３０、および／またはアップリンクキャリアからダウンリンクキャリアへのマッピングサブモジュール１３５０を含み得る。いくつかの例では、ワイヤレスデータ送信の仮想キャリアに対応する物理キャリアのサブセットを特定するために、物理キャリアサブセット特定サブモジュール１３２５が使用され得る。いくつかの例では、物理キャリアの複数の重複しないサブセットを特定するために、物理キャリアサブセット特定サブモジュール１３２５が使用され得る。物理キャリアの重複しないサブセットの各々は、第１のデバイスによるワイヤレスデータ送信と関連付けられる複数の仮想キャリアのそれぞれ１つに対応し得る。いくつかの場合、物理キャリアサブセット特定サブモジュール１３２５は、仮想キャリアに対応する物理キャリアのサブセットを特定するＲＲＣシグナリングに少なくとも一部基づいて、仮想キャリアに対応する物理キャリアのサブセットを特定することができる。
【０１３７】
[0155]いくつかの実施形態では、ＣＣＡ成功決定サブモジュール１３３０は、デバイス（たとえば、キャリア管理モジュール１３０５および／または別のデバイスを含むデバイス）により実行されたＣＣＡが成功した物理キャリアを特定するために使用され得る。いくつかの場合、ＣＣＡ成功決定サブモジュール１３３０は、デバイスにより実行されたＣＣＡが物理キャリアのサブセットの中の少なくとも１つの物理キャリアについて成功したかどうかを決定するために（または、物理キャリアの複数の重複しないサブセットの各々に対して、デバイスにより実行されたＣＣＡが複数の重複しないサブセットの各々の中の少なくとも１つの物理キャリアについて成功したかどうかを決定するために）使用され得る。
【０１３８】
[0156]いくつかの実施形態では、ダウンリンク仮想キャリアにマッピングされていないがｅＮＢによるＣＣＡの実行が成功した、ダウンリンク仮想キャリアに対応する物理キャリアのサブセットの中の、少なくとも１つの物理キャリアを特定するために、アップリンクキャリアからダウンリンクキャリアへのマッピングサブモジュール１３５０が使用され得る。アップリンクキャリアからダウンリンクキャリアへのマッピングサブモジュール１３５０は、各々のそのような物理キャリア（または物理的の少なくとも１つ）を、ＵＥによるアップリンクワイヤレスデータ送信と関連付けられるアップリンク仮想キャリアへマッピングするための物理キャリア候補として特定することができる。
【０１３９】
[0157]いくつかの実施形態では、仮想キャリアから物理キャリアへのマッピングモジュール１３３５は、図１０Ｂを参照して説明された仮想キャリアから物理キャリアへのマッピングモジュール１０８５の１つまたは複数の態様の例であり得る。仮想キャリアから物理キャリアへのマッピングモジュール１３３５は、ある数の物理キャリアに、ワイヤレスデータ送信と関連付けられるある数の仮想キャリアをマッピングするために使用され得る。いくつかの実施形態では、各仮想キャリアは、物理キャリアの複数の重複しないサブセットのそれぞれ１つの中の少なくとも１つの物理キャリアに（利用可能であれば）マッピングされ得る。仮想キャリアがマッピングされる利用可能な物理キャリアは、ＣＣＡの実行が成功した物理キャリアであり得る。物理キャリアのサブセットの中のいずれの物理キャリアに対してもＣＣＡの実行が成功しない場合、物理キャリアのサブセットに対応する仮想キャリアは物理キャリアにマッピングされないことがある。
【０１４０】
[0158]いくつかの実施形態では、および物理キャリアの１つまたは複数のサブセットについて、物理キャリアシグナリングモジュール１３４０は、仮想キャリアにマッピングされていないがＣＣＡの実行が成功した、物理キャリアのサブセットの中の少なくとも１つの物理キャリアを特定するために使用され得る。任意のそのような物理キャリアに対して、物理キャリアシグナリングモジュール１３４０は、そのような物理キャリアを通じて信号を送信または受信することができる。キャリア管理モジュール１３０５がｅＮＢに含まれるとき、たとえば、物理キャリアシグナリングモジュール１３４０によって特定される物理キャリアの各々を通じて送信される信号は、ＣＵＢＳおよび／またはＣＳＩ−ＲＳを含んでよく、または、物理キャリアシグナリングモジュール１３４０によって特定される物理キャリアの各々を通じて受信される信号は、ＳＲＳおよび／またはＣＥＴ（ＳＲＳを含むＣＥＴを含む）を含み得る。キャリア管理モジュール１３０５がＵＥに含まれるとき、たとえば、物理キャリアシグナリングモジュール１３４０によって特定される物理キャリアの各々を通じて送信される信号は、ＳＲＳおよび／またはＣＥＴ（ＳＲＳを含むＣＥＴを含む）を含み得、または、物理キャリアシグナリングモジュール１３４０によって特定される物理キャリアの各々を通じて受信される信号は、ＣＵＢＳおよび／またはＣＳＩ−ＲＳを含み得る。ＣＥＴはまた、物理キャリアに対するＣＣＡの実行が成功したかどうかとは無関係に、任意の物理キャリアを通じて、およびいくつかの場合は各物理キャリア（または仮想キャリアにマッピングされない各物理キャリア）を通じて、送信（ＵＥの場合）および／または受信（ｅＮＢの場合）され得る。
【０１４１】
[0159]キャリア管理モジュール１３０５がＵＥに含まれ得る実施形態では、ダウンリンク仮想キャリアがマッピングされｅＮＢによるＣＣＡの実行が成功した物理キャリア以外の、物理キャリアのサブセットの少なくとも１つの追加の物理キャリアを特定するために、物理キャリアシグナリングモジュール１３４０が使用され得る。キャリア管理モジュール１３０５を含むＵＥは次いで、特定された物理キャリアの各々のためのｅＮＢにチャネル品質情報（ＣＱＩ）を送信することができる。
【０１４２】
[0160]いくつかの実施形態では、データ送信／受信モジュール１３１０は、図１０Ｂを参照して説明されたデータ送信／受信モジュール１０９０の例であり得る。キャリア管理モジュール１３０５を組み込むデバイスがＵＥであるいくつかの実施形態では、データ送信／受信モジュールは、ＣＣＡの実行が成功した物理キャリアにマッピングされるある数の仮想キャリアの１つを通じてＰＵＣＣＨを送信するために使用され得る。いくつかの実施形態では、複数の仮想キャリアの各々はインデックスと関連付けられ得、ＰＵＣＣＨは最小のインデックスを有する仮想キャリアの１つを通じて送信され得る。他の実施形態では、ＰＵＣＣＨが送信される仮想キャリアは、ランダムに選択され得る（たとえば、擬似ランダムに選択され得る）。ランダムな選択は、乱数生成器によって生成されたインデックスに少なくとも一部基づき得、この乱数生成器はいくつかの場合にはＲＲＣシグナリングによって初期化され得る。ＰＵＣＣＨを送信するために使用される仮想キャリアは、フレームごとに変化し得る。
【０１４３】
[0161]図１４を参照すると、共有帯域を通じたワイヤレス通信のために構成されたｅＮＢ１４０５を示すブロック図１４００が示されている。いくつかの実施形態では、ｅＮＢ１４０５は、図１０Ａおよび／もしくは図１０Ｂを参照して説明されたデバイス１００５および／もしくは１０５５の１つ、ならびに／または、図１、図２Ａ、図２Ｂ、および／もしくは図５を参照して説明されたｅＮＢ１０５、２０５、５０５、および／もしくは５０５の１つの、１つまたは複数の態様の例であり得る。ｅＮＢ１４０５は、図１、図２Ａ、図２Ｂ、図３、図４Ａ、図４Ｂ、図５、図６、図７、図８、図９Ａ〜図９Ｄ、図１０Ａ、図１０Ｂ、図１１、図１２、および／または図１３を参照して説明された特徴および機能の少なくともいくつかを実装するように構成され得る。ｅＮＢ１４０５は、プロセッサモジュール１４１０、メモリモジュール１４２０、（送受信機モジュール１４５５によって表される）少なくとも１つの送受信機モジュール、（アンテナ１４６０によって表される）少なくとも１つのアンテナ、および／またはｅＮＢ共有帯域モジュール１４７０を含み得る。ｅＮＢ１４０５はまた、基地局通信モジュール１４３０とネットワーク通信モジュール１４４０の一方または両方を含み得る。これらのコンポーネントの各々は、１つまたは複数のバス１４３５を通じて、直接的または間接的に互いに通信し得る。
【０１４４】
[0162]メモリモジュール１４２０は、ランダムアクセスメモリ（ＲＡＭ）および／または読取り専用メモリ（ＲＯＭ）を含み得る。メモリモジュール１４２０は、実行されると、プロセッサモジュール１４１０に、共有帯域におけるワイヤレスデータ送信のためのキャリア（たとえば、仮想キャリアと物理キャリアの両方）を管理するための本明細書で説明される様々な機能を実行させるように構成された命令を含む、コンピュータ可読の、コンピュータ実行可能ソフトウェア（ＳＷ）コード１４２５を記憶し得る。代替的に、ソフトウェアコード１４２５は、プロセッサモジュール１４１０によって直接実行可能ではないことがあるが、たとえば、コンパイルされ実行されると、ｅＮＢ１４０５に、本明細書で説明される様々な機能を実行させるように構成され得る。
【０１４５】
[0163]プロセッサモジュール１４１０は、インテリジェントハードウェアデバイス、たとえば、中央処理装置（ＣＰＵ）、マイクロコントローラ、ＡＳＩＣなどを含み得る。プロセッサモジュール１４１０は、送受信機モジュール１４５５、基地局通信モジュール１４３０、および／またはネットワーク通信モジュール１４４０を通じて受信された情報を処理することができる。プロセッサモジュール１４１０はまた、アンテナ１４６０を通じた送信のための送受信機モジュール１４５５に、１つまたは複数の他の基地局もしくはｅＮＢ１４０５−ａおよび１４０５−ｂへの送信のための基地局通信モジュール１４３０に、ならびに／または、図１を参照して説明されたコアネットワーク１３０の態様の一例であり得るコアネットワーク１４４５への送信のためのネットワーク通信モジュール１４４０に送られるべき情報を処理し得る。プロセッサモジュール１４１０は、単独で、またはｅＮＢ共有帯域モジュール１４７０とともに、共有帯域におけるワイヤレスデータ送信のためのキャリア（たとえば、仮想キャリアと物理キャリアの両方）を管理する様々な態様を扱うことができる。
【０１４６】
[0164]送受信機モジュール１４５５は、パケットを変調し、変調されたパケットを送信のためにアンテナ１４６０に与え、アンテナ１４６０から受信されたパケットを復調するように構成されたモデムを含み得る。いくつかの場合、（１つまたは複数の）送受信機モジュール１４５５は、１つまたは複数の送信機モジュールおよび１つまたは複数の別個の受信機モジュールとして実装され得る。送受信機モジュール１４５５は、共有免許帯域（たとえば、ＬＴＥ帯域）および／または共有免許不要帯域のような共有帯域における通信をサポートし得る。（１つまたは複数の）送受信機モジュール１４５５は、たとえば、図１、図２Ａ、図２Ｂ、および／または図３を参照して説明された、ＵＥもしくはデバイス１１５、２１５、および／または３１５の１つまたは複数と、（１つまたは複数の）アンテナ１４６０を介して双方向に通信するように構成され得る。ｅＮＢ１４０５は通常、複数のアンテナ１４６０（たとえば、アンテナアレイ）を含み得る。ｅＮＢ１４０５は、ネットワーク通信モジュール１４４０を通じてコアネットワーク１４４５と通信し得る。ｅＮＢ１４０５は、基地局通信モジュール１４３０を使用して、ｅＮＢ１４０５−ａおよび１４０５−ｂなどの他の基地局またはｅＮＢと通信し得る。
【０１４７】
[0165]図１４のアーキテクチャによれば、ｅＮＢ１４０５は通信管理モジュール１４５０をさらに含み得る。通信管理モジュール１４５０は、他の基地局、ｅＮＢ、および／またはデバイスとの通信を管理し得る。通信管理モジュール１４５０は、１つまたは複数のバス１４３５を介してｅＮＢ１４０５の他のコンポーネントの一部またはすべてと通信していることがある。代替的に、通信管理モジュール１４５０の機能は、（１つまたは複数の）送受信機モジュール１４５５のコンポーネントとして、コンピュータプログラム製品として、および／またはプロセッサモジュール１４１０の１つまたは複数のコントローラ要素として実装され得る。
【０１４８】
[0166]ｅＮＢ共有帯域モジュール１４７０は、共有帯域におけるワイヤレス通信に関する図１、図２Ａ、図２Ｂ、図３、図４Ａ、図４Ｂ、図５、図６、図７、図８、図９Ａ〜図９Ｄ、図１０Ａ、図１０Ｂ、図１１、図１２、および／または図１３を参照して説明された特徴および／または機能のいくつかまたはすべてを実行および／または制御するように構成され得る。たとえば、ｅＮＢ共有帯域モジュール１４７０は、免許帯域（たとえば、ＬＴＥ帯域）におけるワイヤレス通信、ならびに／または、免許不要帯域もしくは共有帯域における補助ダウンリンクモード、キャリアアグリゲーションモード、および／もしくはスタンドアロンモードをサポートするように構成され得る。ｅＮＢ共有帯域モジュール１４７０は、ＬＴＥ通信を扱うように構成されたＬＴＥモジュール１４７５、免許不要帯域もしくは共有帯域おいてＬＴＥ／ＬＴＥ−Ａ通信を扱うように構成されたＬＴＥ免許不要モジュール１４８０、ならびに／または、免許不要帯域においてＬＴＥ／ＬＴＥ−Ａ以外の通信を扱うように構成された免許不要モジュール１４８５を含み得る。ｅＮＢ共有帯域モジュール１４７０はまた、たとえば、共有帯域におけるワイヤレスデータ送信のためのキャリア（たとえば、仮想キャリアと物理キャリアの両方）を管理するための、図１、図２、図３、図４Ａ、図４Ｂ、図５、図６、図７、図８、図９Ａ〜図９Ｄ、図１０Ａ、図１０Ｂ、図１１、図１２、および／または図１３を参照して説明されたｅＮＢ機能のいずれかを実行するように構成されたキャリア管理モジュール１４９０を含み得る。キャリア管理モジュール１４９０は、図１０Ａ、図１０Ｂ、図１１、図１２、および／または図１３を参照して説明された同様のモジュール（たとえば、モジュール１０１５、１０６５、１１０５、１２０５、および／またはモジュール１３０５）の例であり得る。ｅＮＢ共有帯域モジュール１４７０、またはその一部は、プロセッサを含んでよく、ならびに／または、ｅＮＢ共有帯域モジュール１４７０の機能の一部またはすべては、プロセッサモジュール１４１０によって、および／もしくはプロセッサモジュール１４１０に関連して実行され得る。
【０１４９】
[0167]図１５を参照すると、共有帯域を通じたワイヤレス通信のために構成されたＵＥ１５１５を示すブロック図１５００が示されている。ＵＥ１５１５は、様々な他の構成を有し得、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット機器、ゲーミングコンソール、電子リーダーなどに含まれ得、またはそれらの一部であっ得る。いくつかの場合、ＵＥ１５１５は、モバイル動作を容易にするために、小型バッテリーのような内部電源（図示されず）を有し得る。いくつかの実施形態では、ＵＥ１５１５は、図１０Ａおよび／もしくは図１０Ｂを参照して説明されたデバイス１００５および／もしくは１０５５の１つ、ならびに／または、図１、図２Ａ、図２Ｂ、および／もしくは図５を参照して説明されたＵＥ１１５、２１５、および／もしくは５１５の１つの、１つまたは複数の態様の例であり得る。ＵＥ１５１５は、図１、図２Ａ、図２Ｂ、図３、図４Ａ、図４Ｂ、図５、図６、図７、図８、図９Ａ〜図９Ｄ、図１０Ａ、図１０Ｂ、図１１、図１２、および／または図１３を参照して説明された特徴および機能の少なくともいくつかを実装するように構成され得る。ＵＥ１５１５はまた、図１、図２Ａ、図２Ｂ、図５、図１０Ａ、図１０Ｂ、および／または図１４を参照して説明されたｅＮＢまたはデバイス１０５、２０５、５０５、５３５、１００５、１０５５、および／または１４０５の１つまたは複数と通信するように構成され得る。
【０１５０】
[0168]ＵＥ１５１５は、プロセッサモジュール１５１０、メモリモジュール１５２０、少なくとも１つの送受信機モジュール（送受信機モジュール１５７０によって表される）、少なくとも１つのアンテナ（アンテナ１５８０によって表される）、および／またはＵＥ共有帯域モジュール１５４０を含み得る。これらのコンポーネントの各々は、１つまたは複数のバス１５３５を通じて、直接的または間接的に互いに通信し得る。
【０１５１】
[0169]メモリモジュール１５２０は、ＲＡＭおよび／またはＲＯＭを含み得る。メモリモジュール１５２０は、実行されると、プロセッサモジュール１５１０に、共有帯域におけるワイヤレスデータ送信のためのキャリア（たとえば、仮想キャリアと物理キャリアの両方）を管理するための本明細書で説明される様々な機能を実行させるように構成された命令を含む、コンピュータ可読の、コンピュータ実行可能ソフトウェア（ＳＷ）コード１５２５を記憶し得る。いくつかの場合、実行される命令は、プロセッサモジュール１５１０に、図１０Ａおよび／または図１０Ｂを参照して説明されたデバイス１００５および／または１０５５の１つがキャリアを管理する方法と同様にキャリアを管理させ得る。代替的に、ソフトウェアコード１５２５は、プロセッサモジュール１５１０によって直接実行可能ではないことがあるが、（たとえば、コンパイルされ実行されると）ＵＥ１５１５に本明細書で説明される様々なＵＥ機能を実行させるように構成され得る。
【０１５２】
[0170]プロセッサモジュール１５１０は、インテリジェントハードウェアデバイス、たとえば、ＣＰＵ、マイクロコントローラ、ＡＳＩＣなどを含み得る。プロセッサモジュール１５１０は、（１つまたは複数の）送受信機モジュール１５７０を通じて受信された情報、および／または（１つまたは複数の）アンテナ１５８０を通じた送信のために（１つまたは複数の）送受信機モジュール１５７０に送られるべき情報を処理し得る。プロセッサモジュール１５１０は、単独で、またはＵＥ共有帯域モジュール１５４０とともに、共有帯域におけるワイヤレスデータ送信のためのキャリア（たとえば、仮想キャリアと物理キャリアの両方）を管理する様々な態様を扱うことができる。いくつかの場合、プロセッサモジュール１５１０は、図１０Ａおよび／または図１０Ｂを参照して説明されたデバイス１００５および／または１０５５の１つがキャリアを管理する方法と同様にキャリアを管理することができる。
【０１５３】
[0171]（１つまたは複数の）送受信機モジュール１５７０は、ｅＮＢと双方向に通信するように構成され得る。（１つまたは複数の）送受信機モジュール１５７０は、１つまたは複数の送信機モジュールおよび１つまたは複数の別個の受信機モジュールとして実装され得る。送受信機モジュール１５７０は、共有免許帯域（たとえば、ＬＴＥ帯域）および／または共有免許不要帯域のような共有帯域における通信をサポートし得る。送受信機モジュール１５７０は、パケットを変調し、変調されたパケットを送信のためにアンテナ１５８０に与え、アンテナ１５８０から受信されたパケットを復調するように構成されたモデムを含み得る。ＵＥ１５１５は単一のアンテナを含み得るが、ＵＥ１５１５が複数のアンテナ１５８０を含み得る実施形態があり得る。
【０１５４】
[0172]図１５のアーキテクチャによれば、ＵＥ１５１５は通信管理モジュール１５３０をさらに含み得る。通信管理モジュール１５３０は、様々な基地局またはｅＮＢとの通信を管理し得る。通信管理モジュール１５３０は、１つまたは複数のバス１５３５を通じてＵＥ１５１５の他のコンポーネントの一部またはすべてと通信しているＵＥ１５１５のコンポーネントであり得る。代替的に、通信管理モジュール１５３０の機能は、（１つまたは複数の）送受信機モジュール１５７０のコンポーネントとして、コンピュータプログラム製品として、および／またはプロセッサモジュール１５１０の１つまたは複数のコントローラ要素として実装され得る。
【０１５５】
[0173]ＵＥ共有帯域モジュール１５４０は、共有帯域におけるワイヤレス通信に関する図１、図２Ａ、図２Ｂ、図３、図４Ａ、図４Ｂ、図５、図６、図７、図８、図９Ａ〜図９Ｄ、図１０Ａ、図１０Ｂ、図１１、図１２、および／または図１３を参照して説明された特徴および／または機能のいくつかまたはすべてを実行および／または制御するように構成され得る。たとえば、ＵＥ共有帯域モジュール１５４０は、免許帯域（たとえば、ＬＴＥ帯域）におけるワイヤレス通信、ならびに／または、免許不要帯域もしくは共有帯域における補助ダウンリンクモード、キャリアアグリゲーションモード、および／もしくはスタンドアロンモードをサポートするように構成され得る。ＵＥ共有帯域モジュール１５４０は、ＬＴＥ通信を扱うように構成されたＬＴＥモジュール１５４５、免許不要帯域もしくは共有帯域おいてＬＴＥ／ＬＴＥ−Ａ通信を扱うように構成されたＬＴＥ免許不要モジュール１５５０、および／または、免許不要帯域もしくは共有帯域においてＬＴＥ／ＬＴＥ−Ａ通信以外の通信を扱うように構成された免許不要モジュール１５５５を含み得る。ＵＥ共有帯域モジュール１５４０はまた、たとえば、図１０Ａおよび／または図１０Ｂを参照して説明されたデバイス１００５および／または１０５５の１つがキャリア管理を実行する方法と同様にキャリア管理を実行するように構成される、キャリア管理モジュール１５６０を含み得る。キャリア管理モジュール１５６０は、図１０Ａ、図１０Ｂ、図１１、図１２、および／または図１３を参照して説明された同様のモジュール（たとえば、モジュール１０１５、１０６５、１１０５、１２０５、および／またはモジュール１３０５）の例であり得る。ＵＥ共有帯域モジュール１５４０、またはその一部は、プロセッサを含んでよく、ならびに／または、ＵＥ共有帯域モジュール１５４０の機能の一部またはすべては、プロセッサモジュール１５１０によって、および／もしくはプロセッサモジュール１５１０に関連して実行され得る。
【０１５６】
[0174]次に図１６を参照すると、ｅＮＢ１６０５とＵＥ１６１５とを含むように、多入力多出力（ＭＩＭＯ）通信システム１６００のブロック図が示されている。ｅＮＢ１６０５およびＵＥ１６１５は、免許帯域および／または免許不要帯域（たとえば、ＬＴＥ帯域および／または免許不要帯域もしくは共有帯域）を使用したＬＴＥベースの通信をサポートすることができる。ｅＮＢ１６０５は、図１０Ａおよび／もしくは図１０Ｂを参照して説明されたデバイス１００５および／もしくは１０５５の１つ、ならびに／または、図１、図２Ａ、図２Ｂ、図５、および／もしくは図１４を参照して説明されたｅＮＢ１０５、２０５、５０５、および／もしくは１４０５の１つの、１つまたは複数の態様の例であり得る。ＵＥ１６１５は、図１０Ａおよび／もしくは図１０Ｂを参照して説明されたデバイス１００５および／もしくは１０５５の１つ、ならびに／または、図１、図２Ａ、図２Ｂ、図５、および／もしくは図１５を参照して説明されたＵＥ１１５、２１５、５１５、および／もしくは１５１５の１つの、１つまたは複数の態様の例であり得る。システム１６００は、図１、図２Ａ、図２Ｂ、および／または図５を参照して説明されたワイヤレス通信システム１００、２００、２５０、および／または５００の態様を示し得る。
【０１５７】
[0175]ｅＮＢ１６０５はアンテナ１６３４−ａ〜１６３４−ｘを備え得、ＵＥ１６１５はアンテナ１６５２−ａ〜１６５２−ｎを備え得る。システム１６００では、ｅＮＢ１６０５は複数の通信リンクを通じて同時にデータを送ることが可能であり得る。各通信リンクは「レイヤ」と呼ばれることがあり、通信リンクの「ランク」は、通信に使用されるレイヤの数を示し得る。たとえば、ｅＮＢ１６０５が２つの「レイヤ」を送信する２×２ＭＩＭＯシステムでは、ｅＮＢ１６０５とＵＥ１６１５との間の通信リンクのランクは２であり得る。
【０１５８】
[0176]ｅＮＢ１６０５において、送信メモリ１６４２と通信可能に結合される送信（Ｔｘ）プロセッサ１６２０がデータソースからデータを受信し得る。送信プロセッサ１６２０は、データを処理し得る。送信プロセッサ１６２０はまた、参照シンボルおよび／またはセル固有参照信号を生成し得る。送信（Ｔｘ）ＭＩＭＯプロセッサ１６３０は、可能な場合、データシンボル、制御シンボル、および／または参照シンボルに対して空間処理（たとえば、プリコーディング）を実行することができ、出力シンボルストリームを送信（Ｔｘ）変調器１６３２−ａ〜１６３２−ｘに提供することができる。各変調器１６３２は、出力サンプルストリームを取得するために、（たとえば、ＯＦＤＭなどのための）それぞれの出力シンボルストリームを処理し得る。各変調器１６３２はさらに、ダウンリンク（ＤＬ）信号を取得するために出力サンプルストリームを処理する（たとえば、アナログに変換し、増幅し、フィルタリングし、アップコンバートする）ことができる。１つの例では、変調器１６３２−ａ〜１６３２−ｘからのＤＬ信号は、それぞれアンテナ１６３４−ａ〜１６３４−ｘを介して送信され得る。
【０１５９】
[0177]ＵＥ１６１５において、アンテナ１６５２−ａ〜１６５２−ｎは、ｅＮＢ１６０５からＤＬ信号を受信することができ、受信された信号をそれぞれ受信（Ｒｘ）復調器１６５４−ａ〜１６５４−ｎに提供することができる。各復調器１６５４は、入力サンプルを取得するために、それぞれの受信された信号を調整する（たとえば、フィルタリングし、増幅し、ダウンコンバートし、およびデジタル化する）ことができる。各復調器１６５４はさらに、受信されたシンボルを取得するために、（たとえば、ＯＦＤＭなどのために）入力サンプルを処理し得る。ＭＩＭＯ検出器１６５６は、すべての復調器１６５４−ａ〜１６５４−ｎから受信されたシンボルを取得し、可能な場合、受信されたシンボルに対してＭＩＭＯ検出を実行し、検出されたシンボルを提供することができる。受信（Ｒｘ）プロセッサ１６５８は、検出されたシンボルを処理し（たとえば、復調し、デインターリーブし、および復号し）、ＵＥ１６１５のための復号されたデータをデータ出力に提供し、復号された制御情報をプロセッサ１６８０またはメモリ１６８２に提供することができる。
【０１６０】
[0178]アップリンク（ＵＬ）上で、ＵＥ１６１５において、送信（Ｔｘ）プロセッサ１６６４は、データソースからのデータを受信し、処理し得る。送信プロセッサ１６６４はまた、参照信号のための参照シンボルを生成し得る。送信プロセッサ１６６４からのシンボルは、可能な場合は送信（Ｔｘ）ＭＩＭＯプロセッサ１６６６によってプリコーディングされ、送信（Ｔｘ）復調器１６５４−ａ〜１６５４−ｎによって（たとえば、ＳＣ−ＦＤＭＡなどのために）さらに処理され、ｅＮＢ１６０５から受信された送信パラメータに従ってｅＮＢ１６０５に送信され得る。ｅＮＢ１６０５において、ＵＥ１６１５からのＵＬ信号がアンテナ１６３４によって受信され、受信機（Ｒｘ）復調器１６３２によって処理され、可能な場合はＭＩＭＯ検出器１６３６によって検出され、受信（Ｒｘ）プロセッサ１６３８によってさらに処理され得る。受信プロセッサ１６３８は、復号されたデータをデータ出力およびプロセッサ１６４０に提供することができる。
【０１６１】
[0179]プロセッサ１６４０および１６８０は、共有帯域におけるワイヤレスデータ送信のためのキャリア（たとえば、仮想キャリアと物理キャリアの両方）を管理するための、それぞれのモジュールまたは機能１６４１と１６８１とを含み得る。いくつかの実施形態では、モジュールまたは機能１６４１、１６８１は、図１０Ａ、図１０Ｂ、図１１、および／または図１２を参照して説明されたキャリア管理モジュール１０１５、１０６５、１１０５、および／または１２０５の１つまたは複数の態様の例であり得る。ｅＮＢ１６０５は、ＵＥ１６１５および／または他のデバイスへの／からのワイヤレスデータ送信の送信または受信に関連してキャリアを管理するために、モジュールまたは機能１６４１を使用することができ、一方、ＵＥ１６１５は、ｅＮＢ１６０５および／または他のデバイスへの／からのワイヤレスデータ送信の送信または受信に関連してキャリアを管理するために、モジュールまたは機能１６８１を使用することができる。いくつかの場合、ｅＮＢ１６０５およびＵＥ１６１５は、ｅＮＢ１６０５およびＵＥ１６１５の各々がＣＣＡの実行に成功した後にだけ、共有帯域を通じて互いに通信することができる。いくつかの場合、ｅＮＢ１６０５およびＵＥ１６１５は、ｅＮＢ１６０５およびＵＥ１６１５の各々が、通信の間にｅＮＢ１６０５およびＵＥ１６１５によって使用されることになる各物理キャリアに対するＣＣＡの実行に成功した後にだけ、共有帯域を通じて互いに通信することができる。
【０１６２】
[0180]ｅＮＢ１６０５のコンポーネントは、ハードウェアにおいて適用可能な機能の一部またはすべてを実行するように適合された１つまたは複数のＡＳＩＣとともに、個々にまたはまとめて実装され得る。言及されたモジュールの各々は、システム１６００の動作に関する１つまたは複数の機能を実行するための手段であり得る。同様に、ＵＥ１６１５のコンポーネントは、適用可能な機能の一部またはすべてをハードウェアで実行するように適合された１つまたは複数のＡＳＩＣによって、個々にまたはまとめて実装され得る。言及されたコンポーネントの各々は、システム１６００の動作に関する１つまたは複数の機能を実行するための手段であり得る。
【０１６３】
[0181]図１７は、ワイヤレス通信のための方法１７００の例を示すフローチャートである。明瞭にするために、方法１７００は、図５、図１０Ａ、および／もしくは図１０Ｂを参照して説明された、デバイス５３５、１００５、および／もしくは１０５５の１つ、図１、図２Ａ、図２Ｂ、図５、図１４、および／もしくは図１６を参照して説明されたｅＮＢ１０５、２０５、５０５、１４０５、および／もしくは１６０５の１つ、ならびに／または、図１、図２Ａ、図２Ｂ、図５、図１５、および／もしくは図１６を参照して説明されたＵＥ１１５、２１５、５１５、１５１５、および／もしくは１６１５の１つを参照して以下で説明される。一実施形態では、ｅＮＢ１０５、２０５、５０５、１００５、１４０５、および／もしくは１６０５、またはＵＥ１１５、２１５、５１５、１０５５、１５１５、および／もしくは１６１５のようなデバイスが、以下で説明される機能を実行するようにデバイスの機能要素を制御するために、コードの１つまたは複数のセットを実行することができる。
【０１６４】
[0182]ブロック１７０５において、第１のデバイスにより実行されたＣＣＡと関連付けられる複数の物理キャリアから、ＣＣＡが成功した物理キャリアのうちの１つが特定され得る。いくつかの場合、ブロック１７０５の動作は、図１０Ａ、図１０Ｂ、図１１、図１２、図１３、図１４、図１５、および／もしくは図１６を参照して説明されたキャリア管理モジュール１０１５、１０６５、１１０５、１２０５、１３０５、１４９０、１５６０、１６４１、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３１５を使用して実行され得る。
【０１６５】
[0183]ブロック１７１０において、第１のデバイスによるワイヤレスデータ送信と関連付けられる仮想キャリアが、物理キャリアの特定された１つにマッピングされ得る。いくつかの場合、ブロック１７１０の動作は、図１０Ａ、図１０Ｂ、図１１、図１２、図１３、図１４、図１５、および／もしくは図１６を参照して説明されたキャリア管理モジュール１０１５、１０６５、１１０５、１２０５、１３０５、１４９０、１５６０、１６４１、および／もしくは１６８１を使用して、ならびに／または、図１０Ｂ、図１１、図１２、および／もしくは図１３を参照して説明された仮想キャリアから物理キャリアへのマッピングモジュール１０８５、１１３５、１２３５、および／もしくは１３３５を使用して実行され得る。
【０１６６】
[0184]いくつかの実施形態では、方法１７００は、仮想キャリアを通じてワイヤレスデータ送信を送信することができる送信デバイスによって実行され得る。他の実施形態では、方法１７００は、仮想キャリアを通じてワイヤレスデータ送信を受信することができる受信デバイスによって実行され得る。いずれの場合でも、送信デバイスまたは受信デバイスは、いくつかの場合、図１、図２Ａ、図２Ｂ、図５、図１０Ａ、図１０Ｂ、図１４、図１５、および／または図１６を参照して説明された、ｅＮＢまたはＵＥ１０５、１１５、２０５、２１５、５０５、５１５、５３５、１００５、１０５５、１４０５、１５１５、１６０５、および／または１６１５の１つであり得る。
【０１６７】
[0185]方法１７００は、共有帯域（たとえば、ＬＴＥ／ＬＴＥ−Ａ帯域のような共有免許帯域またはＷＬＡＮ帯域のような共有免許不要帯域）を通じたある数の送信間隔の各々に対して繰り返され得る。いくつかの場合、送信間隔は無線フレームであり得、方法１７００（ブロック１７１０において行われるマッピングを含む）はフレームごとに実行され得る。
【０１６８】
[0186]したがって、方法１７００はワイヤレス通信を提供し得る。方法１７００は一実装形態にすぎず、方法１７００の動作は、他の実装形態が可能であるように再構成され得、または別様に修正され得ることに留意されたい。
【０１６９】
[0187]図１８は、ワイヤレス通信のための方法１８００の例を示すフローチャートである。明瞭にするために、方法１８００は、送信デバイスを参照して以下で説明され、この送信デバイスは、図５、図１０Ａ、および／もしくは図１０Ｂを参照して説明されたデバイス５３５、１００５、および／もしくは１０５５の１つ、図１、図２Ａ、図２Ｂ、図５、図１４、および／もしくは図１６を参照して説明されたｅＮＢ１０５、２０５、５０５、１４０５、および／もしくは１６０５の１つ、ならびに／または、図１、図２Ａ、図２Ｂ、図５、図１５、および／もしくは図１６を参照して説明されたＵＥ１１５、２１５、５１５、１５１５、および／もしくは１６１５の１つであり得る。一実施形態では、ｅＮＢまたはＵＥ１０５、１１５、２０５、２１５、５０５、５１５、１００５、１０５５、１４０５、１５１５、１６０５、および／もしくは１６１５のようなデバイスが、以下で説明される機能を実行するようにデバイスの機能要素を制御するために、コードの１つまたは複数のセットを実行することができる。
【０１７０】
[0188]ブロック１８０５において、ワイヤレスデータ送信と関連付けられる仮想キャリアの数が特定され得る。いくつかの場合、ブロック１８０５の動作は、図１０Ａ、図１０Ｂ、図１１、図１３、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１１を参照して説明された仮想キャリア特定モジュール１１２０を使用して実行され得る。
【０１７１】
[0189]ブロック１８１０において、複数の物理キャリアが、ブロック１８０５において特定される仮想キャリアの数に基づいて選択され得る。選択される物理キャリアの数は、ブロック１８０５において特定される仮想キャリアの数よりも多数の物理キャリアの数であり得る。
【０１７２】
[0190]いくつかの場合、複数の物理キャリアは、チャネル強度測定結果に基づいて選択され得る（たとえば、物理キャリアの１つまたは複数が、閾値を超えるチャネル強度と関連付けられるので選択され得る）。いくつかの場合、複数の物理キャリアは、複数の物理キャリアの少なくとも一部分についてのチャネル強度測定結果のエイジに基づいて選択され得る（たとえば、複数の物理キャリアの１つまたは複数が、より最近の、より信頼できる可能性のあるチャネル強度測定結果と関連付けられるので、選択されることがあり、および／または、複数の物理キャリアの１つまたは複数が、より古いチャネル強度測定結果と関連付けられ更新されたチャネル強度測定結果が望まれるので、選択されることがある）。いくつかの場合、複数の物理キャリアは、物理キャリアが、ワイヤレスデータ送信と関連付けられる変調およびコーディング方式（ＭＣＳ）、ワイヤレスデータ送信と（たとえば、ＭＩＭＯ送信と）関連付けられるランク、またはワイヤレスデータ送信と関連付けられるトランスポートブロックサイズの少なくとも１つをサポートすることが可能かどうかの決定に基づいて選択され得る。
【０１７３】
[0191]いくつかの場合、ブロック１８１０の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された物理キャリア特定モジュール１０８０および／もしくは１１２５を使用して実行され得る。チャネル強度測定結果が、それに依拠する場合、チャネル強度分析サブモジュール１１３０を使用して分析され得る。
【０１７４】
[0192]ブロック１８１５において、ブロック１８１０で選択された複数の物理キャリアの各々の上でＣＣＡが実行され得る。いくつかの場合、ブロック１８１５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明されたＣＣＡモジュール１０７５および／もしくは１１１５を使用して実行され得る。
【０１７５】
[0193]ブロック１８２０において、ＣＣＡがブロック１８１５において実行された複数の物理キャリアから、ＣＣＡが成功した物理キャリアのサブセットが特定され得る。サブセットは、ＣＣＡが実行された物理キャリアの１つまたは複数、またはすべてを含み得る。ブロック１８２０において特定される物理キャリアのサブセットが空集合であるとき、方法１８００はブロック１８６０に飛ぶことができ、ブロック１８６０において、方法１８００が共有帯域の次の送信間隔に対して繰り返されるまで、待機が発生し得る。
【０１７６】
[0194]いくつかの場合、ブロック１８２０の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された物理キャリア特定モジュール１０８０および／もしくは１１２５を使用して実行され得る。
【０１７７】
[0195]ブロック１８２５において、ＣＣＡが成功した物理キャリアのサブセットの帯域幅がワイヤレスデータ送信の帯域幅以上であるかどうかが決定され得る。いくつかの場合、この決定は、ブロック１８０５において特定される仮想キャリアの数を、ＣＣＡが成功した、物理キャリアのサブセットの中の物理キャリアの数と比較することによって行われ得る。いくつかの場合、ブロック１８２５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された仮想キャリアから物理キャリアへのマッピングモジュール１０８５および／もしくは１１３５を使用して実行され得る。
【０１７８】
[0196]ＣＣＡが成功した物理キャリアのサブセットの帯域幅がワイヤレスデータ送信の帯域幅以上であることがブロック１８２５において決定されるとき、方法１８００はブロック１８３０に続き得る。ブロック１８３０において、ワイヤレスデータ送信と関連付けられる仮想キャリアの各々は、物理キャリアのサブセットのある物理キャリアにマッピングされ得る。このマッピングは、方法１８００を実行するデバイスと、方法１８００を実行するデバイスによって送信されるワイヤレスデータ送信を受信するように構成されたデバイスとの間で共有される、所定のマッピング方式を使用して実施され得る。いくつかの場合、ブロック１８３０の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された仮想キャリアから物理キャリアへのマッピングモジュール１０８５および／もしくは１１３５を使用して実行され得る。
【０１７９】
[0197]ブロック１８３５において、仮想キャリアがマッピングされる物理キャリアの各々について（たとえば、仮想キャリアの数に等しい数の物理キャリアについて）、ＣＵＢＳまたはＣＲＳが送信され得る。いくつかの場合、ブロック１８３５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１１を参照して説明されたキャリア予約モジュール１１５０を使用して実行され得る。
【０１８０】
[0198]ブロック１８４０において、ワイヤレスデータ送信が送信のために準備され得る。いくつかの場合、ワイヤレスデータ送信を送信のために準備することは、各仮想キャリアに対して、物理キャリアの１つのキャリア識別フィールド（ＣＩＦ）に仮想キャリアと関連付けられる識別子を挿入することを含み得る。
【０１８１】
[0199]ブロック１８４５において、ワイヤレスデータ送信が、ワイヤレスデータ送信と関連付けられる仮想キャリアを通じて送信され得る。方法１８００は次いでブロック１８６０に続くことができ、ブロック１８６０において、共有帯域の次の送信間隔のために方法１８００が繰り返されるまで、待機が発生し得る。
【０１８２】
[0200]いくつかの場合、ブロック１８４０および／またはブロック１８４５における動作は、図１０Ｂおよび／または図１１を参照して説明されたデータ送信／受信モジュール１０９０および／または１１１０を使用して実行され得る。
【０１８３】
[0201]ＣＣＡが成功した物理キャリアのサブセットの帯域幅がワイヤレスデータ送信の帯域幅未満であることがブロック１８２５において決定されるとき、方法１８００はブロック１８５０に続き得る。ブロック１８５０において、ＣＣＡが成功した物理キャリアのサブセットの帯域幅がワイヤレスデータ送信と関連付けられる仮想キャリアの少なくとも１つの帯域幅（たとえば、一次仮想キャリアの帯域幅）以上であるかどうかが決定され得る。いくつかの場合、この決定は、ＣＣＡが成功した物理キャリアのサブセットの中の物理キャリアの数が１以上であるかどうかを決定することによって行われ得る。いくつかの場合、ブロック１８５０の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された仮想キャリアから物理キャリアへのマッピングモジュール１０８５および／もしくは１１３５を使用して実行され得る。
【０１８４】
[0202]ＣＣＡが成功した物理キャリアのサブセットの帯域幅がワイヤレスデータ送信と関連付けられる仮想キャリアの少なくとも１つの帯域幅以上であることがブロック１８５０において決定されるとき、方法１８００はブロック１８５５に続き得る。ブロック１８５５において、ワイヤレスデータ送信と関連付けられる少なくとも１つの仮想キャリアの各々は、物理キャリアのサブセットのそれぞれの物理キャリアにマッピングされ得る。しかしながら、方法１８００は、少なくとも１つの他の仮想キャリアを物理キャリアのサブセットの物理キャリアにマッピングするのを控えることができる。このマッピングは、方法１８００を実行するデバイスと、方法１８００を実行するデバイスによって送信されるワイヤレスデータ送信を受信するように構成されたデバイスとの間で共有される、所定のマッピング方式を使用して実施され得る。いくつかの場合、特定の１つの仮想キャリア（または複数のキャリア）を物理キャリアのサブセットのある物理キャリアにマッピングするのを控えるという決定は、マッピングされた仮想キャリアの優先順位に対する、マッピングされていない仮想キャリアの優先順位に基づき得る。たとえば、いくつかの場合、一次仮想キャリアは、任意の他の仮想キャリアがそれぞれの物理キャリアにマッピングされる前に、それぞれの物理キャリアにマッピングされ得る。いくつかの場合、ブロック１８５５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１１を参照して説明された部分送信マッピングサブモジュール１１４０を使用して実行され得る。
【０１８５】
[0203]ブロック１８５５においてマッピングを実行した後で、処理は、ブロック１８３５、１８４０、１８４５、および１８６０に続き得る。ブロック１８３５、１８４０、１８４５、および１８６０は、上で説明されたように実行され得る動作を含む。
【０１８６】
[0204]ＣＣＡが成功した物理キャリアのサブセットの帯域幅がワイヤレスデータ送信と関連付けられる１つの仮想キャリアの帯域幅にも及ばないことがブロック１８５０において決定されるとき、方法１８００はブロック１８６０に続き得る。ブロック１８６０において、共有帯域の次の送信間隔のために方法１８００が繰り返されるまで、待機が発生し得る。
【０１８７】
[0205]方法１８００は、共有帯域（たとえば、ＬＴＥ／ＬＴＥ−Ａ帯域のような共有免許帯域またはＷＬＡＮ帯域のような共有免許不要帯域）を通じたある数の送信間隔の各々に対して繰り返され得る。いくつかの場合、送信間隔は無線フレームであり得、方法１８００（ブロック１８３０および／または１８５５において行われるマッピングを含む）はフレームごとに実行され得る。
【０１８８】
[0206]したがって、方法１８００はワイヤレス通信を提供し得る。方法１８００は一実装形態にすぎず、方法１８００の動作は、他の実装形態が可能であるように再構成され得、または別様に修正され得ることに留意されたい。
【０１８９】
[0207]図１９は、ワイヤレス通信のための方法１９００の例を示すフローチャートである。明瞭にするために、方法１９００は、送信デバイスを参照して以下で説明され、この送信デバイスは、図５、図１０Ａ、および／もしくは図１０Ｂを参照して説明されたデバイス５３５、１００５、および／もしくは１０５５の１つ、図１、図２Ａ、図２Ｂ、図５、図１４、および／もしくは図１６を参照して説明されたｅＮＢ１０５、２０５、５０５、１４０５、および／もしくは１６０５の１つ、ならびに／または、図１、図２Ａ、図２Ｂ、図５、図１５、および／もしくは図１６を参照して説明されたＵＥ１１５、２１５、５１５、１５１５、および／もしくは１６１５の１つであり得る。一実施形態では、ｅＮＢまたはＵＥ１０５、１１５、２０５、２１５、５０５、５１５、１００５、１０５５、１４０５、１５１５、１６０５、および／もしくは１６１５のようなデバイスが、以下で説明される機能を実行するようにデバイスの機能要素を制御するために、コードの１つまたは複数のセットを実行することができる。
【０１９０】
[0208]ブロック１９０５において、ワイヤレスデータ送信と関連付けられるある数の仮想キャリアについて、アップリンクグラントが受信され得る。アップリンクグラントは、ＣＣＡと関連付けられる複数の物理キャリアを特定することができ、ＣＣＡは方法１９００を実行するデバイスによって実行され得る。ＵＬグラントにおいて特定される物理キャリアの数は、仮想キャリアの数よりも多数の物理キャリアの数であり得る。いくつかの場合、ブロック１９０５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された物理キャリア特定モジュール１０８０および／もしくは１１２５を使用して実行され得る。
【０１９１】
[0209]ブロック１９１０において、ブロック１９０５でアップリンクグラントにおいて特定された複数の物理キャリアの各々の上でＣＣＡが実行され得る。いくつかの場合、ブロック１９０５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明されたＣＣＡモジュール１０７５および／もしくは１１１５を使用して実行され得る。
【０１９２】
[0210]ブロック１９１５において、ＣＣＡがブロック１９１０において実行された複数の物理キャリアから、ＣＣＡが成功した物理キャリアのサブセットが特定され得る。サブセットは、ＣＣＡが実行された物理キャリアの１つまたは複数、またはすべてを含み得る。いくつかの場合、ブロック１９１５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された物理キャリア特定モジュール１０８０および／もしくは１１２５を使用して実行され得る。
【０１９３】
[0211]ブロック１９２０において、ワイヤレスデータ送信と関連付けられる仮想キャリアの各々は、物理キャリアのサブセットの１つにマッピングされ得る。このマッピングは、方法１９００を実行するデバイスと、方法１９００を実行するデバイスによって送信されるワイヤレスデータ送信を受信するように構成されたデバイス（たとえば、アップリンクグラントと提供したｅＮＢ）との間で共有される、所定のマッピング方式を使用して実施され得る。いくつかの場合、ブロック１９２０の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された仮想キャリアから物理キャリアへのマッピングモジュール１０８５および／もしくは１１３５を使用して実行され得る。
【０１９４】
[0212]方法１９００は、共有帯域（たとえば、ＬＴＥ／ＬＴＥ−Ａ帯域のような共有免許帯域またはＷＬＡＮ帯域のような共有免許不要帯域）を通じたある数の送信間隔の各々に対して繰り返され得る。いくつかの場合、送信間隔は無線フレームであり得、方法１９００（ブロック１９２０において行われるマッピングを含む）はフレームごとに実行され得る。
【０１９５】
[0213]したがって、方法１９００はワイヤレス通信を提供し得る。方法１９００は一実装形態にすぎず、方法１９００の動作は、他の実装形態が可能であるように再構成され得、または別様に修正され得ることに留意されたい。
【０１９６】
[0214]図２０は、ワイヤレス通信のための方法２０００の例を示すフローチャートである。明瞭にするために、方法２０００は、送信デバイスを参照して以下で説明され、この送信デバイスは、図５、図１０Ａ、および／もしくは図１０Ｂを参照して説明されたデバイス５３５、１００５、および／もしくは１０５５の１つ、図１、図２Ａ、図２Ｂ、図５、図１４、および／もしくは図１６を参照して説明されたｅＮＢ１０５、２０５、５０５、１４０５、および／もしくは１６０５の１つ、ならびに／または、図１、図２Ａ、図２Ｂ、図５、図１５、および／もしくは図１６を参照して説明されたＵＥ１１５、２１５、５１５、１５１５、および／もしくは１６１５の１つであり得る。一実施形態では、ｅＮＢまたはＵＥ１０５、１１５、２０５、２１５、５０５、５１５、１００５、１０５５、１４０５、１５１５、１６０５、および／もしくは１６１５のようなデバイスが、以下で説明される機能を実行するようにデバイスの機能要素を制御するために、コードの１つまたは複数のセットを実行することができる。
【０１９７】
[0215]ブロック２００５において、ワイヤレスデータ送信と関連付けられる仮想キャリアの数よりも多数の複数の物理キャリア上でＣＣＡが実行され得る。いくつかの場合、ブロック２００５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明されたＣＣＡモジュール１０７５および／もしくは１１１５を使用して実行され得る。
【０１９８】
[0216]ブロック２０１０において、ＣＣＡがブロック２００５において実行された複数の物理キャリアから、ＣＣＡが成功した複数の物理キャリアが特定され得る。いくつかの場合、ブロック２０１０の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された物理キャリア特定モジュール１０８０および／もしくは１１２５を使用して実行され得る。
【０１９９】
[0217]ブロック２０１５において、ワイヤレスデータ送信と関連付けられる仮想キャリアの各々は、物理キャリアのサブセットの１つにマッピングされ得る。このマッピングは、方法２０００を実行するデバイスと、方法２０００を実行するデバイスによって送信されるワイヤレスデータ送信を受信するように構成されたデバイスとの間で共有される、所定のマッピング方式を使用して実施され得る。いくつかの場合、ＣＣＡが成功した物理キャリアの数が仮想キャリアの数よりも多いと決定すると、ある数の仮想キャリアの各々が、複数の物理キャリアにマッピングされ得る（たとえば、１つの仮想キャリアが複数の物理キャリアにマッピングされることがあり、または、１つの仮想キャリアが複数の物理キャリアの第１のセットにマッピングされることがあり、別の仮想キャリアが複数の物理キャリアの第２のセットにマッピングされることがある、など）。いくつかの場合、ブロック２０１５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された仮想キャリアから物理キャリアへのマッピングモジュール１０８５および／もしくは１１３５を使用して実行され得る。
【０２００】
[0218]ブロック２０２０において、ワイヤレスデータ送信の少なくとも一部分が複数の物理キャリアを通じて冗長的に送信され得る（すなわち、ワイヤレスデータ送信の少なくとも一部分が冗長な送信を含み得る）。いくつかの場合、ブロック２０２０における動作は、図１０Ｂおよび／または図１１を参照して説明されたデータ送信／受信モジュール１０９０および／または１１１０を使用して実行され得る。
【０２０１】
[0219]方法２０００は、共有帯域（たとえば、ＬＴＥ／ＬＴＥ−Ａ帯域のような共有免許帯域またはＷＬＡＮ帯域のような共有免許不要帯域）を通じたある数の送信間隔の各々に対して繰り返され得る。いくつかの場合、送信間隔は無線フレームであり得、方法２０００（ブロック２０１５において行われるマッピングを含む）はフレームごとに実行され得る。
【０２０２】
[0220]したがって、方法２０００はワイヤレス通信を提供し得る。方法２０００は一実装形態にすぎず、方法２０００の動作は、他の実装形態が可能であるように再構成され得、または別様に修正され得ることに留意されたい。
【０２０３】
[0221]図２１は、ワイヤレス通信のための方法２１００の例を示すフローチャートである。明瞭にするために、方法２１００は、受信デバイスを参照して以下で説明され、この受信デバイスは、図５、図１０Ａ、および／もしくは図１０Ｂを参照して説明されたデバイス５３５、１００５、および／もしくは１０５５の１つ、図１、図２Ａ、図２Ｂ、図５、図１４、および／もしくは図１６を参照して説明されたｅＮＢ１０５、２０５、５０５、１４０５、および／もしくは１６０５の１つ、ならびに／または、図１、図２Ａ、図２Ｂ、図５、図１５、および／もしくは図１６を参照して説明されたＵＥ１１５、２１５、５１５、１５１５、および／もしくは１６１５の１つであり得る。一実施形態では、ｅＮＢまたはＵＥ１０５、１１５、２０５、２１５、５０５、５１５、１００５、１０５５、１４０５、１５１５、１６０５、および／もしくは１６１５のようなデバイスが、以下で説明される機能を実行するようにデバイスの機能要素を制御するために、コードの１つまたは複数のセットを実行することができる。
【０２０４】
[0222]ブロック２１０５において、送信デバイス（たとえば、第１のデバイス）によるワイヤレスデータ送信の前に、および／または方法２１００を実行するデバイス（たとえば、第２のデバイス）によるワイヤレスデータ送信の受信の前に、複数の物理キャリアが監視され得る。いくつかの実施形態では、第２のデバイスは、第１のデバイスからビットマップを受信することができ、このビットマップは、第２のデバイスにより監視されるべき１つまたは複数の物理キャリアのセットを特定する。いくつかの場合、このビットマップは、免許帯域の制御チャネルを通じて受信され得る。いくつかの場合、ブロック２１０５の動作は、図１０Ａ、図１０Ｂ、図１２、図１４、図１５、および／もしくは図１６を参照して説明されたキャリア管理モジュール１０１５、１０６５、１１０５、１４９０、１５６０、１６４１、および／もしくは１６８１を使用して、図１０Ｂおよび／もしくは図１２を参照して説明された物理キャリア特定モジュール１０８０および／もしくは１２１５を使用して、ならびに／または、図１２を参照して説明された監視サブモジュール１２２０を使用して実行され得る。
【０２０５】
[0223]ブロック２１１０において、送信デバイスからのシグナリングが、監視された物理キャリアの１つまたは複数を通じて受信され得る。シグナリングは、送信デバイスによるワイヤレスデータ送信の前に、および／または、方法２１００を実行するデバイスによるワイヤレスデータ送信の受信の前に、受信され得る。いくつかの場合、シグナリングは、監視された物理キャリアの１つまたは複数を通じて送信デバイスから受信されるＣＵＢＳまたはＣＲＳを含み得る。いくつかの場合、ブロック２１１０の動作は、図１０Ａ、図１０Ｂ、図１２、図１４、図１５、および／もしくは図１６を参照して説明されたキャリア管理モジュール１０１５、１０６５、１１０５、１４９０、１５６０、１６４１、および／もしくは１６８１を使用して、図１０Ｂおよび／もしくは図１２を参照して説明された物理キャリア特定モジュール１０８０および／もしくは１２１５を使用して、ならびに／または、図１２を参照して説明されたシグナリング受信および分析サブモジュール１２２５を使用して実行され得る。
【０２０６】
[0224]ブロック２１１５において、送信デバイスによるＣＣＡの実行が成功した物理キャリアのサブセットが特定され得る。物理キャリアのサブセットは、送信デバイスから受信されるシグナリングおよび／または送信デバイスから受信されるビットマップに基づいて特定され得る。たとえば、物理キャリアのうちの監視されている１つでのシグナリングの存在は、物理キャリアのうちの監視されている１つのためのＣＣＡの実行に送信デバイスが成功したことを示し得る。加えて、または代替的に、送信デバイスから受信されるビットマップは、送信デバイスがＣＣＡの実行に成功した１つまたは複数の物理キャリアのセットを示し得る。いくつかの場合、ブロック２１１５の動作は、図１０Ａ、図１０Ｂ、図１１、図１４、図１５、および／もしくは図１６を参照して説明されたキャリア管理モジュール１０１５、１０６５、１１０５、１４９０、１５６０、１６４１、および／もしくは１６８１を使用して、ならびに／または、図１０Ｂおよび／もしくは図１１を参照して説明された物理キャリア特定モジュール１０８０および／もしくは１１２５を使用して実行され得る。
【０２０７】
[0225]ブロック２１２０において、ワイヤレスデータ送信と関連付けられるある数の仮想キャリアの各々は、ブロック２１１５において特定される物理キャリアのサブセットの１つにマッピングされ得る。このマッピングは、送信デバイスと方法２１００を実行するデバイスとの間で共有される所定のマッピング方式を使用して実施され得る。いくつかの場合、（たとえば、ワイヤレスデータ送信の少なくとも一部分が冗長な送信を含むとき）ある仮想キャリアが複数の物理キャリアにマッピングされ得る。いくつかの場合、ブロック２１２０の動作は、図１０Ａ、図１０Ｂ、図１２、図１４、図１５、および／もしくは図１６を参照して説明されたキャリア管理モジュール１０１５、１０６５、１２０５、１４９０、１５６０、１６４１、および／もしくは１６８１を使用して、ならびに／または、図１０Ｂおよび／もしくは図１２を参照して説明された仮想キャリアから物理キャリアへのマッピングモジュール１０８５および／もしくは１２３５を使用して実行され得る。
【０２０８】
[0226]ブロック２１２５において、ワイヤレスデータ送信が、物理チャネルの特定されたサブセットを通じて受信され得る。いくつかの場合、ブロック２１２５における動作は、図１０Ｂおよび／または図１２を参照して説明されたデータ送信／受信モジュール１０９０および／または１２１０を使用して実行され得る。
【０２０９】
[0227]方法２１００は、共有帯域（たとえば、ＬＴＥ／ＬＴＥ−Ａ帯域のような共有免許帯域またはＷＬＡＮ帯域のような共有免許不要帯域）を通じたある数の送信間隔の各々に対して繰り返され得る。いくつかの場合、送信間隔は無線フレームであり得、方法２１００（ブロック２１２０において行われるマッピングを含む）はフレームごとに実行され得る。
【０２１０】
[0228]したがって、方法２１００はワイヤレス通信を提供し得る。方法２１００は一実装形態にすぎず、方法２１００の動作は、他の実装形態が可能であるように再構成され得、または別様に修正され得ることに留意されたい。
【０２１１】
[0229]図２２は、ワイヤレス通信のための方法２２００の例を示すフローチャートである。明瞭にするために、方法２２００は、図５、図１０Ａ、および／もしくは図１０Ｂを参照して説明されたデバイス５３５、１００５、および／もしくは１０５５の１つ、図１、図２Ａ、図２Ｂ、図５、図１４、および／もしくは図１６を参照して説明されたｅＮＢ１０５、２０５、５０５、１４０５、および／もしくは１６０５の１つ、ならびに／または、図１、図２Ａ、図２Ｂ、図５、図１５、および／もしくは図１７を参照して説明されたＵＥ１１５、２１５、５１５、１５１５、および／もしくは１６１５の１つを参照して以下で説明される。一実施形態では、ｅＮＢ１０５、２０５、５０５、１００５、１４０５、および／もしくは１６０５、またはＵＥ１１５、２１５、５１５、１０５５、１５１５、および／もしくは１６１５のようなデバイスが、以下で説明される機能を実行するようにデバイスの機能要素を制御するために、コードの１つまたは複数のセットを実行することができる。
【０２１２】
[0230]ブロック２２０５において、第１のデバイス（たとえば、ｅＮＢ）によるワイヤレスデータ送信のダウンリンク仮想キャリアに対応する物理キャリアのサブセットが特定され得る。いくつかの例では、ＵＥは、ダウンリンク仮想キャリアに対応する物理キャリアのサブセットを特定するＲＲＣシグナリング（たとえば、ＲＲＣメッセージ）を受信することができる。いくつかの場合、ブロック２２０５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明された物理キャリアサブセット特定サブモジュール１３２５を使用して実行され得る。
【０２１３】
[0231]ブロック２２１０において、第１のデバイスにより実行されたＣＣＡが成功した、物理キャリアのサブセットのうちの物理キャリアが特定され得る。物理キャリアは、第１のデバイスによるワイヤレスデータ送信のダウンリンク仮想キャリアに対応する物理キャリアのサブセットの中の、少なくとも第１の物理キャリアと第２の物理キャリアとを含む複数の物理キャリアを含み得る。いくつかの場合、ブロック２２１０の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明されたＣＣＡ成功決定サブモジュール１３３０を使用して実行され得る。
【０２１４】
[0232]ブロック２２１５において、第１のデバイスによるワイヤレスデータ送信と関連付けられるダウンリンク仮想キャリアが、ダウンリンク仮想キャリアに対応する物理キャリアのサブセットの中の第１の物理キャリアにマッピングされ得る。いくつかの場合、ブロック２２１５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された仮想キャリアから物理キャリアへのマッピングモジュール１０８５、１１３５、１２３５、および／もしくは１３３５を使用して実行され得る。
【０２１５】
[0233]ブロック２２２０において、物理キャリアのサブセットの中の少なくとも第２の物理キャリアは、第２のデバイスによるアップリンクワイヤレスデータ送信と関連付けられるアップリンク仮想キャリアにマッピングするための物理キャリア候補として特定され得る。第１のデバイスにより実行されたＣＣＡが成功した、物理キャリアのサブセットの中の他の物理キャリアも、アップリンク仮想キャリアにマッピングするための物理キャリア候補として特定され得る。いくつかの場合、物理キャリアのサブセットの中の第１の物理キャリアは、アップリンク仮想キャリアにマッピングするための物理キャリア候補として特定されないことがある。いくつかの場合、ブロック２２２０の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明されたアップリンクキャリアからダウンリンクキャリアへのマッピングサブモジュール１３５０を使用して実行され得る。
【０２１６】
[0234]ブロック２２２５において、ブロック２２２０で特定された各物理キャリア候補について第２のデバイスによって実行され得る。いくつかの場合、ブロック２２２５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、および／もしくは図１３を参照して説明されたＣＣＡモジュール１０７５、１１１５、および／もしくは１３５５を使用して実行され得る。
【０２１７】
[0235]ブロック２２３０において、第２のデバイスにより実行されたＣＣＡが成功した物理キャリアが特定され得る。これらの物理キャリアは、第１のデバイスによるワイヤレスデータ送信のダウンリンク仮想キャリアに対応する物理キャリアのサブセットの中の第２の物理キャリアを含み得る。いくつかの場合、ブロック２２３０の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明されたＣＣＡ成功決定サブモジュール１３３０を使用して実行され得る。
【０２１８】
[0236]ブロック２２３５において、第２のデバイスによるアップリンクワイヤレスデータ送信と関連付けられるアップリンク仮想キャリアが、ダウンリンク仮想キャリアに対応する物理キャリアのサブセットの中の第２の物理キャリアをマッピングされ得る。いくつかの場合、ブロック２２３５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された仮想キャリアから物理キャリアへのマッピングモジュール１０８５、１１３５、１２３５、および／もしくは１３３５を使用して実行され得る。
【０２１９】
[0237]いくつかの実施形態では、方法２２００は、第２のデバイス（たとえば、ＵＥ）によって実行され得る。
【０２２０】
[0238]方法２２００は、共有帯域（たとえば、ＬＴＥ／ＬＴＥ−Ａ帯域のような共有免許帯域またはＷＬＡＮ帯域のような共有免許不要帯域）を通じたある数の送信間隔の各々に対して繰り返され得る。いくつかの場合、送信間隔は無線フレームであり得、方法２２００（ブロック２２１５および２２３５において行われるマッピングを含む）はフレームごとに実行され得る。
【０２２１】
[0239]したがって、方法２２００はワイヤレス通信を提供し得る。方法２２００は一実装形態にすぎず、方法２２００の動作は、他の実装形態が可能であるように再構成され得、または別様に修正され得ることに留意されたい。
【０２２２】
[0240]図２３は、ワイヤレス通信のための方法２３００の例を示すフローチャートである。明瞭にするために、方法２３００は、図５、図１０Ａ、および／もしくは図１０Ｂを参照して説明されたデバイス５３５、１００５、および／もしくは１０５５の１つ、図１、図２Ａ、図２Ｂ、図５、図１４、および／もしくは図１６を参照して説明されたｅＮＢ１０５、２０５、５０５、１４０５、および／もしくは１６０５の１つ、ならびに／または、図１、図２Ａ、図２Ｂ、図５、図１５、および／もしくは図１７を参照して説明されたＵＥ１１５、２１５、５１５、１５１５、および／もしくは１６１５の１つを参照して以下で説明される。一実施形態では、ｅＮＢ１０５、２０５、５０５、１００５、１４０５、および／もしくは１６０５、またはＵＥ１１５、２１５、５１５、１０５５、１５１５、および／もしくは１６１５のようなデバイスが、以下で説明される機能を実行するようにデバイスの機能要素を制御するために、コードの１つまたは複数のセットを実行することができる。
【０２２３】
[0241]ブロック２３０５において、第１のデバイスのワイヤレスデータ送信と関連付けられる複数の仮想キャリアが特定または決定され得る。いくつかの場合、ブロック２３０５の動作は、図１０Ａ、図１０Ｂ、図１１、図１２、図１３、図１４、図１５、および／もしくは図１６を参照して説明されたキャリア管理モジュール１０１５、１０６５、１１０５、１２０５、１３０５、１４９０、１５６０、１６４１、および／もしくは１６８１を使用して、ならびに／または、図１１、図１２、および／もしくは図１３を参照して説明された仮想キャリア特定モジュール１１２０、１２３０、および／もしくは１３１５を使用して実行され得る。
【０２２４】
[0242]ブロック２３１０において、物理キャリアの複数の重複しないサブセットが特定され得る。物理キャリアの重複しないサブセットの各々は、第１のデバイスによるワイヤレスデータ送信と関連付けられる複数の仮想キャリアのそれぞれ１つに対応し得る。いくつかの場合、ブロック２３１０の動作は、図１０Ａ、図１０Ｂ、図１１、図１２、図１３、図１４、図１５、および／もしくは図１６を参照して説明されたキャリア管理モジュール１０１５、１０６５、１１０５、１２０５、１３０５、１４９０、１５６０、１６４１、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明された物理キャリアサブセット特定サブモジュール１３２５を使用して実行され得る。
【０２２５】
[0243]ブロック２３１５において、物理キャリアの各サブセットについて、第１のデバイスにより実行されたＣＣＡが物理キャリアのサブセットの少なくとも１つの物理キャリアに対して成功したかどうかが決定され得る。いくつかの場合、ブロック２３１５の動作は、図１０Ａ、図１０Ｂ、図１１、図１２、図１３、図１４、図１５、および／もしくは図１６を参照して説明されたキャリア管理モジュール１０１５、１０６５、１１０５、１２０５、１３０５、１４９０、１５６０、１６４１、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明されたＣＣＡ成功決定サブモジュール１３３０を使用して実行され得る。
【０２２６】
[0244]ブロック２３２０において、第１のデバイスにより実行されたＣＣＡが成功した少なくとも１つの物理キャリアを有する、物理の各サブセットについて、物理キャリアのサブセットに対応する仮想キャリアが、第１のデバイスにより実行されたＣＣＡが成功した少なくとも１つの物理キャリアの少なくとも１つにマッピングされ得る（たとえば、第１の仮想キャリアが、第１のデバイスにより実行されたＣＣＡが成功した物理キャリアにマッピングされ得るが、それは、その物理キャリアが第１の仮想キャリアに対応する物理キャリアのサブセットのメンバーである場合だけである）。いくつかの実施形態では、物理キャリアのサブセットに対応する仮想キャリアは、第１のデバイスにより実行されたＣＣＡが成功した冗長な物理キャリアにマッピングされ得る。いくつかの場合、ブロック２３２０の動作は、図１０Ａ、図１０Ｂ、図１１、図１２、図１３、図１４、図１５、および／もしくは図１６を参照して説明されたキャリア管理モジュール１０１５、１０６５、１１０５、１２０５、１３０５、１４９０、１５６０、１６４１、および／もしくは１６８１を使用して、ならびに／または、図１０Ｂ、図１１、図１２、および／もしくは図１３を参照して説明された仮想キャリアから物理キャリアへのマッピングモジュール１０８５、１１３５、１２３５、および／もしくは１３３５を使用して実行され得る。
【０２２７】
[0245]ブロック２３２５において、いくつかの実施形態では、ワイヤレスデータ送信と関連付けられる複数の仮想キャリアは第２の仮想キャリアを含んでよく、方法２３００は、第１のデバイスにより実行されたＣＣＡが第２の仮想キャリアに対応する物理キャリアのサブセットの中の物理キャリアに対して成功しなかったという決定に基づいて、第２の仮想キャリアを物理キャリアにマッピングすることを控えることができる。いくつかの場合、ブロック２３２５の動作は、図１０Ａ、図１０Ｂ、図１１、図１２、図１３、図１４、図１５、および／もしくは図１６を参照して説明されたキャリア管理モジュール１０１５、１０６５、１１０５、１２０５、１３０５、１４９０、１５６０、１６４１、および／もしくは１６８１を使用して、ならびに／または、図１０Ｂ、図１１、図１２、および／もしくは図１３を参照して説明された仮想キャリアから物理キャリアへのマッピングモジュール１０８５、１１３５、１２３５、および／もしくは１３３５を使用して実行され得る。
【０２２８】
[0246]ブロック２３３０において、いくつかの実施形態では、第１のデバイスにより実行されたＣＣＡが成功した少なくとも１つの追加の物理キャリアが、特定の仮想キャリアのために特定され得る（たとえば、仮想キャリアがマッピングされる物理キャリア以外の、第１のデバイスにより実行されたＣＣＡが成功した少なくとも１つの追加の物理キャリアが特定され得る）。ブロック２３３５において、少なくとも１つの追加の物理キャリアの各々を通じて、信号が送信または受信され得る。方法２３００がｅＮＢによって実行されるとき、たとえば、少なくとも１つの追加の物理キャリアの各々を通じて送信される信号は、ＣＵＢＳおよび／またはＣＳＩ−ＲＳを含んでよく、または、少なくとも１つの追加の物理キャリアの各々を通じて受信される信号は、ＳＲＳおよび／またはＣＥＴ（ＳＲＳを含むＣＥＴを含む）を含み得る。方法２３００がＵＥによって実行されるとき、たとえば、少なくとも１つの追加の物理キャリアの各々を通じて送信される信号は、ＳＲＳおよび／またはＣＥＴ（ＳＲＳを含むＣＥＴを含む）を含んでよく、または、少なくとも１つの追加の物理キャリアの各々を通じて受信される信号は、ＣＵＢＳおよび／またはＣＳＩ−ＲＳを含み得る。ＣＥＴはまた、物理キャリアに対するＣＣＡの実行が成功したかどうかとは無関係に、任意の物理キャリアを通じて、およびいくつかの場合は各物理キャリア（または仮想キャリアにマッピングされない各物理キャリア）を通じて、送信（ＵＥの場合）および／または受信（ｅＮＢの場合）され得る。いくつかの場合、ブロック２３３０および／または２３３５の動作は、図１０Ａ、図１０Ｂ、図１１、図１２、図１３、図１４、図１５、および／もしくは図１６を参照して説明されたキャリア管理モジュール１０１５、１０６５、１１０５、１２０５、１３０５、１４９０、１５６０、１６４１、および／もしくは１６８１を使用して、ならびに／または、図１３を参照して説明された物理キャリアシグナリングモジュール１３４０を使用して実行され得る。
【０２２９】
[0247]いくつかの実施形態では、方法２３００は、仮想キャリアを通じてワイヤレスデータ送信を送信することができる送信デバイスによって実行され得る。他の実施形態では、方法２３００は、仮想キャリアを通じてワイヤレスデータ送信を受信することができる受信デバイスによって実行され得る。いずれの場合でも、送信デバイスまたは受信デバイスは、いくつかの場合、図１、図２Ａ、図２Ｂ、図５、図１０Ａ、図１０Ｂ、図１４、図１５、および／または図１６を参照して説明された、ｅＮＢまたはＵＥ１０５、１１５、２０５、２１５、５０５、５１５、５３５、１００５、１０５５、１４０５、１５１５、１６０５、および／または１６１５の１つであり得る。
【０２３０】
[0248]方法２３００は、共有帯域（たとえば、ＬＴＥ／ＬＴＥ−Ａ帯域のような共有免許帯域またはＷＬＡＮ帯域のような共有免許不要帯域）を通じたある数の送信間隔の各々に対して繰り返され得る。いくつかの場合、送信間隔は無線フレームであり得、方法２３００（ブロック２３２０において行われるマッピングを含む）はフレームごとに実行され得る。
【０２３１】
[0249]したがって、方法２３００はワイヤレス通信を提供し得る。方法２３００は一実装形態にすぎず、方法２３００の動作は、他の実装形態が可能であるように再構成され得、または別様に修正され得ることに留意されたい。
【０２３２】
[0250]図２４は、ワイヤレス通信のための方法２４００の例を示すフローチャートである。明瞭にするために、方法２４００は、図５、図１０Ａ、および／もしくは図１０Ｂを参照して説明されたデバイス１００５および／もしくは１０５５の１つ、ならびに／または、図１、図２Ａ、図２Ｂ、図５、図１５、および／もしくは図１７を参照して説明されたＵＥ１１５、２１５、５１５、１５１５、および／もしくは１６１５の１つを参照して以下で説明される。一実施形態では、ＵＥ１１５、２１５、５１５、１０５５、１５１５、および／もしくは１６１５のようなデバイスが、以下で説明される機能を実行するようにデバイスの機能要素を制御するために、コードの１つまたは複数のセットを実行することができる。
【０２３３】
[0251]ブロック２４０５において、第１のデバイスによるワイヤレスデータ送信と関連付けられる複数の仮想キャリアが特定または決定され得る。いくつかの実施形態では、仮想キャリアの各々がインデックスと関連付けられ得る（たとえば、仮想キャリアが０からＮまでの番号を付けられ得る）。いくつかの場合、ブロック２４０５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１１、図１２、および／もしくは図１３を参照して説明された仮想キャリア特定モジュール１１２０、１２３０、および／もしくは１３１５を使用して実行され得る。
【０２３４】
[0252]ブロック２４１０において、仮想キャリアの各々の上で、物理アップリンク制御チャネル（ＰＵＣＣＨ）のために、リソースが予約され得る。例として、リソースは、いくつかの場合、スケジューリング要求（ＳＲ）のためのリソース、受信された送信の肯定応答および否定応答（ＡＣＫ／ＮＡＣＫ）のためのリソース、および周期的なチャネル品質情報（ＣＱＩ）報告のためのリソースを含み得る。いくつかの場合、物理アップリンク共有チャネル（ＰＵＳＣＨ）は、予約されたリソースがＰＵＣＣＨを送信するために使用されるかどうかとは無関係に、予約されたリソースを通じて送信されないことがある。いくつかの場合、予約されたリソースはインターレースされたリソースブロックを含み得る。いくつかの場合、ブロック２４１０の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１１、図１２、および／もしくは図１３を参照して説明されたＰＵＣＣＨリソース予約モジュール１３４５を使用して実行され得る。
【０２３５】
[0253]ブロック２４１５において、物理キャリアの複数の重複しないサブセットが特定され得る。物理キャリアの重複しないサブセットの各々は、ワイヤレスデータ送信と関連付けられる複数の仮想キャリアのそれぞれ１つに対応し得る。いくつかの場合、ブロック２４１５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明された物理キャリアサブセット特定サブモジュール１３２５を使用して実行され得る。
【０２３６】
[0254]ブロック２４２０において、物理キャリアの各サブセットについて、第１のデバイスにより実行されたＣＣＡが物理キャリアのサブセットの少なくとも１つの物理キャリアに対して成功したかどうかが決定され得る。いくつかの場合、ブロック２４２０の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明されたＣＣＡ成功決定サブモジュール１３３０を使用して実行され得る。
【０２３７】
[0255]ブロック２４２５において、第１のデバイスにより実行されたＣＣＡが成功した少なくとも１つの物理キャリアを有する、物理の各サブセットについて、物理キャリアのサブセットに対応する仮想キャリアが、第１のデバイスにより実行されたＣＣＡが成功した少なくとも１つの物理キャリアの少なくとも１つにマッピングされ得る（たとえば、第１の仮想キャリアが、第１のデバイスにより実行されたＣＣＡが成功した物理キャリアにマッピングされ得るが、それは、その物理キャリアが第１の仮想キャリアに対応する物理キャリアのサブセットのメンバーである場合だけである）。いくつかの実施形態では、物理キャリアのサブセットに対応する仮想キャリアは、第１のデバイスにより実行されたＣＣＡが成功した冗長な物理キャリアにマッピングされ得る。いくつかの場合、ブロック２４２５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された仮想キャリアから物理キャリアへのマッピングモジュール１０８５、１１３５、１２３５、および／もしくは１３３５を使用して実行され得る。
【０２３８】
[0256]ブロック２４３０において、ワイヤレスデータ送信が、物理キャリアにマッピングされる仮想キャリアを通じて送信され得る。いくつかの実施形態では、ＰＵＣＣＨは、第１のデバイスにより実行されたＣＣＡが成功した物理キャリアの１つにマッピングされた仮想キャリアの１つを通じて送信され得る。いくつかの実施形態では、ＰＵＣＣＨは、最小のインデックスを有する、（第１のデバイスにより実行されたＣＣＡが成功した物理キャリアの１つにマッピングされた）仮想キャリアの１つを通じて送信され得る。他の実施形態では、ＰＵＣＣＨは、ランダムに選択された（たとえば、擬似ランダムに選択された）仮想キャリアを通じて送信され得る。ランダムな選択は、乱数生成器によって生成されたインデックスに少なくとも一部基づき得、この乱数生成器はいくつかの場合にはＲＲＣシグナリングによって初期化され得る。ＰＵＣＣＨを送信するために使用される仮想キャリアは、フレームごとに変化し得る。いくつかの場合、ブロック２４３０の動作は、図１０Ｂ、図１１、および／または図１３を参照して説明されたデータ送信／受信モジュール１０９０、１１１０、および／または１３１０を使用して実行され得る。
【０２３９】
[0257]いくつかの実施形態では、方法２４００は、図１、図２Ａ、図２Ｂ、図５、図１０Ａ、図１０Ｂ、図１５、および／または図１６を参照して説明されたＵＥ１１５、２１５、５１５、１００５、１０５５、１５１５、および／または１６１５の１つのような、送信デバイスによって実行され得る。
【０２４０】
[0258]方法２４００は、共有帯域（たとえば、ＬＴＥ／ＬＴＥ−Ａ帯域のような共有免許帯域またはＷＬＡＮ帯域のような共有免許不要帯域）を通じたある数の送信間隔の各々に対して繰り返され得る。いくつかの場合、送信間隔は無線フレームであり得、方法２４００（ブロック２４２５において行われるマッピングを含む）はフレームごとに実行され得る。
【０２４１】
[0259]したがって、方法２４００はワイヤレス通信を提供し得る。方法２４００は一実装形態にすぎず、方法２４００の動作は、他の実装形態が可能であるように再構成され得、または別様に修正され得ることに留意されたい。
【０２４２】
[0260]図２５は、ワイヤレス通信のための方法２５００の例を示すフローチャートである。明瞭にするために、方法２５００は、図５、図１０Ａ、および／もしくは図１０Ｂを参照して説明されたデバイス５３５、１００５、および／もしくは１０５５の１つ、図１、図２Ａ、図２Ｂ、図５、図１４、および／もしくは図１６を参照して説明されたｅＮＢ１０５、２０５、５０５、１４０５、および／もしくは１６０５の１つ、ならびに／または、図１、図２Ａ、図２Ｂ、図５、図１５、および／もしくは図１７を参照して説明されたＵＥ１１５、２１５、５１５、１５１５、および／もしくは１６１５の１つを参照して以下で説明される。一実施形態では、ＵＥ１１５、２１５、５１５、１０５５、１５１５、および／もしくは１６１５のようなデバイスが、以下で説明される機能を実行するようにデバイスの機能要素を制御するために、コードの１つまたは複数のセットを実行することができる。
【０２４３】
[0261]ブロック２５０５において、第１のデバイス（たとえば、ｅＮＢ）によるワイヤレスデータ送信の仮想キャリアに対応する物理キャリアのサブセットが特定され得る。いくつかの場合、ブロック２５０５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明された物理キャリアサブセット特定サブモジュール１３２５を使用して実行され得る。
【０２４４】
[0262]ブロック２５１０において、第１のデバイスにより実行されたＣＣＡが成功した物理キャリアが特定され得る。物理キャリアは、物理キャリアのサブセットの中の複数の物理キャリアを含み得る。いくつかの場合、ブロック２５１０の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された物理キャリア特定モジュール１０８０、１１２５、１２１５、および／もしくは１３２０を使用して、ならびに／または、図１３を参照して説明されたＣＣＡ成功決定サブモジュール１３３０を使用して実行され得る。
【０２４５】
[0263]ブロック２５１５において、第１のデバイスによるワイヤレスデータ送信と関連付けられる仮想キャリアが、第１のデバイスにより実行されたＣＣＡが成功した、仮想キャリアに対応する物理キャリアのサブセットの中の物理キャリアの少なくとも１つにマッピングされ得る。いくつかの場合、ブロック２５１５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１０Ｂ、図１１、図１２、および／もしくは図１３を参照して説明された仮想キャリアから物理キャリアへのマッピングモジュール１０８５、１１３５、１２３５、および／もしくは１３３５を使用して実行され得る。
【０２４６】
[0264]ブロック２５２０において、仮想キャリアがマッピングされ第１のデバイスにより実行されたＣＣＡが成功した物理キャリア以外の、物理キャリアのサブセットの少なくとも１つの追加の物理キャリアが特定され得る。ブロック２５２５において、少なくとも１つの追加の物理キャリアの各々のためのチャネル品質情報（ＣＱＩ）が第１のデバイスに送信され得る。ブロック２５２０および／または２５２５の動作は、図１０Ａ、図１０Ｂ、図１１、図１２、図１３、図１５、および／もしくは図１６を参照して説明されたキャリア管理モジュール１０１５、１０６５、１１０５、１２０５、１３０５、１５６０、および／もしくは１６８１を使用して、ならびに／または、図１３を参照して説明された物理キャリアシグナリングモジュール１３４０を使用して実行され得る。
【０２４７】
[0265]いくつかの実施形態では、方法２５００は、仮想キャリアを通じてワイヤレスデータ送信またはワイヤレスデータ送信の少なくとも一部を受信することができる、第２のデバイス（たとえば、ＵＥ）によって実行され得る。
【０２４８】
[0266]いくつかの実施形態では、方法２５００は、第２のデバイスにおいて第１のデバイスから、シグナリング（たとえば、ＣＵＢＳおよび／またはＣＲＳ）および／またはビットマップを受信することを含み得る。シグナリングおよび／またはビットマップは、仮想キャリアがマッピングされる物理キャリアの１つ、および／または、第１のデバイスにより実行されたＣＣＡが成功した少なくとも１つの追加の物理キャリアを特定するために、第２のデバイスによって使用され得る。
【０２４９】
[0267]方法２５００は、共有帯域（たとえば、ＬＴＥ／ＬＴＥ−Ａ帯域のような共有免許帯域またはＷＬＡＮ帯域のような共有免許不要帯域）を通じたある数の送信間隔の各々に対して繰り返され得る。いくつかの場合、送信間隔は無線フレームであり得、方法２５００（ブロック２５１５において行われるマッピングを含む）はフレームごとに実行され得る。
【０２５０】
[0268]したがって、方法２５００はワイヤレス通信を提供し得る。方法２５００は一実装形態にすぎず、方法２５００の動作は、他の実装形態が可能であるように再構成され得、または別様に修正され得ることに留意されたい。
【０２５１】
[0269]いくつかの場合、図１７、１８、１９、２０、２１、２２、２３、２４、および／または２５を参照して説明される方法１７００、１８００、１９００、２０００、２１００、２２００、２３００、２４００、および／または２５００の態様は、組み合わされ得る。
【０２５２】
[0270]添付の図面に関して上に記載された発明を実施するための形態は、例示的な実施形態を説明しており、実装され得るまたは特許請求の範囲内に入る実施形態のみを表すものではない。本明細書全体にわたって使用される「例示的」という用語は、「例、事例、または例示としての役割を果たすこと」を意味し、「好ましい」または「他の実施形態よりも有利である」ことを意味しない。発明を実施するための形態は、説明された技法の理解をもたらすための具体的な詳細を含む。しかしながら、これらの技法は、これらの具体的な詳細を伴わずに実践され得る。場合によっては、説明される実施形態の概念を不明瞭にしないために、よく知られている構造およびデバイスがブロック図の形態で示される。
【０２５３】
[0271]情報および信号は、種々の異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２５４】
[0272]本明細書の開示に関連して説明された様々な例示的な論理ブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタロジック、個別ハードウェアコンポーネント、または本明細書で説明された機能を実行するように設計されたそれらの任意の組合せによって実装または実行され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。いくつかの場合、プロセッサは、メモリと電子的に通信していてもよく、メモリは、プロセッサによって実行可能な命令を記憶する。
【０２５５】
[0273]本明細書において説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され、またはコンピュータ可読媒体を介して送信され得る。他の例および実装形態が、本開示および添付の特許請求の範囲および趣旨内にある。たとえば、ソフトウェアの性質により、上で説明された機能は、プロセッサ、ハードウェア、ファームウェア、配線、またはこれらのうちのいずれかの組合せによって実行されるソフトウェアを使用して実装され得る。機能を実装する特徴はまた、機能の一部が異なる物理的位置において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２５６】
[0274]コンピュータプログラム製品またはコンピュータ可読媒体はともに、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のコンピュータ可読プログラムコードを搬送または記憶するために使用され、汎用もしくは専用コンピュータまたは汎用もしくは専用プロセッサによってアクセスされ得る、任意の他の媒体を備え得る。また、任意の接続がコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、一方、ディスク（disc）は、データをレーザーで光学的に再生する。上記の組合せも、コンピュータ可読媒体の範囲内に含まれる。
【０２５７】
[0275]本開示の前述の説明は、当業者が本開示を構成または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例に対する選好を暗示せず、または必要としない。したがって、本開示は、本明細書で説明された例および設計に限定されるべきでなく、本明細書で開示された原理および新規の特徴に一致する最も広い範囲を与えられるべきである。
以下に本願の出願当初の特許請求の範囲に記載された発明を付記する。
［Ｃ１］
ワイヤレス通信の方法であって、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定することと、
前記第１のデバイスによるワイヤレスデータ送信と関連付けられる仮想キャリアを、前記物理キャリアのうちの前記特定された１つにマッピングすることとを備える、方法。
［Ｃ２］
前記ワイヤレスデータ送信を、前記物理キャリアのうちの前記１つを通じて第２のデバイスにおいて前記第１のデバイスから受信することをさらに備える、Ｃ１に記載の方法。
［Ｃ３］
前記第１のデバイスからのシグナリングを第２のデバイスにおいて受信することをさらに備え、前記ＣＣＡが成功した前記物理キャリアのうちの前記１つが、前記第１のデバイスからの前記シグナリングに基づいて前記第２のデバイスによって特定される、Ｃ１に記載の方法。
［Ｃ４］
前記複数の物理キャリアを、前記第１のデバイスによる前記ワイヤレスデータ送信の前に監視することをさらに備え、前記第１のデバイスからの前記シグナリングが、前記ワイヤレスデータ送信の前に前記物理キャリアのうちの前記１つを通じて受信される、Ｃ３に記載の方法。
［Ｃ５］
前記シグナリングが、前記物理キャリアのうちの前記１つを通じて前記第１のデバイスから受信されるチャネル使用ビーコン信号（ＣＵＢＳ）を備える、Ｃ４に記載の方法。
［Ｃ６］
前記シグナリングが、前記物理キャリアのうちの前記１つを通じて前記第１のデバイスから受信される参照信号を備える、Ｃ３に記載の方法。
［Ｃ７］
前記第１のデバイスからのビットマップを第２のデバイスにおいて受信することをさらに備え、前記ＣＣＡが成功した前記物理キャリアのうちの前記１つが、前記第１のデバイスからの前記ビットマップに基づいて前記第２のデバイスによって特定される、Ｃ１に記載の方法。
［Ｃ８］
前記ビットマップが、免許不要帯域を通じて受信される、Ｃ７に記載の方法。
［Ｃ９］
前記第１のデバイスによって、前記ワイヤレスデータ送信と関連付けられる仮想キャリアの数に基づいて、前記ＣＣＡと関連付けられる前記複数の物理キャリアを選択することをさらに備える、Ｃ１に記載の方法。
［Ｃ１０］
前記第１のデバイスによって、前記ワイヤレスデータ送信と関連付けられる仮想キャリアの数よりも多数の数の物理キャリア上でＣＣＡを実行することをさらに備える、Ｃ１に記載の方法。
［Ｃ１１］
前記ＣＣＡが成功した前記物理キャリアの数が仮想キャリアの数よりも少ないという決定に基づいて、少なくとも第２の仮想キャリアをマッピングするのを控えることと、前記第１のデバイスによって、仮想キャリアの前記数以下である数の前記物理キャリアについてチャネル使用ビーコン信号（ＣＵＢＳ）を送信することとをさらに備える、Ｃ１０に記載の方法。
［Ｃ１２］
前記第１のデバイスによって、前記ＣＣＡが成功した前記物理キャリアの数が仮想キャリアの前記数よりも多いという決定に基づいて、複数の物理キャリアを通じて前記ワイヤレスデータ送信の少なくとも一部分を冗長的に送信することをさらに備える、Ｃ１０に記載の方法。
［Ｃ１３］
前記第１の仮想キャリアの優先順位に対する前記第２の仮想キャリアの優先順位に基づいて、前記第２の仮想キャリアをマッピングするのを控えると決定することをさらに備える、Ｃ１に記載の方法。
［Ｃ１４］
前記第１のデバイスによって、前記仮想キャリアのためのアップリンクグラントを受信することをさらに備え、前記アップリンクグラントが、前記第１のデバイスによって前記ＣＣＡと関連付けられる前記複数の物理キャリアを備える、Ｃ１に記載の方法。
［Ｃ１５］
前記ＣＣＡと関連付けられる前記複数の物理キャリアを、前記複数の物理キャリアのチャネル強度測定結果に基づいて選択することをさらに備える、Ｃ１に記載の方法。
［Ｃ１６］
前記ＣＣＡと関連付けられる前記複数の物理キャリアを選択することが、前記ＣＣＡと関連付けられる前記複数の物理キャリアの少なくとも一部分についてのチャネル強度測定結果のエイジに基づく、Ｃ１５に記載の方法。
［Ｃ１７］
前記ＣＣＡと関連付けられる前記複数の物理キャリアを選択することが、前記ワイヤレスデータ送信と関連付けられる変調およびコーディング方式、前記ワイヤレスデータ送信と関連付けられるランク、または前記ワイヤレスデータ送信と関連付けられるトランスポートブロックサイズのうちの少なくとも１つを前記物理キャリアがサポートすることが可能かどうかの決定に基づく、Ｃ１５に記載の方法。
［Ｃ１８］
前記仮想キャリアが、前記ワイヤレスデータ送信と関連付けられる複数の仮想キャリアのうちの１つを備え、前記方法は、
前記第１のデバイスによる前記ＣＣＡが成功した前記物理キャリアのサブセットを特定することと、
前記第１のデバイスと、前記ワイヤレスデータ送信を受信するように構成された第２のデバイスとの間で共有される、所定のマッピング方式に基づいて、前記サブセットの前記物理キャリアのうちの１つに前記仮想キャリアの各々をマッピングすることとをさらに備える、Ｃ１に記載の方法。
［Ｃ１９］
前記物理キャリアのうちの前記１つのキャリア識別フィールド（ＣＩＦ）において、前記仮想キャリアと関連付けられる識別子を送信することをさらに備える、Ｃ１に記載の方法。
［Ｃ２０］
前記仮想キャリアがダウンリンク仮想キャリアを備え、前記第１のデバイスによって実行される前記ＣＣＡがダウンリンクＣＣＡであり、前記第１のデバイスにより実行された前記ＣＣＡが成功した前記物理キャリアのうちの前記１つを特定することが、前記第１のデバイスにより実行された前記ＣＣＡが成功した前記物理キャリアのうちの前記１つを、前記ダウンリンク仮想キャリアに対応する物理キャリアのサブセットの中の第１の物理キャリアとして特定することを備え、前記方法は、
前記ダウンリンク仮想キャリアに対応する物理キャリアの前記サブセットの中の少なくとも第２の物理キャリアを、第２のデバイスによるアップリンクワイヤレスデータ送信と関連付けられるアップリンク仮想キャリアにマッピングするための物理キャリア候補として特定することをさらに備え、前記第２の物理キャリアが、前記第１のデバイスにより実行された前記ＣＣＡが成功した別の物理キャリアである、Ｃ１に記載の方法。
［Ｃ２１］
前記ダウンリンク仮想キャリアに対応する物理キャリアの前記サブセットを特定する無線リソース制御（ＲＲＣ）シグナリングを受信することをさらに備える、Ｃ２０に記載の方法。
［Ｃ２２］
前記第２のデバイスによって、各物理キャリア候補についてアップリンクＣＣＡを実行することと、
前記第２の物理キャリアを、前記第２のデバイスにより実行された前記アップリンクＣＣＡが成功した物理キャリアとして特定することと、
前記第２のデバイスによる前記アップリンクワイヤレスデータ送信と関連付けられる前記アップリンク仮想キャリアを前記第２の物理キャリアにマッピングすることとをさらに備える、Ｃ２０に記載の方法。
［Ｃ２３］
前記仮想キャリアが、前記ワイヤレスデータ送信と関連付けられる複数の仮想キャリアのうちの第１の仮想キャリアを備え、前記方法は、
物理キャリアの複数の重複しないサブセットを特定することと、ここにおいて、物理キャリアの前記重複しないサブセットの各々は前記仮想キャリアのそれぞれ１つに対応する、
物理キャリアの各サブセットについて、前記第１のデバイスにより実行された前記ＣＣＡが物理キャリアの前記サブセットのうちの少なくとも１つの物理キャリアについて成功したかどうかを決定することと、
前記第１のデバイスにより実行された前記ＣＣＡが成功した少なくとも１つの物理キャリアを有する物理キャリアの各サブセットについて、物理キャリアの前記サブセットに対応する前記仮想キャリアを、前記第１のデバイスにより実行された前記ＣＣＡが成功した前記少なくとも１つの物理キャリアのうちの少なくとも１つにマッピングすることとをさらに備える、Ｃ１に記載の方法。
［Ｃ２４］
前記ワイヤレスデータ送信と関連付けられる前記複数の仮想キャリアが第２の仮想キャリアを備え、前記方法は、
前記第１のデバイスにより実行された前記ＣＣＡが前記第２の仮想キャリアに対応する物理キャリアの前記サブセットの中の前記物理キャリアについて成功しなかったという決定に基づいて、少なくとも前記第２の仮想キャリアを物理キャリアにマッピングするのを控えることをさらに備える、Ｃ２３に記載の方法。
［Ｃ２５］
前記仮想キャリアの各々において、物理アップリンク制御チャネル（ＰＵＣＣＨ）のためにリソースを予約することと、
前記ＰＵＣＣＨを、前記第１のデバイスにより実行された前記ＣＣＡが成功した前記物理キャリアのうちの１つにマッピングされた前記仮想キャリアのうちの１つを通じて送信することと、
をさらに備える、Ｃ２３に記載の方法。
［Ｃ２６］
前記仮想キャリアの各々がインデックスと関連付けられ、前記第１のデバイスにより実行された前記ＣＣＡが成功した前記物理キャリアのうちの１つにマッピングされた前記仮想キャリアのうちの１つの上で前記ＰＵＣＣＨを送信することが、
前記仮想キャリアのうちの１つを通じて前記ＰＵＣＣＨを送信することを備え、前記仮想キャリアのうちの１つを選択することが、最小のインデックスまたはランダムな選択のうちの少なくとも１つに基づく、Ｃ２５に記載の方法。
［Ｃ２７］
前記ＰＵＣＣＨが送信される前記仮想キャリアのうちの前記１つをランダムに選択するために使用される乱数生成器のための初期設定を備える、無線リソース制御（ＲＲＣ）シグナリングを受信することをさらに備える、Ｃ２５に記載の方法。
［Ｃ２８］
前記第１の仮想キャリアに対応する物理キャリアの前記サブセットのうちの１つから、前記第１のデバイスにより実行された前記ＣＣＡが成功した少なくとも１つの追加の物理キャリアを特定することと、
前記第１のデバイスによって、前記少なくとも１つの追加の物理キャリアの各々を通じて、サウンディング参照信号（ＳＲＳ）を送信することとをさらに備える、Ｃ２３に記載の方法。
［Ｃ２９］
ＣＣＡ免除送信（ＣＥＴ）を、物理キャリアの前記サブセットのうちの少なくとも１つにおいて前記物理キャリアのうちの少なくとも１つを通じて、前記第１のデバイスによって送信することをさらに備える、Ｃ２３に記載の方法。
［Ｃ３０］
前記第１の仮想キャリアに対応する物理キャリアの前記サブセットのうちの１つから、前記第１のデバイスにより実行された前記ＣＣＡが成功した少なくとも１つの追加の物理キャリアを特定することと、
前記第１のデバイスによって、前記少なくとも１つの追加の物理キャリアの各々を通じて、チャネル使用ビーコン信号（ＣＵＢＳ）およびチャネル状態情報参照信号（ＣＳＩ−ＲＳ）のうちの少なくとも１つを送信することとをさらに備える、Ｃ２３に記載の方法。
［Ｃ３１］
前記仮想キャリアに対応する物理キャリアのサブセットを特定することと、ここで、物理キャリアの前記サブセットは、前記仮想キャリアがマッピングされる前記物理キャリアのうちの前記１つと、少なくとも１つの追加の物理キャリアとを備える、
前記少なくとも１つの追加の物理キャリアから、前記第１のデバイスにより実行された前記ＣＣＡが成功した少なくとも１つの追加の物理キャリアを特定することと、
前記仮想キャリアがマッピングされる前記物理キャリアのうちの前記１つと、前記第１のデバイスにより実行された前記ＣＣＡが成功した前記少なくとも１つの追加の物理キャリアとの各々について、チャネル品質情報（ＣＱＩ）を前記第１のデバイスに送信することとをさらに備える、Ｃ１に記載の方法。
［Ｃ３２］
第２のデバイスにおいて前記第１のデバイスからシグナリングを受信することをさらに備え、前記仮想キャリアがマッピングされる前記物理キャリアのうちの前記１つと、前記第１のデバイスにより実行された前記ＣＣＡが成功した前記少なくとも１つの追加の物理キャリアとが、前記第１のデバイスからの前記シグナリングに基づいて前記第２のデバイスによって特定される、Ｃ３１に記載の方法。
［Ｃ３３］
前記第２のデバイスにおいて前記第１のデバイスからビットマップを受信することをさらに備え、前記仮想キャリアがマッピングされる前記物理キャリアのうちの前記１つと、前記第１のデバイスにより実行された前記ＣＣＡが成功した前記少なくとも１つの追加の物理キャリアとが、前記第１のデバイスからの前記ビットマップに基づいて前記第２のデバイスによって特定される、Ｃ３２に記載の方法。
［Ｃ３４］
前記第１のデバイスによって、前記物理キャリアの前記特定された１つのインターレースされたリソースブロックを通じて前記ワイヤレスデータ送信の物理アップリンク制御チャネル（ＰＵＣＣＨ）を送信することをさらに備える、Ｃ１に記載の方法。
［Ｃ３５］
ワイヤレス通信のための装置であって、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定するための手段と、
前記第１のデバイスによるワイヤレスデータ送信と関連付けられる仮想キャリアを、前記物理キャリアの前記特定された１つにマッピングするための手段と、
を備える、装置。
［Ｃ３６］
前記ワイヤレスデータ送信を、前記物理キャリアのうちの前記１つを通じて第２のデバイスにおいて前記第１のデバイスから受信するための手段をさらに備える、Ｃ３５に記載の装置。
［Ｃ３７］
前記第１のデバイスからのシグナリングを第２のデバイスにおいて受信するための手段をさらに備え、前記ＣＣＡが成功した前記物理キャリアのうちの前記１つが、前記第１のデバイスからの前記シグナリングに基づいて前記第２のデバイスによって特定される、Ｃ３５に記載の装置。
［Ｃ３８］
前記複数の物理キャリアを、前記第１のデバイスによる前記ワイヤレスデータ送信の前に監視するための手段をさらに備え、前記第１のデバイスからの前記シグナリングが、前記ワイヤレスデータ送信の前に前記物理キャリアのうちの前記１つを通じて受信される、Ｃ３７に記載の装置。
［Ｃ３９］
前記シグナリングが、前記物理キャリアのうちの前記１つを通じて前記第１のデバイスから受信されるチャネル使用ビーコン信号（ＣＵＢＳ）を備える、Ｃ３８に記載の装置。
［Ｃ４０］
前記シグナリングが、前記物理キャリアのうちの前記１つを通じて前記第１のデバイスから受信される参照信号を備える、Ｃ３７に記載の装置。
［Ｃ４１］
ワイヤレス通信のための装置であって、
プロセッサと、
前記プロセッサに結合されたメモリとを備え、前記プロセッサが、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定し、
前記第１のデバイスによるワイヤレスデータ送信と関連付けられる仮想キャリアを、前記物理キャリアのうちの前記特定された１つにマッピングする
ように構成された、
装置。
［Ｃ４２］
前記プロセッサが、
前記ワイヤレスデータ送信を、前記物理キャリアのうちの前記１つを通じて第２のデバイスにおいて前記第１のデバイスから受信するように構成される、Ｃ４１に記載の装置。
［Ｃ４３］
前記プロセッサが、
前記第１のデバイスからのシグナリングを第２のデバイスにおいて受信するように構成され、前記ＣＣＡが成功した前記物理キャリアのうちの前記１つが、前記第１のデバイスからの前記シグナリングに基づいて前記第２のデバイスによって特定される、Ｃ４１に記載の装置。
［Ｃ４４］
前記プロセッサが、
前記第１のデバイスからのビットマップを第２のデバイスにおいて受信するように構成され、前記ＣＣＡが成功した前記物理キャリアのうちの前記１つが、前記第１のデバイスからの前記ビットマップに基づいて前記第２のデバイスによって特定される、Ｃ４１に記載の装置。
［Ｃ４５］
前記ビットマップが、免許不要帯域を通じて受信される、Ｃ４４に記載の装置。
［Ｃ４６］
前記プロセッサが、
前記第１のデバイスによって、前記ワイヤレスデータ送信と関連付けられる仮想キャリアの数に基づいて、前記ＣＣＡと関連付けられる前記複数の物理キャリアを選択するように構成される、Ｃ４１に記載の装置。
［Ｃ４７］
前記プロセッサが、
前記第１のデバイスによって、前記ワイヤレスデータ送信と関連付けられる仮想キャリアの数よりも多数の数の物理キャリア上でＣＣＡを実行するように構成される、Ｃ４１に記載の装置。
［Ｃ４８］
前記プロセッサが、
前記第１のデバイスによって、仮想キャリアの前記数以下の数の前記物理キャリアについてチャネル使用ビーコン信号（ＣＵＢＳ）を送信するように構成される、Ｃ４７に記載の装置。
［Ｃ４９］
プロセッサによって実行可能な命令を記憶するためのコンピュータ可読媒体であって、
第１のデバイスにより実行されたクリアチャネルアセスメント（ＣＣＡ）と関連付けられる複数の物理キャリアから、前記ＣＣＡが成功した前記物理キャリアのうちの１つを特定するための命令と、
前記第１のデバイスによるワイヤレスデータ送信と関連付けられる仮想キャリアを、前記物理キャリアのうちの前記特定された１つにマッピングするための命令と、
を備える、コンピュータ可読媒体。
［Ｃ５０］
前記ワイヤレスデータ送信を、前記物理キャリアのうちの前記１つを通じて第２のデバイスにおいて前記第１のデバイスから受信するための命令をさらに備える、Ｃ４９に記載のコンピュータ可読媒体。
【図１】
0006545669.tif 000002
【図２Ａ】
0006545669.tif 000003
【図２Ｂ】
0006545669.tif 000004
【図３】
0006545669.tif 000005
【図４Ａ】
0006545669.tif 000006
【図４Ｂ】
0006545669.tif 000007
【図５】
0006545669.tif 000008
【図６】
0006545669.tif 000009
【図７】
0006545669.tif 000010
【図８】
0006545669.tif 000011
【図９Ａ】
0006545669.tif 000012
【図９Ｂ】
0006545669.tif 000013
【図９Ｃ】
0006545669.tif 000014
【図９Ｄ】
0006545669.tif 000015
【図１０Ａ】
0006545669.tif 000016
【図１０Ｂ】
0006545669.tif 000017
【図１１】
0006545669.tif 000018
【図１２】
0006545669.tif 000019
【図１３】
0006545669.tif 000020
【図１４】
0006545669.tif 000021
【図１５】
0006545669.tif 000022
【図１６】
0006545669.tif 000023
【図１７】
0006545669.tif 000024
【図１８】
0006545669.tif 000025
【図１９】
0006545669.tif 000026
【図２０】
0006545669.tif 000027
【図２１】
0006545669.tif 000028
【図２２】
0006545669.tif 000029
【図２３】
0006545669.tif 000030
【図２４】
0006545669.tif 000031
【図２５】
0006545669.tif 000032